(57)【特許請求の範囲】
【請求項１】
シート状の紙製ブランクにより形成されたカートンに用いるカートン用ジッパーであって、
第１切れ目線と第２切れ目線とを有し、
第１切れ目線が、複数の第１切込み（１０、２０）を間隔を介して列状に配設してなり、
第１切込みが、
第１傾斜部（１２、２２）と、第１傾斜部の一方の端部である第１接触点（ｍ１２、ｍ２２）から形成された第２傾斜部（１４、２４）と、第２傾斜部の第１接触点とは反対側の端部である第２接触点（ｍ１３、ｍ２３）から形成された直線部（１６、２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、直線部が、第２接触点と直線部の第２接触点とは反対側の端部である第２端部（ｍ１４、ｍ２４）間に直線状にジッパー開封方向に沿って形成され、第２接触点が第２端部よりもジッパー開封方向において前側にあり、
第１端部と第１接触点とが、直線部のジッパー開封方向において前側への仮想延長線である第１仮想延長線（ｅ１６、ｅ２６）を介して両側に配置され、
直線部のジッパー開封方向への仮想延長線である第２仮想延長線（ｆ１６、ｆ２６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第１傾斜部の該第１仮想延長線との間の鋭角の角度（α１１、α２１）が、第２傾斜部の該第１仮想延長線との間の鋭角の角度（α１２、α２２）よりも大きく形成され、
第１傾斜部と第２傾斜部間の角度で、第１端部と第２接触点とを結ぶ仮想直線（１８、２８）側の角度（α１３、α２３）が直角以下であり、
第２切れ目線が、第１切れ目線との間の中心線を介して対称形状に形成され、第２切れ目線が、複数の第２切込み（２０、１０）を間隔を介して列状に配設してなり、第２切れ目線における各第２切込みが該中心線を介して第１切れ目線における第１切込みと対称形状に形成されていることを特徴とするカートン用ジッパー。
【請求項２】
第１端部から第１仮想延長線までの長さ（Ｌ１１、Ｌ２１）が、第１接触点から第１仮想延長線までの長さ（Ｌ１２、Ｌ２２）よりも長いことを特徴とする請求項１に記載のカートン用ジッパー。
【請求項３】
シート状の紙製ブランクにより形成されたカートンに用いるカートン用ジッパーであって、
第１切れ目線と第２切れ目線とを有し、
第１切れ目線が、複数の第１切込み（１０）を間隔を介して列状に配設してなり、
第１切込みが、
第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（１５）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
直線部が、第４接触点と直線部の第４接触点とは反対側の端部である第２端部（ｍ１４）間に直線状にジッパー開封方向に沿って形成され、第４接触点が第２端部よりもジッパー開封方向において前側にあり、
第１端部と第１接触点とが、直線部のジッパー開封方向において前側への仮想延長線である第１仮想延長線（ｅ１６）を介して両側に配置され、
直線部のジッパー開封方向への仮想延長線である第２仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第２傾斜部の一方の端部である第２接触点は、第２傾斜部の他方の端部である第３接触点よりもジッパー開封方向において前側に位置し、
第１傾斜部の該第１仮想延長線との間の鋭角の角度（α１１）が、第２傾斜部の第３接触点からの第３仮想延長線（ｅ１４）の該第１仮想延長線との間の鋭角の角度（α１２）よりも大きく形成され、
第１傾斜部と第２傾斜部間の角度で、第１仮想延長線と第３仮想延長線の交点（ｍ１３’）と第１端部とを結ぶ仮想直線（１８）側の角度（α１３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【請求項４】
シート状の紙製ブランクにより形成されたカートンに用いるカートン用ジッパーであって、
第１切れ目線と第２切れ目線とを有し、
第１切れ目線が、複数の第１切込み（１０）を間隔を介して列状に配設してなり、
第１切込みが、
第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
直線部が、第２傾斜部の第２接触点とは反対側の端部である第３接触点（ｍ１３）から形成され、第３接触点と直線部の第３接触点とは反対側の端部である第２端部（ｍ１４）間に直線状にジッパー開封方向に沿って形成され、第３接触点が第２端部よりもジッパー開封方向において前側にあり、
第１端部と第１接触点とが、直線部のジッパー開封方向において前側への仮想延長線である第１仮想延長線（ｅ１６）を介して両側に配置され、
直線部のジッパー開封方向への仮想延長線である第２仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第１傾斜部の該第１仮想延長線との間の鋭角の角度（α１１）が、第２傾斜部の該第１仮想延長線との間の鋭角の角度（α１２）よりも大きく形成され、
第１傾斜部と第２傾斜部間の角度で、第３接触点と第１端部とを結ぶ仮想直線（１８）側の角度（α１３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【請求項５】
第１端部から第１仮想延長線までの長さ（Ｌ１１）が、第１接触点と第２接触点間に形成されたアール部から第１仮想延長線までの最大長さ（Ｌ１２’）よりも長いことを特徴とする請求項３又は４に記載のカートン用ジッパー。
【請求項６】
シート状の紙製ブランクにより形成されたカートンに用いるカートン用切れ目線であって、
該カートン用切れ目線が、複数の切込み（１０、２０）を間隔を介して列状に配設してなり、
切込みが、
第１傾斜部（１２、２２）と、第１傾斜部の一方の端部である第１接触点（ｍ１２、ｍ２２）から形成された第２傾斜部（１４、２４）と、第２傾斜部の第１接触点とは反対側の端部である第２接触点（ｍ１３、ｍ２３）から形成された直線部（１６、２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、直線部が、第２接触点と直線部の第２接触点とは反対側の端部である第２端部（ｍ１４、ｍ２４）間に直線状に切れ目線開封方向に沿って形成され、第２接触点が第２端部よりも切れ目線開封方向において前側にあり、
第１端部と第１接触点とが、直線部の切れ目線開封方向において前側への仮想延長線である第１仮想延長線（ｅ１６、ｅ２６）を介して両側に配置され、
直線部の切れ目線開封方向への仮想延長線である第２仮想延長線（ｆ１６、ｆ２６）が切れ目線開封方向において後側に隣接する他の第１切込みの第１傾斜部と交わり、
第１傾斜部が、第１端部が第１接触点よりも切れ目線開封方向において前側に位置するように第１仮想延長線に対して傾斜して形成され、
第１傾斜部の該第１仮想延長線との間の鋭角の角度（α１１、α２１）が、第２傾斜部の該第１仮想延長線との間の鋭角の角度（α１２、α２２）よりも大きく形成され、
第１傾斜部と第２傾斜部間の角度で、第１端部と第２接触点とを結ぶ仮想直線（１８、２８）側の角度（α１３、α２３）が直角以下であることを特徴とするカートン用切れ目線。
【請求項７】
第１端部から第１仮想延長線までの長さ（Ｌ１１）が、第１接触点から第１仮想延長線までの長さ（Ｌ１２）よりも長いことを特徴とする請求項６に記載のカートン用切れ目線。
【請求項８】
シート状の紙製ブランクにより形成されたカートンに用いるカートン用切れ目線であって、
該カートン用切れ目線が、複数の切込み（１０）を間隔を介して列状に配設してなり、
切込みが、
第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（１５）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
直線部が、第４接触点と直線部の第４接触点とは反対側の端部である第２端部（ｍ１４）間に直線状に切れ目線開封方向に沿って形成され、第４接触点が第２端部よりも切れ目線開封方向において前側にあり、
第１端部と第１接触点とが、直線部の切れ目線開封方向において前側への仮想延長線である第１仮想延長線（ｅ１６）を介して両側に配置され、
直線部の切れ目線開封方向への仮想延長線である第２仮想延長線（ｆ１６）が切れ目線開封方向において後側に隣接する他の第１切込みの第１傾斜部と交わり、
第１傾斜部が、第１端部が第１接触点よりも切れ目線開封方向において前側に位置するように第１仮想延長線に対して傾斜して形成され、
第２傾斜部の一方の端部である第２接触点は、第２傾斜部の他方の端部である第３接触点よりもジッパー開封方向において前側に位置し、
第１傾斜部の該第１仮想延長線との間の鋭角の角度（α１１）が、第２傾斜部の第３接触点からの仮想延長線である第３仮想延長線（ｅ１４）の該第１仮想延長線との間の鋭角の角度（α１２）よりも大きく形成され、
第１傾斜部と第２傾斜部間の角度で、第１仮想延長線と第３仮想延長線の交点（ｍ１３’）と第１端部とを結ぶ仮想直線（１８）側の角度（α１３）が直角以下であることを特徴とするカートン用切れ目線。
【請求項９】
シート状の紙製ブランクにより形成されたカートンに用いるカートン用切れ目線であって、
該カートン用切れ目線が、複数の切込み（１０）を間隔を介して列状に配設してなり、
切込みが、
第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
直線部が、第２傾斜部の第２接触点とは反対側の端部である第３接触点（ｍ１３）から形成され、第３接触点と直線部の第３接触点とは反対側の端部である第２端部（ｍ１４）間に直線状に切れ目線開封方向に沿って形成され、第３接触点が第２端部よりも切れ目線開封方向において前側にあり、
第１端部と第１接触点とが、直線部の切れ目線開封方向において前側への仮想延長線である第１仮想延長線（ｅ１６）を介して両側に配置され、
直線部の切れ目線開封方向への仮想延長線である第２仮想延長線（ｆ１６）が切れ目線開封方向において後側に隣接する他の第１切込みの第１傾斜部と交わり、
第１傾斜部が、第１端部が第１接触点よりも切れ目線開封方向において前側に位置するように第１仮想延長線に対して傾斜して形成され、
第１傾斜部の該第１仮想延長線との間の鋭角の角度（α１１）が、第２傾斜部の該第１仮想延長線との間の鋭角の角度（α１２）よりも大きく形成され、
第１傾斜部と第２傾斜部間の角度で、第３接触点と第１端部とを結ぶ仮想直線（１８）側の角度（α１３）が直角以下であることを特徴とするカートン用切れ目線。
【請求項１０】
第１端部から第１仮想延長線までの長さ（Ｌ１１）が、第１接触点と第２接触点間に形成されたアール部から第１仮想延長線までの最大長さ（Ｌ１２’）よりも長いことを特徴とする請求項８又は９に記載のカートン用切れ目線。
【請求項１１】
シート状の紙製ブランクにより形成されたカートンに用いるカートン用ジッパーであって、
第１切れ目線と第２切れ目線とを有し、
第１切れ目線が、複数の第１切込み（６０、７０）を間隔を介して列状に配設してなり
、
第１切込みが、
第１傾斜部（６２、７２）と、第１傾斜部の一方の端部である第１接触点（ｍ６２、ｍ７２）から形成された第２傾斜部（６４、７４）と、第２傾斜部の第１接触点とは反対側の端部である第２接触点（ｍ６３、ｍ７３）から形成された直線部（６６、７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、直線部が、第２接触点と直線部の第２接触点とは反対側の端部である第２端部（ｍ６４、ｍ７４）間に直線状にジッパー開封方向に沿って形成され、第２接触点が第２端部よりもジッパー開封方向において前側にあり、
第１端部と第１接触点とが、直線部のジッパー開封方向において前側への仮想延長線である第１仮想延長線（ｅ６６、ｅ７６）を介して両側に配置され、
直線部のジッパー開封方向への仮想延長線である第２仮想延長線（ｆ６６、ｆ７６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第２傾斜部の一方の端部である第１接触点は、第２傾斜部の他方の端部である第２接触点よりもジッパー開封方向において前側に位置し、
第１傾斜部の該第１仮想延長線との間の鋭角の角度（α６１、α７１）が、第２傾斜部の第２接触点における接線（６４−１’、７４−１’）の該第１仮想延長線との間の鋭角の角度（α６２、α７２）よりも大きく形成され、
第１傾斜部と第２傾斜部間の角度で、第１端部と第２接触点とを結ぶ仮想直線（６８、７８）側の角度（α６３、α７３）が直角以下であり、
第２切れ目線が、第１切れ目線との間の中心線を介して対称形状に形成され、第２切れ目線が、複数の第２切込み（７０、６０）を間隔を介して列状に配設してなり、第２切れ目線における各第２切込みが該中心線を介して第１切れ目線における第１切込みと対称形状に形成されていることを特徴とするカートン用ジッパー。
【請求項１２】
第１端部から第１仮想延長線までの長さ（Ｌ６１、Ｌ７１）が、第１接触点から第１仮想延長線までの長さ（Ｌ６２、Ｌ７２）よりも長いことを特徴とする請求項１１に記載のカートン用ジッパー。
【請求項１３】
シート状の紙製ブランクにより形成されたカートンに用いるカートン用ジッパーであって、
第１切れ目線と第２切れ目線とを有し、
第１切れ目線が、複数の第１切込み（６０）を間隔を介して列状に配設してなり、
第１切込みが、
第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（６５）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
直線部が、第４接触点と直線部の第４接触点とは反対側の端部である第２端部（ｍ６４）間に直線状にジッパー開封方向に沿って形成され、第４接触点が第２端部よりもジッパ
ー開封方向において前側にあり、
第１端部と第１接触点とが、直線部のジッパー開封方向において前側への仮想延長線である第１仮想延長線（ｅ６６）を介して両側に配置され、
直線部のジッパー開封方向への仮想延長線である第２仮想延長線（ｆ６６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第２傾斜部の一方の端部である第２接触点は、第２傾斜部の他方の端部である第３接触点よりもジッパー開封方向において前側に位置し、
第１傾斜部の該第１仮想延長線との間の鋭角の角度（α６１）が、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度（α６２）よりも大きく形成され、
第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【請求項１４】
シート状の紙製ブランクにより形成されたカートンに用いるカートン用ジッパーであって、
第１切れ目線と第２切れ目線とを有し、
第１切れ目線が、複数の第１切込み（６０）を間隔を介して列状に配設してなり、
第１切込みが、
第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（６３）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
直線部が、第２傾斜部の第２接触点とは反対側の端部である第３接触点（ｍ６３）から形成され、第３接触点と直線部の第３接触点とは反対側の端部である第２端部（ｍ６４）間に直線状にジッパー開封方向に沿って形成され、第３接触点が第２端部よりもジッパー開封方向において前側にあり、
第１端部と第１接触点とが、直線部のジッパー開封方向において前側への仮想延長線である第１仮想延長線（ｅ６６）を介して両側に配置され、
直線部のジッパー開封方向への仮想延長線である第２仮想延長線（ｆ６６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第２傾斜部の一方の端部である第２接触点は、第２傾斜部の他方の端部である第３接触点よりもジッパー開封方向において前側に位置し、
第１傾斜部の該第１仮想延長線との間の鋭角の角度（α６１）が、第２傾斜部の第３接触点における接線（６４−１’）の該第１仮想延長線との間の鋭角の角度（α６２）より
も大きく形成され、
第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【請求項１５】
第１端部から第１仮想延長線までの長さ（Ｌ６１）が、第１接触点と第２接触点間に形成されたアール部から第１仮想延長線までの最大長さ（Ｌ６２’）よりも長いことを特徴とする請求項１３又は１４に記載のカートン用ジッパー。
【請求項１６】
シート状の紙製ブランクにより形成されたカートンに用いるカートン用切れ目線であって、
該カートン用切れ目線が、複数の切込み（６０、７０）を間隔を介して列状に配設してなり、
切込みが、
第１傾斜部（６２、７２）と、第１傾斜部の一方の端部である第１接触点（ｍ６２、ｍ７２）から形成された第２傾斜部（６４、７４）と、第２傾斜部の第１接触点とは反対側の端部である第２接触点（ｍ６３、ｍ７４）から形成された直線部（６６、７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、直線部が、第２接触点と直線部の第２接触点とは反対側の端部である第２端部（ｍ６４、ｍ７４）間に直線状に切れ目線開封方向に沿って形成され、第２接触点が第２端部よりも切れ目線開封方向において前側にあり、
第１端部と第１接触点とが、直線部の切れ目線開封方向において前側への仮想延長線である第１仮想延長線（ｅ６６、ｅ７６）を介して両側に配置され、
直線部の切れ目線開封方向への仮想延長線である第２仮想延長線（ｆ６６、ｆ７６）が切れ目線開封方向において後側に隣接する他の第１切込みの第１傾斜部と交わり、
第１傾斜部が、第１端部が第１接触点よりも切れ目線開封方向において前側に位置するように第１仮想延長線に対して傾斜して形成され、
第２傾斜部の一方の端部である第１接触点は、第２傾斜部の他方の端部である第２接触点よりも切れ目線開封方向において前側に位置し、
第１傾斜部の該第１仮想延長線との間の鋭角の角度（α６１、α７１）が、第２傾斜部の第２接触点における接線（６４−１’、７４−１’）の該第１仮想延長線との間の鋭角の角度（α６２、α７２）よりも大きく形成され、
第１傾斜部と第２傾斜部間の角度で、第１端部と第２接触点とを結ぶ仮想直線（６８、７８）側の角度（α６３、α７３）が直角以下であることを特徴とするカートン用切れ目線。
【請求項１７】
第１端部から第１仮想延長線までの長さ（Ｌ６１、Ｌ７１）が、第１接触点から第１仮想延長線までの長さ（Ｌ６２、Ｌ７２）よりも長いことを特徴とする請求項１６に記載のカートン用切れ目線。
【請求項１８】
シート状の紙製ブランクにより形成されたカートンに用いるカートン用切れ目線であって、
該カートン用切れ目線が、複数の切込み（６０）を間隔を介して列状に配設してなり、
切込みが、
第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（６５）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
直線部が、第４接触点と直線部の第４接触点とは反対側の端部である第２端部（ｍ６４）間に直線状に切れ目線開封方向に沿って形成され、第４接触点が第２端部よりも切れ目線開封方向において前側にあり、
第１端部と第１接触点とが、直線部の切れ目線開封方向において前側への仮想延長線である第１仮想延長線（ｅ６６）を介して両側に配置され、
直線部の切れ目線開封方向への仮想延長線である第２仮想延長線（ｆ６６）が切れ目線開封方向において後側に隣接する他の第１切込みの第１傾斜部と交わり、
第１傾斜部が、第１端部が第１接触点よりも切れ目線開封方向において前側に位置するように第１仮想延長線に対して傾斜して形成され、
第２傾斜部の一方の端部である第２接触点は、第２傾斜部の他方の端部である第３接触点よりも切れ目線開封方向において前側に位置し、
第１傾斜部の該第１仮想延長線との間の鋭角の角度（α６１）が、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度（α６２）よりも大きく形成され、
第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下であることを特徴とするカートン用切れ目線。
【請求項１９】
シート状の紙製ブランクにより形成されたカートンに用いるカートン用切れ目線であって、
該カートン用切れ目線が、複数の切込み（６０）を間隔を介して列状に配設してなり、
切込みが、
第１傾斜部（６２）と、第２傾斜部（６４）と、直線部（６６）と、第１傾斜部の一方の端部である第１接触点（ｍ１２ａ）と第２傾斜部の一方の端部である第２接触点（ｍ１２ｂ）の間に形成されたアール部で、第１接触点で第１傾斜部と接するとともに第２接触点で第２傾斜部と接するアール部（６３）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
直線部が、第２傾斜部の第２接触点とは反対側の端部である第３接触点（ｍ６３）から形成され、第３接触点と直線部の第３接触点とは反対側の端部である第２端部（ｍ６４）間に直線状に切れ目線開封方向に沿って形成され、第３接触点が第２端部よりも切れ目線開封方向において前側にあり、
第１端部と第１接触点とが、直線部の切れ目線開封方向において前側への仮想延長線である第１仮想延長線（ｅ６６）を介して両側に配置され、
直線部の切れ目線開封方向への仮想延長線である第２仮想延長線（ｆ６６）が切れ目線開封方向において後側に隣接する他の第１切込みの第１傾斜部と交わり、
第１傾斜部が、第１端部が第１接触点よりも切れ目線開封方向において前側に位置するように第１仮想延長線に対して傾斜して形成され、
第２傾斜部の一方の端部である第２接触点は、第２傾斜部の他方の端部である第３接触点よりも切れ目線開封方向において前側に位置し、
第１傾斜部の該第１仮想延長線との間の鋭角の角度（α６１）が、第２傾斜部の第３接触点における接線（６４−１’）の該第１仮想延長線との間の鋭角の角度（α６２）よりも大きく形成され、
第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下であることを特徴とするカートン用切れ目線。
【請求項２０】
第１端部から第１仮想延長線までの長さ（Ｌ６１）が、第１接触点と第２接触点間に形成されたアール部から第１仮想延長線までの最大長さ（Ｌ６２’）よりも長いことを特徴とする請求項１８又は１９に記載のカートン用切れ目線。
【請求項２１】
シート状の紙製ブランクにより形成されたカートンに用いるカートン用ジッパーであって、
第１切れ目線と第２切れ目線とを有し、
第１切れ目線が、複数の第１切込み（４１０、４２０）を間隔を介して列状に配設してなり、
第１切込みが、
第１傾斜部（４１２、４２２）と、第１傾斜部の一方の端部である第１接触点（ｍ１２、ｍ２２）から形成された第２傾斜部（４１４、４２４）と、第２傾斜部の第１接触点とは反対側の端部である第２接触点（ｍ１３、ｍ２３）から形成された第３傾斜部（４１６、４２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、第３傾斜部が、第２接触点と第３傾斜部の第２接触点とは反対側の端部である第２端部（ｍ１４、ｍ２４）間に直線状にジッパー開封方向に対して傾斜して形成され、第２端部がジッパー開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりもジッパー開封方向において前側にあり、
第１端部と第１接触点とが、該仮想直線を介して両側に配置され、
第３傾斜部のジッパー開封方向において後側への仮想延長線（ｆ１６、ｆ２６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第１接触点は、第２傾斜部の他方の端部である第２接触点よりもジッパー開封方向において前側に位置し、
第１傾斜部の該仮想直線との間の鋭角の角度（α１１、α２１）が、第２傾斜部の該仮想直線との間の鋭角の角度（α１２、α２２）よりも大きく形成され、
第１傾斜部と第２傾斜部間の角度で、第１端部と第２接触点とを結ぶ第２仮想直線（４１８、４２８）側の角度（α１３、α２３）が直角以下であり、
第２切れ目線が、第１切れ目線との間の中心線を介して対称形状に形成され、第２切れ
目線が、複数の第２切込み（４２０、４１０）を間隔を介して列状に配設してなり、第２切れ目線における各第２切込みが該中心線を介して第１切れ目線における第１切込みと対称形状に形成されていることを特徴とするカートン用ジッパー。
【請求項２２】
第１端部から仮想直線までの長さ（Ｌ１１、Ｌ２１）が、第１接触点から仮想直線までの長さ（Ｌ１２、Ｌ２２）よりも長いことを特徴とする請求項２１に記載のカートン用ジッパー。
【請求項２３】
シート状の紙製ブランクにより形成されたカートンに用いるカートン用ジッパーであって、
第１切れ目線と第２切れ目線とを有し、
第１切れ目線が、複数の第１切込み（４１０）を間隔を介して列状に配設してなり、
第１切込みが、
第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（４１５）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
第３傾斜部が、第４接触点と第３傾斜部の第４接触点とは反対側の端部である第２端部（ｍ１４）間に直線状にジッパー開封方向に対して傾斜して形成され、第２端部がジッパー開封方向の仮想直線で、第３傾斜部のジッパー開封方向において前側への仮想延長線である第１仮想延長線（ｇ１６）と第２傾斜部の第３接触点からの第２仮想延長線（ｅ１４）の交点（ｍ１３’）を通る仮想直線（ｅ１６’）を介して第２接触点とは反対側にあり、第１仮想延長線と仮想直線とがなす鋭角（α１６）が、第２仮想延長線と仮想直線とがなす鋭角（α１２）よりも小さく形成され、第４接触点が第２端部よりもジッパー開封方向において前側にあり、
第１端部と第１接触点とが、仮想直線を介して両側に配置され、
第３傾斜部のジッパー開封方向において後側への仮想延長線である第３仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触点よりもジッパー開封方向において前側に位置し、
第１傾斜部の該仮想直線との間の鋭角の角度（α１１）が、第２仮想延長線の該仮想直線との間の鋭角の角度（α１２）よりも大きく形成され、
第１傾斜部と第２傾斜部間の角度で、第１仮想延長線と第２仮想延長線の交点（ｍ１３’）と第１端部とを結ぶ第２仮想直線（４１８）側の角度（α１３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【請求項２４】
シート状の紙製ブランクにより形成されたカートンに用いるカートン用ジッパーであって、
第１切れ目線と第２切れ目線とを有し、
第１切れ目線が、複数の第１切込み（４１０）を間隔を介して列状に配設してなり、
第１切込みが、
第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
第３傾斜部が、第２傾斜部の第２接触点とは反対側の端部である第３接触点（ｍ１３）から形成され、第３接触点と第３傾斜部の第３接触点とは反対側の端部である第２端部（ｍ１４）間に直線状にジッパー開封方向に対して傾斜して形成され、第２端部がジッパー開封方向の仮想直線で第３接触点を通る仮想直線（ｅ１６’）を介して第２接触点とは反対側にあり、第３傾斜部と仮想直線とがなす鋭角（α１６）が、第２傾斜部と仮想直線とがなす鋭角（α１２）よりも小さく形成され、第３接触点が第２端部よりもジッパー開封方向において前側にあり、
第１端部と第１接触点とが、該仮想直線を介して両側に配置され、
第３傾斜部のジッパー開封方向において後側への仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触点よりもジッパー開封方向において前側に位置し、
第１傾斜部の該仮想直線との間の鋭角の角度（α１１）が、第２傾斜部の該仮想直線との間の鋭角の角度（α１２）よりも大きく形成され、
第１傾斜部と第２傾斜部間の角度で、第３接触点と第１端部とを結ぶ第２仮想直線（４１８）側の角度（α１３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【請求項２５】
第１端部から仮想直線までの長さ（Ｌ１１）が、第１接触点と第２接触点間に形成されたアール部から仮想直線までの最大長さ（Ｌ１２’）よりも長いことを特徴とする請求項２３又は２４に記載のカートン用ジッパー。
【請求項２６】
シート状の紙製ブランクにより形成されたカートンに用いるカートン用切れ目線であって、
該カートン用切れ目線が、複数の切込み（４１０、４２０）を間隔を介して列状に配設してなり、
切込みが、
第１傾斜部（４１２、４２２）と、第１傾斜部の一方の端部である第１接触点（ｍ１２、ｍ２２）から形成された第２傾斜部（４１４、４２４）と、第２傾斜部の第１接触点とは反対側の端部である第２接触点（ｍ１３、ｍ２３）から形成された第３傾斜部（４１６、４２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、第３傾斜部が、第２接触点と第３傾斜部の第２接触点とは反対側の端部である第２端部（ｍ１４、ｍ２４）間に直線状に切れ目線開封方向に対して傾斜して形成され、第２端部が切れ目線開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりも切れ目線開封方向において前側にあり、
第１端部と第１接触点とが、該仮想直線を介して両側に配置され、
第３傾斜部の切れ目線開封方向において後側への仮想延長線（ｆ１６、ｆ２６）が切れ目線開封方向において後側に隣接する他の第１切込みの第１傾斜部と交わり、
第１傾斜部が、第１端部が第１接触点よりも切れ目線開封方向において前側に位置するように仮想直線に対して傾斜して形成され、
第２傾斜部の一方の端部である第１接触点は、第２傾斜部の他方の端部である第２接触点よりも切れ目線開封方向において前側に位置し、
第１傾斜部の該仮想直線との間の鋭角の角度（α１１、α２１）が、第２傾斜部の該仮想直線との間の鋭角の角度（α１２、α２２）よりも大きく形成され、
第１傾斜部と第２傾斜部間の角度で、第１端部と第２接触点とを結ぶ第２仮想直線（４１８、４２８）側の角度（α１３、α２３）が直角以下であることを特徴とするカートン用切れ目線。
【請求項２７】
第１端部から仮想直線までの長さ（Ｌ１１）が、第１接触点から仮想直線までの長さ（Ｌ１２）よりも長いことを特徴とする請求項２６に記載のカートン用切れ目線。
【請求項２８】
シート状の紙製ブランクにより形成されたカートンに用いるカートン用切れ目線であって、
該カートン用切れ目線が、複数の切込み（４１０）を間隔を介して列状に配設してなり、
切込みが、
第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（４１５）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
第３傾斜部が、第４接触点と第３傾斜部の第４接触点とは反対側の端部である第２端部（ｍ１４）間に直線状に切れ目線開封方向に対して傾斜して形成され、第２端部がジッパー開封方向の仮想直線で、第３傾斜部の切れ目線開封方向において前側への仮想延長線である第１仮想延長線（ｇ１６）と第２傾斜部の第３接触点からの第２仮想延長線（ｅ１４）の交点（ｍ１３’）を通る仮想直線（ｅ１６’）を介して第２接触点とは反対側にあり、第１仮想延長線と仮想直線とがなす鋭角（α１６）が、第２仮想延長線と仮想直線とがなす鋭角（α１２）よりも小さく形成され、第４接触点が第２端部よりも切れ目線開封方向において前側にあり、
第１端部と第１接触点とが、仮想直線を介して両側に配置され、
第３傾斜部の切れ目線開封方向において後側への仮想延長線である第３仮想延長線（ｆ１６）が切れ目線開封方向において後側に隣接する他の第１切込みの第１傾斜部と交わり、
第１傾斜部が、第１端部が第１接触点よりも切れ目線開封方向において前側に位置するように仮想直線に対して傾斜して形成され、
第２傾斜部の一方の端部である第２接触点は、第２傾斜部の他方の端部である第３接触点よりも切れ目線開封方向において前側に位置し、
第１傾斜部の該仮想直線との間の鋭角の角度（α１１）が、第２仮想延長線の該仮想直線との間の鋭角の角度（α１２）よりも大きく形成され、
第１傾斜部と第２傾斜部間の角度で、第１仮想延長線と第２仮想延長線の交点（ｍ１３’）と第１端部とを結ぶ第２仮想直線（４１８）側の角度（α１３）が直角以下であることを特徴とするカートン用切れ目線。
【請求項２９】
シート状の紙製ブランクにより形成されたカートンに用いるカートン用切れ目線であって、
該カートン用切れ目線が、複数の切込み（４１０）を間隔を介して列状に配設してなり、
切込みが、
第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
第３傾斜部が、第２傾斜部の第２接触点とは反対側の端部である第３接触点（ｍ１３）から形成され、第３接触点と第３傾斜部の第３接触点とは反対側の端部である第２端部（ｍ１４）間に直線状に切れ目線開封方向に対して傾斜して形成され、第２端部が切れ目線開封方向の仮想直線で第３接触点を通る仮想直線（ｅ１６’）を介して第２接触点とは反対側にあり、第３傾斜部と仮想直線とがなす鋭角（α１６）が、第２傾斜部と仮想直線とがなす鋭角（α１２）よりも小さく形成され、第３接触点が第２端部よりも切れ目線開封方向において前側にあり、
第１端部と第１接触点とが、該仮想直線を介して両側に配置され、
第３傾斜部の切れ目線開封方向において後側への仮想延長線（ｆ１６）が切れ目線開封方向において後側に隣接する他の第１切込みの第１傾斜部と交わり、
第１傾斜部が、第１端部が第１接触点よりも切れ目線開封方向において前側に位置するように仮想直線に対して傾斜して形成され、
第２傾斜部の一方の端部である第２接触点は、第２傾斜部の他方の端部である第３接触点よりも切れ目線開封方向において前側に位置し、
第１傾斜部の該仮想直線との間の鋭角の角度（α１１）が、第２傾斜部の該仮想直線との間の鋭角の角度（α１２）よりも大きく形成され、
第１傾斜部と第２傾斜部間の角度で、第３接触点と第１端部とを結ぶ第２仮想直線（４１８）側の角度（α１３）が直角以下であることを特徴とするカートン用切れ目線。
【請求項３０】
第１端部から仮想直線までの長さ（Ｌ１１）が、第１接触点と第２接触点間に形成されたアール部から仮想直線までの最大長さ（Ｌ１２’）よりも長いことを特徴とする請求項２８又は２９に記載のカートン用切れ目線。
【請求項３１】
シート状の紙製ブランクにより形成されたカートンに用いるカートン用ジッパーであって、
第１切れ目線と第２切れ目線とを有し、
第１切れ目線が、複数の第１切込み（４６０、４７０）を間隔を介して列状に配設してなり、
第１切込みが、
第１傾斜部（４６２、４７２）と、第１傾斜部の一方の端部である第１接触点（ｍ６２、ｍ７２）から形成された第２傾斜部（４６４、４７４）と、第２傾斜部の第１接触点とは反対側の端部である第２接触点（ｍ６３、ｍ７３）から形成された第３傾斜部（４６６
、４７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、第３傾斜部が、第２接触点と第３傾斜部の第２接触点とは反対側の端部である第２端部（ｍ６４、ｍ７４）間に直線状にジッパー開封方向に対して傾斜して形成され、第２端部がジッパー開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりもジッパー開封方向において前側にあり、
第１端部と第１接触点とが、該仮想直線を介して両側に配置され、
第３傾斜部のジッパー開封方向への仮想延長線（ｆ６６、ｆ７６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触点よりもジッパー開封方向において前側に位置し、
第１傾斜部の該仮想直線との間の鋭角の角度（α６１、α７１）が、第２傾斜部の第２接触点における接線（４６４−１’、４７４−１’）の該仮想直線との間の鋭角の角度（α６２、α７２）よりも大きく形成され、
第１傾斜部と第２傾斜部間の角度で、第１端部と第２接触点とを結ぶ第２仮想直線（４６８、４７８）側の角度（α６３、α７３）が直角以下であり、
第２切れ目線が、第１切れ目線との間の中心線を介して対称形状に形成され、第２切れ目線が、複数の第２切込み（４７０、４６０）を間隔を介して列状に配設してなり、第２切れ目線における各第２切込みが該中心線を介して第１切れ目線における第１切込みと対称形状に形成されていることを特徴とするカートン用ジッパー。
【請求項３２】
第１端部から仮想直線までの長さ（Ｌ６１、Ｌ７１）が、第１接触点から仮想直線までの長さ（Ｌ６２、Ｌ７２）よりも長いことを特徴とする請求項３１に記載のカートン用ジッパー。
【請求項３３】
シート状の紙製ブランクにより形成されたカートンに用いるカートン用ジッパーであって、
第１切れ目線と第２切れ目線とを有し、
第１切れ目線が、複数の第１切込み（４６０）を間隔を介して列状に配設してなり、
第１切込みが、
第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（４６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（４６５）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
第３傾斜部が、第４接触点と第３傾斜部の第４接触点とは反対側の端部である第２端部（ｍ６４）間に直線状にジッパー開封方向に対して傾斜して形成され、第２端部がジッパー開封方向の仮想直線で、第３傾斜部のジッパー開封方向において前側への仮想延長線である第１仮想延長線（ｇ６６）と第２傾斜部の第３接触点からの仮想延長線で第２傾斜部と同一曲率の仮想延長線である第２仮想延長線（４６４−１）の交点（ｍ６３’）を通る
仮想直線（ｅ６６’）を介して第２接触点とは反対側にあり、第１仮想延長線と仮想直線とがなす鋭角（α６６）が、第２仮想延長線と仮想直線とがなす鋭角（α６２）よりも小さく形成され、第４接触点が第２端部よりもジッパー開封方向において前側にあり、
第１端部と第１接触点とが、仮想直線を介して両側に配置され、
第３傾斜部のジッパー開封方向への仮想延長線である第２仮想延長線（ｆ６６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触点よりもジッパー開封方向において前側に位置し、
第１傾斜部の該仮想直線との間の鋭角の角度（α６１）が、第２仮想延長線（４６４−１）の該仮想直線との交点（ｍ６３’）における第２仮想延長線の接線（４６４−１’）の該仮想直線との間の鋭角の角度（α６２）よりも大きく形成され、
第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’）と第１端部とを結ぶ第２仮想直線（４６８）側の角度（α６３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【請求項３４】
シート状の紙製ブランクにより形成されたカートンに用いるカートン用ジッパーであって、
第１切れ目線と第２切れ目線とを有し、
第１切れ目線が、複数の第１切込み（４６０）を間隔を介して列状に配設してなり、
第１切込みが、
第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（４６３）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
第３傾斜部が、第２傾斜部の第２接触点とは反対側の端部である第３接触点（ｍ６３）から形成され、第３接触点と直線部の第３接触点とは反対側の端部である第２端部（ｍ６４）間に直線状にジッパー開封方向に対して傾斜して形成され、
第２端部がジッパー開封方向の仮想直線で、第３接触点を通る仮想直線（ｅ６６’）を介して第２接触点とは反対側にあり、第３傾斜部と仮想直線とがなす鋭角（α６６）が、第２傾斜部の第３接触点における接線（４６４−１’）と仮想直線とがなす鋭角（α６２）よりも小さく形成され、第３接触点が第２端部よりもジッパー開封方向において前側にあり、
第１端部と第１接触点とが、該仮想直線を介して両側に配置され、
第３傾斜部のジッパー開封方向への仮想延長線（ｆ６６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触
点よりもジッパー開封方向において前側に位置し、
第１傾斜部の該仮想直線との間の鋭角の角度（α６１）が、第２傾斜部の第３接触点における接線（４６４−１’）の該仮想直線との間の鋭角の角度（α６２）よりも大きく形成され、
第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【請求項３５】
第１端部から仮想直線までの長さ（Ｌ６１）が、第１接触点と第２接触点間に形成されたアール部から仮想直線までの最大長さ（Ｌ６２’）よりも長いことを特徴とする請求項３３又は３４に記載のカートン用ジッパー。
【請求項３６】
シート状の紙製ブランクにより形成されたカートンに用いるカートン用切れ目線であって、
該カートン用切れ目線が、複数の切込み（４６０、４７０）を間隔を介して列状に配設してなり、
切込みが、
第１傾斜部（４６２、４７２）と、第１傾斜部の一方の端部である第１接触点（ｍ６２、ｍ７２）から形成された第２傾斜部（４６４、４７４）と、第２傾斜部の第１接触点とは反対側の端部である第２接触点（ｍ６３、ｍ７３）から形成された第３傾斜部（４６６、４７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、第３傾斜部が、第２接触点と第３傾斜部の第２接触点とは反対側の端部である第２端部（ｍ６４、ｍ７４）間に直線状に切れ目線開封方向に対して傾斜して形成され、第２端部が切れ目線開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりも切れ目線開封方向において前側にあり、
第１端部と第１接触点とが、該仮想直線を介して両側に配置され、
第３傾斜部の切れ目線開封方向への仮想延長線（ｆ６６、ｆ７６）が切れ目線開封方向において後側に隣接する他の第１切込みの第１傾斜部と交わり、
第１傾斜部が、第１端部が第１接触点よりも切れ目線開封方向において前側に位置するように仮想直線に対して傾斜して形成され、
第２傾斜部の一方の端部である第１接触点は、第２傾斜部の他方の端部である第２接触点よりも切れ目線開封方向において前側に位置し、
第１傾斜部の該仮想直線との間の鋭角の角度（α６１、α７１）が、第２傾斜部の第２接触点における接線（４６４−１’、４７４−１’）の該仮想直線との間の鋭角の角度（α６２、α７２）よりも大きく形成され、
第１傾斜部と第２傾斜部間の角度で、第１端部と第２接触点とを結ぶ第２仮想直線（４６８、４７８）側の角度（α６３、α７３）が直角以下であることを特徴とするカートン用切れ目線。
【請求項３７】
第１端部から仮想直線までの長さ（Ｌ６１、Ｌ７１）が、第１接触点から仮想直線までの長さ（Ｌ６２、Ｌ７２）よりも長いことを特徴とする請求項３６に記載のカートン用切れ目線。
【請求項３８】
シート状の紙製ブランクにより形成されたカートンに用いるカートン用切れ目線であって、
該カートン用切れ目線が、複数の切込み（４６０）を間隔を介して列状に配設してなり、
切込みが、
第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（４６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（４６５）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
第３傾斜部が、第４接触点と第３傾斜部の第４接触点とは反対側の端部である第２端部（ｍ６４）間に直線状に切れ目線開封方向に対して傾斜して形成され、第２端部が切れ目線開封方向の仮想直線で、第３傾斜部の切れ目線開封方向において前側への仮想延長線である第１仮想延長線（ｇ６６）と第２傾斜部の第３接触点からの仮想延長線で第２傾斜部と同一曲率の仮想延長線である第２仮想延長線（４６４−１）の交点（ｍ６３’）を通る仮想直線（ｅ６６’）を介して第２接触点とは反対側にあり、第１仮想延長線と仮想直線とがなす鋭角（α６６）が、第２仮想延長線と仮想直線とがなす鋭角（α６２）よりも小さく形成され、第４接触点が第２端部よりも切れ目線開封方向において前側にあり、
第１端部と第１接触点とが、仮想直線を介して両側に配置され、
第３傾斜部の切れ目線開封方向への仮想延長線である第２仮想延長線（ｆ６６）が切れ目線開封方向において後側に隣接する他の第１切込みの第１傾斜部と交わり、
第１傾斜部が、第１端部が第１接触点よりも切れ目線開封方向において前側に位置するように仮想直線に対して傾斜して形成され、
第２傾斜部の一方の端部である第２接触点は、第２傾斜部の他方の端部である第３接触点よりも切れ目線開封方向において前側に位置し、
第１傾斜部の該仮想直線との間の鋭角の角度（α６１）が、第２仮想延長線（４６４−１）の該仮想直線との交点（ｍ６３’）における第２仮想延長線の接線（４６４−１’）との間の鋭角の角度（α６２）よりも大きく形成され、
第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’）と第１端部とを結ぶ仮想直線（４６８）側の角度（α６３）が直角以下であることを特徴とするカートン用切れ目線。
【請求項３９】
シート状の紙製ブランクにより形成されたカートンに用いるカートン用切れ目線であって、
該カートン用切れ目線が、複数の切込み（４６０）を間隔を介して列状に配設してなり、
切込みが、
第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（４６３）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
第３傾斜部が、第２傾斜部の第２接触点とは反対側の端部である第３接触点（ｍ６３）から形成され、第３接触点と直線部の第３接触点とは反対側の端部である第２端部（ｍ６４）間に直線状に切れ目線開封方向に対して傾斜して形成され、
第２端部が切れ目線開封方向の仮想直線で、第３接触点を通る仮想直線（ｅ６６’）を介して第２接触点とは反対側にあり、第３傾斜部と仮想直線とがなす鋭角（α６６）が、第２傾斜部の第３接触点における接線（４６４−１’）と仮想直線とがなす鋭角（α６２）よりも小さく形成され、第３接触点が第２端部よりも切れ目線開封方向において前側にあり、
第１端部と第１接触点とが、該仮想直線を介して両側に配置され、
第３傾斜部の切れ目線開封方向への仮想延長線（ｆ６６）が切れ目線開封方向において後側に隣接する他の第１切込みの第１傾斜部と交わり、
第１傾斜部が、第１端部が第１接触点よりも切れ目線開封方向において前側に位置するように仮想直線に対して傾斜して形成され、
第２傾斜部の一方の端部である第２接触点は、第２傾斜部の他方の端部である第３接触点よりも切れ目線開封方向において前側に位置し、
第１傾斜部の該仮想直線との間の鋭角の角度（α６１）が、第２傾斜部の第３接触点における接線（４６４−１’）の該仮想直線との間の鋭角の角度（α６２）よりも大きく形成され、
第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であることを特徴とするカートン用切れ目線。
【請求項４０】
第１端部から仮想直線までの長さ（Ｌ６１）が、第１接触点と第２接触点間に形成されたアール部から仮想直線までの最大長さ（Ｌ６２’）よりも長いことを特徴とする請求項３８又は３９に記載のカートン用切れ目線。
【請求項４１】
シート状の紙製ブランクにより形成されたカートンであって、
請求項１又は２又は３又は４又は５又は１１又は１２又は１３又は１４又は１５又は２１又は２２又は２３又は２４又は２５又は３１又は３２又は３３又は３４又は３５に記載のカートン用ジッパーが形成されていることを特徴とするカートン。
【請求項４２】
シート状の紙製ブランクにより形成されたカートンであって、
請求項６又は７又は８又は９又は１０又は１６又は１７又は１８又は１９又は２０又は２６又は２７又は２８又は２９又は３０又は３６又は３７又は３８又は３９又は４０に記載のカートン用切れ目線が形成されていることを特徴とするカートン。
【発明の詳細な説明】
【技術分野】
【０００１】
本発明は、カートン用の切断構造に関するものであり、カートン用のジッパーや切れ目線に関するものである。
【背景技術】
【０００２】
従来より、カートン用のジッパーの形状としては、図３９に示す形状のものが広く知られている。
【０００３】
すなわち、図３９に示すジッパーＰは、互いに平行に２列に形成された切れ目線Ｐ１、Ｐ２と、開封開始位置の片部２３０を形成するための切込みＰ３とを有している。ジッパーＰは、カートンを構成するシート状のブランク（例えば、段ボールや厚紙）に形成されている。
【０００４】
ここで、切れ目線Ｐ１は、複数の切込み２１０を間隔を介して一列に配設したもので、各切込み２１０は、開封方向（Ｘ１−Ｘ２方向）に形成された直線部２１２と、直線部２１２の開封方向前側（Ｘ１側）の端部から内側に向けて傾斜して直線状に形成された傾斜部２１４とを有し、直線部２１２と傾斜部２１４のなす内側の角度α２１０が鈍角となっている。各切込み２１０において、直線部２１２は同一直線上に形成されている。
【０００５】
また、切れ目線Ｐ２は、複数の切込み２２０を間隔を介して一列に配設したもので、各切込み２２０は、開封方向に形成された直線部２２２と、直線部２２２のＸ１側の端部から内側に向けて傾斜して直線状に形成された傾斜部２２４とを有し、直線部２２２と傾斜部２２４のなす内側の角度α２２０が鈍角となっている。各切込み２２０において、直線部２２２は同一直線上に形成されている。
【０００６】
切れ目線Ｐ１と切れ目線Ｐ２とは切れ目線Ｐ１と切れ目線Ｐ２間の開封方向の中心線Ｐｈを介して線対称に形成されていて、切込み２１０と切込み２２０とは互いに対向して形成されている。
【０００７】
また、切込みＰ３は、略コ字状を呈し、Ｘ２側に開口した略コ字状を呈している。つまり、切込みＰ３は、直線部２１２の延長線上に形成された直線状の切込み２３２と、直線部２２２の延長線上に形成された直線状の切込み２３４と、切込み２３２と切込み２３４のＸ１側の端部間を結び、該中心線Ｐｈに対して直角をなす切込み２３６とを有している。この切込みＰ３により囲まれた領域（つまり、切込みＰ３と、切込み２３２のＸ２側の端部と切込み２３４のＸ２側の端部とを結ぶ直線により囲まれた領域）が、片部２３０となる。
【０００８】
つまり、ジッパーＰにおいては、片部２３０を起こして手でつかみ、Ｘ２方向に引っぱることにより、隣接する切込み２１０間の隙間と隣接する切込み２２０間の隙間が破れてジッパーＰがブランクから分離する。
【０００９】
また、特許文献１に示すカートン用のジッパーの形状として、図４１に示す形状のものも知られている。
【００１０】
すなわち、図４１に示すジッパーＱは、互いに平行に２列に形成された切れ目線Ｑ１、Ｑ２と、開封開始位置の片部３３０を形成するための切込みＰ３とを有している。ジッパーＰは、カートンを構成するシート状のブランク（例えば、段ボールや厚紙）に形成されている。
【００１１】
ここで、切れ目線Ｑ１は、複数の切込み３１０を間隔を介して一列に配設したもので、各切込み３１０は、Ｙ字状を呈している。つまり、切込み３１０は、開封方向（Ｘ１−Ｘ２方向）に形成された直線部３１２と、直線部３１２の開封方向前側（Ｘ１側）の端部から外側に向けて傾斜して直線状に形成された傾斜部３１４と、直線部３１２のＸ１側の端部から内側に向けて傾斜して直線状に形成された傾斜部３１６と、を有し、直線部３１２と傾斜部３１４のなす角度α３１４と、直線部３１２と傾斜部３１６のなす角度α３１６とが鈍角となっている。
【００１２】
また、切れ目線Ｑ２は、複数の切込み３２０を間隔を介して一列に配設したもので、各切込み３２０は、Ｙ字状を呈している。つまり、切込み３２０は、開封方向（Ｘ１−Ｘ２方向）に形成された直線部３２２と、直線部３２２の開封方向前側（Ｘ１側）の端部から外側に向けて傾斜して直線状に形成された傾斜部３２４と、直線部３２２のＸ１側の端部から内側に向けて傾斜して直線状に形成された傾斜部３２６と、を有し、直線部３２２と傾斜部３２４のなす角度α３２４と、直線部３２２と傾斜部３２６のなす角度α３２６とが鈍角となっている。
【００１３】
また、切込みＱ３は、略コ字状を呈し、Ｘ２側に開口した略コ字状を呈している。つまり、切込みＱ３は、直線部３１２の延長線上に形成された直線状の切込み３３２と、直線部３２２の延長線上に形成された直線状の切込み３３４と、切込み３３２と切込み３３４のＸ１側の端部間を結び、該中心線Ｑｈに対して直角をなす切込み３３６とを有している。この切込みＱ３により囲まれた領域（つまり、切込みＱ３と、切込み３３２のＸ２側の端部と切込み３３４のＸ２側の端部とを結ぶ直線により囲まれた領域）が、片部３３０となる。
【００１４】
つまり、ジッパーＱにおいては、片部３３０を起こして手でつかみ、Ｘ２方向に引っぱることにより、隣接する切込み３１０間の隙間と隣接する切込み３２０間の隙間が破れてジッパーＱがブランクから分離する。
【先行技術文献】
【特許文献】
【００１５】
【特許文献１】特開平１１−７９２４２号公報
【発明の概要】
【発明が解決しようとする課題】
【００１６】
しかし、図３９に示すジッパーＰにおいては、ジッパーＰを開封方向に破断していった際に、破断力が外側に拡散して剥離を生じるという問題がある。すなわち、切れ目線Ｐ１を例に取ると、直線部２１２の後端からの破断力は直線部２１２の後端から角度範囲βの範囲に拡散するが、切れ目線Ｐ１と切れ目線Ｐ２間の帯状部２４０を引っぱって破断するので直線部２１２の延長線上よりも内側に向かう成分が多いが、傾斜部２１４で破断力を受け止めやすいものの、帯状部の引っぱり具合によっては、破断力の中心が外側に向かう場合もあり、そうすると、次の切込み２１０の傾斜部２１４で受け止められなかった破断力、すなわち、外側に向かう破断力がブランクを構成する紙材の剥離をもたらし、ジッパーＰを破断した後の帯状部２４０には、図４０に示すように、ブランクとの切断線に沿って剥離片２４０ａ、２４０ｂ、２４０ｃが発生するとともに、帯状部２４０を分離した後のブランクにおける切断線２５２、２５４に沿って剥離片２５０ａ、２５０ｂ、２５０ｃが発生してしまい、ブランクにおける切断線の見栄えが悪いという問題があった。
【００１７】
また、図４１に示すジッパーＱにおいては、直線部３１２（３２２）の後端からの破断力は次の切込み３１０（３２０）の傾斜部３１４（３２４）、３１６（３２６）で受け止めることができるので、図３９のジッパーＰの場合のような剥離の問題は少ないものの、ジッパーＱを分離することにより形成されたブランクの開口部３５０には、図４２に示すように、一方の切断線に沿って傾斜部３１４が残存し、他方の切断線に沿って傾斜部３２４が残存するので、一方の切断線３５２に沿っては、残存した傾斜部３１４と、傾斜部３１４の基端からの折れ線３１４−１とを辺部とする片部３１８が折れ線３１４−１を中心にぶらついた状態となり、他方の切断線３５４に沿っては、残存した傾斜部３２４と、傾斜部３２４の基端からの折れ線３２４−１とを辺部とする片部３２８が折れ線３２４−１を中心にぶらついた状態となるので、ブランクにおける切断線の見栄えが悪いという問題があった。つまり、傾斜部３１４は直線部３１２に対して鈍角をなし、傾斜部３２４は直線部３２２に対して鈍角をなすので、折れ線３１４−１、３２４−１とともに片部３１８、３２８が形成されやすいという問題がある。
【００１８】
また、ジッパーの破断に際して、図３９に示すジッパーＰでは、上記のように、外側に向かう破断力が剥離を生じてジッパーの破断に利用されないため、強い力で帯状部２４０を引っぱる必要がある。
【００１９】
また、図４１に示すジッパーＱにおいても、ジッパーＱを破断する際に、上記の片部３１８、３２８がブランクの切断線にぶらついた状態となり、隣接する切込み３１０間の隙間を破る際に、片部３１８が折れ線３１４−１を介して持ち上がり、隣接する切込み３２０間の隙間を破る際に、片部３２８が折れ線３２４−１を介して持ち上がるので、片部３１８、３２８が持ち上がることにより引っぱる力が吸収されてしまい、帯状部３４０を強い力で引っぱる必要があり、また、片部３１８、３２８が持ち上がる分切断に時間が掛かるので、操作者は、帯状部３４０を自然と強い力で引っぱってしまうという問題がある。
【００２０】
また、図４１に示すジッパーＱにおいては、直線部３１２、３２２からの破断力のうち内側の傾斜部（つまり、傾斜部３１６、３２６）に向かう成分が多い（つまり、破断力の中心が内側の傾斜部に向かうことが多い）ものの、帯状部３４０の引っぱり具合によっては、破断力の中心が外側の傾斜部（傾斜部３１４、３２４）に向かう場合や、直線部３１２の方向に向かう場合があり、そうすると、隣接する切込み３１０間の隙間や隣接する切込み３２０の隙間を破った感触が個々に異なり、破断の際の感触が一定でなく、操作者にとって帯状部３４０を引っぱる際の力の入れ具合を分かりにくく、円滑な破断を行なうことが容易でないという問題があった。また、力の入れ具合が分かりにくいので、必然的に強い力で引っぱってしまうという問題もあった。
【００２１】
また、図３９に示すジッパーＰにおいても、帯状部２４０の引っぱり具合によっては、破断力の中心が外側に向かう場合、直線部２１２（２２２）の方向に向かう場合があり、そうすると、隣接する切込み２１０間の隙間や隣接する切込み２２０の隙間を破った感触が個々に異なり（特に、外側に向かった場合には、ブランクの表面が剥離するので異なった感触となる）、破断の際の感触が一定でなく、操作者にとって帯状部２４０を引っぱる際の力の入れ具合を分かりにくく、円滑な破断を行なうことが容易でないという問題があった。また、力の入れ具合が分かりにくいので、必然的に強い力で引っぱってしまうという問題もあった。
【００２２】
そこで、本発明が解決しようとする問題点は、カートン用のジッパーや切れ目線の切断構造において、切断後のブランクの切断線の見栄えがよく、また、少ない力で破断を行なうことができ、さらには、破断の際の感触が一定で円滑な破断を行なうことができる切断構造を提供することである。
【課題を解決するための手段】
【００２３】
本発明は上記問題点を解決するために創作されたものであって、第１には、シート状の紙製ブランクにより形成されたカートンに用いるカートン用ジッパーであって、第１切れ目線と第２切れ目線とを有し、第１切れ目線が、複数の第１切込み（１０、２０）を間隔を介して列状に配設してなり、第１切込みが、第１傾斜部（１２、２２）と、第１傾斜部の一方の端部である第１接触点（ｍ１２、ｍ２２）から形成された第２傾斜部（１４、２４）と、第２傾斜部の第１接触点とは反対側の端部である第２接触点（ｍ１３、ｍ２３）から形成された直線部（１６、２６）とを有し、第１傾斜部が、第１傾斜部の他方の端部である第１端部（ｍ１１、ｍ２１）と第１接触点間に直線状に形成され、第２傾斜部が、第１接触点と第２接触点の間に直線状に形成され、直線部が、第２接触点と直線部の第２接触点とは反対側の端部である第２端部（ｍ１４）間に直線状にジッパー開封方向（「ジッパー破断方向」としてもよい。他においても同じ）に沿って形成され、第２接触点が第２端部よりもジッパー開封方向において前側にあり、第１端部と第１接触点とが、直線部のジッパー開封方向において前側への仮想延長線である第１仮想延長線（ｅ１６、ｅ２６）を介して両側に配置され、直線部のジッパー開封方向への仮想延長線である第２仮想延長線（ｆ１６、ｆ２６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、（第２傾斜部の一方の端部である第１接触点は、第２傾斜部の他方の端部である第２接触点よりもジッパー開封方向において前側に位置し、）第１傾斜部の該第１仮想延長線との間の鋭角の角度（α１１、α２１）が、第２傾斜部の該第１仮想延長線との間の鋭角の角度（「第２傾斜部の該第１仮想延長線との間の鋭角の角度で、ジッパー開封方向における前側の角度」としてもよい）（α１２、α２２）よりも大きく形成され、第１傾斜部と第２傾斜部間の角度で、第１端部と第２接触点とを結ぶ仮想直線（１８、２８）側の角度（α１３、α２３）が直角以下であり、第２切れ目線が、第１切れ目線との間の中心線を介して対称形状に形成され、第２切れ目線が、複数の第２切込み（２０、１０）を間隔を介して列状に配設してなり、第２切れ目線における各第２切込みが該中心線を介して第１切れ目線における第１切込みと対称形状に形成されていることを特徴とする。
【００２４】
第１の構成のカートン用ジッパーにおいては、第１端部と第１接触点とが、直線部のジッパー開封方向において前側への仮想延長線である第１仮想延長線（ｅ１６、ｅ２６）を介して両側に配置され、直線部のジッパー開封方向への仮想延長線である第２仮想延長線（ｆ１６、ｆ２６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００２５】
また、第１傾斜部が、第１端部が第１接触点よりもジッパー開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００２６】
また、第１傾斜部の該第１仮想延長線との間の鋭角の角度（α１１、α２１）が、第２傾斜部の該第１仮想延長線との間の鋭角の角度（α１２、α２２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００２７】
また、第１傾斜部と第２傾斜部間の角度で、第１端部と第２接触点とを結ぶ仮想直線（１８、２８）側の角度（α１３、α２３）が直角以下であるので、その分、第１傾斜部の第１仮想延長線に対する角度（α１１、α２１）を大きくすることができて、１つ前の切込みからの破断力を第１傾斜部で受け止めやすく、また、第１傾斜部と第２傾斜部間の角度で、第１端部と第２接触点とを結ぶ仮想直線側の角度（α１３、α２３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００２８】
なお、上記第１の構成において、第２傾斜部が、第１接触点が第２接触点よりもジッパー開封方向において前側に位置するように第１仮想延長線に対して傾斜しているものとしてもよい。
【００２９】
また、第２には、上記第１の構成において、第１端部から第１仮想延長線までの長さ（Ｌ１１、Ｌ２１）が、第１接触点から第１仮想延長線までの長さ（Ｌ１２、Ｌ２２）よりも長いことを特徴とする。
【００３０】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００３１】
また、第３には、シート状の紙製ブランクにより形成されたカートンに用いるカートン用ジッパーであって、第１切れ目線と第２切れ目線とを有し、第１切れ目線が、複数の第１切込み（１０）を間隔を介して列状に配設してなり、第１切込みが、第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（１５）とを有し、第１傾斜部が、第１傾斜部の他方の端部である第１端部（ｍ１１）と第１接触点間に直線状に形成され、第２傾斜部が、第２接触点と第３接触点間に直線状に形成され、直線部が、第４接触点と直線部の第４接触点とは反対側の端部である第２端部（ｍ１４）間に直線状にジッパー開封方向に沿って形成され、第４接触点が第２端部よりもジッパー開封方向において前側にあり、第１端部と第１接触点とが、直線部のジッパー開封方向において前側への仮想延長線である第１仮想延長線（ｅ１６）を介して両側に配置され、直線部のジッパー開封方向への仮想延長線である第２仮想延長線（ｆ１６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、第２傾斜部の一方の端部である第２接触点は、第２傾斜部の他方の端部である第３接触点よりもジッパー開封方向において前側に位置し、第１傾斜部の該第１仮想延長線との間の鋭角の角度（α１１）が、第２傾斜部の第３接触点からの第３仮想延長線（ｅ１４）の該第１仮想延長線との間の鋭角の角度（「第２傾斜部の第３接触点からの第３仮想延長線（ｅ１４）の該第１仮想延長線との間の鋭角の角度で、ジッパー開封方向における前側の角度」としてもよい）（α１２）よりも大きく形成され、第１傾斜
部と第２傾斜部間の角度（「第１傾斜部の第１接触点からの仮想延長線と第２傾斜部の第２接触点からの仮想延長線間の角度」としてもよい）で、第１仮想延長線と第３仮想延長線の交点（ｍ１３’）と第１端部とを結ぶ仮想直線（１８）側の角度（α１３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【００３２】
第３の構成のカートン用ジッパーにおいては、第１端部と第１接触点とが、直線部のジッパー開封方向において前側への仮想延長線である第１仮想延長線（ｅ１６）を介して両側に配置され、直線部のジッパー開封方向への仮想延長線である第２仮想延長線（ｆ１６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。
【００３３】
また、第１傾斜部が、第１端部が第１接触点よりもジッパー開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００３４】
また、第１傾斜部の該第１仮想延長線との間の鋭角の角度（α１１）が、第２傾斜部の第３接触点からの第３仮想延長線（ｅ１４）の該第１仮想延長線との間の鋭角の角度（α１２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００３５】
また、第１傾斜部と第２傾斜部間の角度で、第１仮想延長線と第３仮想延長線の交点（ｍ１３’）と第１端部とを結ぶ仮想直線（１８）側の角度（α１３）が直角以下であるので、その分、第１傾斜部の第１仮想延長線に対する角度（α１１）を大きくすることができて、１つ前の切込みからの破断力を第１傾斜部で受け止めやすく、また、第１傾斜部と第２傾斜部間の角度で、第１仮想延長線と第３仮想延長線の交点（ｍ１３’）と第１端部とを結ぶ仮想直線（１８）側の角度（α１３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００３６】
なお、上記第３の構成において、第２傾斜部が、第２接触点が第３接触点よりもジッパー開封方向において前側に位置するように第１仮想延長線に対して傾斜しているものとしてもよい。
【００３７】
また、第４には、シート状の紙製ブランクにより形成されたカートンに用いるカートン用ジッパーであって、第１切れ目線と第２切れ目線とを有し、第１切れ目線が、複数の第１切込み（１０）を間隔を介して列状に配設してなり、第１切込みが、第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成され
たアール部で、第１接触点で第１傾斜部と接するとともに第２接触点で第２傾斜部と接するアール部（１３）とを有し、第１傾斜部が、第１傾斜部の他方の端部である第１端部（ｍ１１）と第１接触点間に直線状に形成され、第２傾斜部が、第２接触点と第３接触点間に直線状に形成され、直線部が、第２傾斜部の第２接触点とは反対側の端部である第３接触点（ｍ１３）から形成され、第３接触点と直線部の第３接触点とは反対側の端部である第２端部（ｍ１４）間に直線状にジッパー開封方向に沿って形成され、第３接触点が第２端部よりもジッパー開封方向において前側にあり、第１端部と第１接触点とが、直線部のジッパー開封方向において前側への仮想延長線である第１仮想延長線（ｅ１６）を介して両側に配置され、直線部のジッパー開封方向への仮想延長線である第２仮想延長線（ｆ１６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、（第２傾斜部の一方の端部である第２接触点は、第２傾斜部の他方の端部である第３接触点よりもジッパー開封方向において前側に位置し、）第１傾斜部の該第１仮想延長線との間の鋭角の角度（α１１）が、第２傾斜部の該第１仮想延長線との間の鋭角の角度（「第２傾斜部の該第１仮想延長線との間の鋭角の角度で、ジッパー開封方向における前側の角度」としてもよい）（α１２）よりも大きく形成され、第１傾斜部と第２傾斜部間の角度（「第１傾斜部の第１接触点からの仮想延長線と第２傾斜部の第２接触点からの仮想延長線間の角度」としてもよい）で、第３接触点と第１端部とを結ぶ仮想直線（１８）側の角度（α１３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【００３８】
第４の構成のカートン用ジッパーにおいては、第１端部と第１接触点とが、直線部のジッパー開封方向において前側への仮想延長線である第１仮想延長線（ｅ１６）を介して両側に配置され、直線部のジッパー開封方向への仮想延長線である第２仮想延長線（ｆ１６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００３９】
また、第１傾斜部が、第１端部が第１接触点よりもジッパー開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００４０】
また、第１傾斜部の該第１仮想延長線との間の鋭角の角度（α１１）が、第２傾斜部の該第１仮想延長線との間の鋭角の角度（α１２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００４１】
また、第１傾斜部と第２傾斜部間の角度で、第３接触点と第１端部とを結ぶ仮想直線（１８）側の角度（α１３）が直角以下であるので、その分、第１傾斜部の第１仮想延長線に対する角度（α１１）を大きくすることができて、１つ前の切込みからの破断力を第１傾斜部で受け止めやすく、また、第１傾斜部と第２傾斜部間の角度で、第３接触点と第１端部とを結ぶ仮想直線（１８）側の角度（α１３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００４２】
なお、上記第４の構成において、第２傾斜部が、第２接触点が第３接触点よりもジッパー開封方向において前側に位置するように第１仮想延長線に対して傾斜しているものとしてもよい。
【００４３】
また、第５には、上記第３又は第４の構成において、第１端部から第１仮想延長線までの長さ（Ｌ１１）が、第１接触点と第２接触点間に形成されたアール部から第１仮想延長線までの最大長さ（Ｌ１２’）よりも長いことを特徴とする。
【００４４】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００４５】
また、第６には、シート状の紙製ブランクにより形成されたカートンに用いるカートン用切れ目線であって、該カートン用切れ目線が、複数の切込み（１０、２０）を間隔を介して列状に配設してなり、切込みが、第１傾斜部（１２、２２）と、第１傾斜部の一方の端部である第１接触点（ｍ１２、ｍ２２）から形成された第２傾斜部（１４、２４）と、第２傾斜部の第１接触点とは反対側の端部である第２接触点（ｍ１３、ｍ２３）から形成された直線部（１６、２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、直線部が、第２接触点と直線部の第２接触点とは反対側の端部である第２端部（ｍ１４、ｍ２４）間に直線状に切れ目線開封方向（「切れ目線破断方向」としてもよい。他においても同じ）に沿って形成され、第２接触点が第２端部よりも切れ目線開封方向において前側にあり、第１端部と第１接触点とが、直線部の切れ目線開封方向において前側への仮想延長線である第１仮想延長線（ｅ１６、ｅ２６）を介して両側に配置され、直線部の切れ目線開封方向への仮想延長線である第２仮想延長線（ｆ１６、ｆ２６）が切れ目線開封方向において後側に隣接する他の第１切込みの第１傾斜部と交わり、第１傾斜部が、第１端部が第１接触点よりも切れ目線開封方向において前側に位置するように第１仮想延長線に対して傾斜して形成され、（第２傾斜部の一方の端部である第１接触点は、第２傾斜部の他方の端部である第２接触点よりも切れ目線開封方向において前側に位置し、）第１傾斜部の該第１仮想延長線との間の鋭角の角度（α１１、α２１）が、第２傾斜部の該第１仮想延長線との間の鋭角の角度（「第２傾斜部の該第１仮想延長線との間の鋭角の角度で、切れ目線開封方向における前側の角度」としてもよい）（α１２、α２２）よりも大きく形成され、第１傾斜部と第２傾斜部間の角度で、第１端部と第２接触点とを結ぶ仮想直線（１８、２８）側の角度（α１３、α２３）が直角以下であることを特徴とする。
【００４６】
第６の構成のカートン用切れ目線においては、第１端部と第１接触点とが、直線部の切れ目線開封方向において前側への仮想延長線である第１仮想延長線（ｅ１６、ｅ２６）を介して両側に配置され、直線部の切れ目線開封方向への仮想延長線である第２仮想延長線（ｆ１６、ｆ２６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００４７】
また、第１傾斜部が、第１端部が第１接触点よりも切れ目線開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００４８】
また、第１傾斜部の該第１仮想延長線との間の鋭角の角度（α１１、α２１）が、第２傾斜部の該第１仮想延長線との間の鋭角の角度（α１２、α２２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００４９】
また、第１傾斜部と第２傾斜部間の角度で、第１端部と第２接触点とを結ぶ仮想直線（１８、２８）側の角度（α１３、α２３）が直角以下であるので、その分、第１傾斜部の第１仮想延長線に対する角度（α１１、α２１）を大きくすることができて、１つ前の切込みからの破断力を第１傾斜部で受け止めやすく、また、第１傾斜部と第２傾斜部間の角度で、第１端部と第２接触点とを結ぶ仮想直線側の角度（α１３、α２３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００５０】
なお、上記第６の構成において、第２傾斜部が、第１接触点が第２接触点よりも切れ目線開封方向において前側に位置するように第１仮想延長線に対して傾斜しているものとしてもよい。
【００５１】
また、第７には、上記第６の構成において、第１端部から第１仮想延長線までの長さ（Ｌ１１）が、第１接触点から第１仮想延長線までの長さ（Ｌ１２）よりも長いことを特徴とする。
【００５２】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００５３】
また、第８には、シート状の紙製ブランクにより形成されたカートンに用いるカートン用切れ目線であって、該カートン用切れ目線が、複数の切込み（１０）を間隔を介して列状に配設してなり、切込みが、第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（１５）とを有し、第１傾斜部が、第１傾斜部の他方の端部である第１端部（ｍ１１）と第１接触点間に直線状に形成され、第２傾斜部が、第２接触点と第３接触点間に直線状に形成され、直線部が、第４接触点と直線部の第４接触点とは反対側の端部である第２端部（ｍ１４）間に直線状に切れ目線開封方向に沿って形成され、第４接触点が第２端部よりも切れ目線開封方向において前側にあり、第１端部と第１接触点とが、直線部の切れ目線開封方向において前側への仮想延長線である第１仮想延長線（ｅ１６）を介して両側に配置され、直線部の切れ目線開封方向への仮想延長線である第２仮想延長線（ｆ１６）が切れ目線開封方向において後側に隣接する他の第１切込みの第１傾斜部と交わり、第１傾斜部が、第１端部が第１接触点よりも切れ目線開封方向において前側に位置するように第１仮想延長線に対して傾斜して形成され、第２傾斜部の一方の端部である第２接触点は、第２傾斜部の他方の端部である第３接触点よりも切れ目線開封方向において前側に位置し、第１傾斜部の該第１仮想延長線との間の鋭角の角度（α１１）が、第２傾斜部の第３接触点からの仮想延長線である第３仮想延長線（ｅ１４）の該第１仮想延長線との間の鋭角の角度（「第２傾斜部の第３接触点からの第３仮想延長線（ｅ１４）の該第１仮想延長線との間の鋭角の角度で、切れ目線開封方向における前側の角度」としてもよい）（α１２）よりも大きく形成され、第１傾斜部と第２傾斜部間の角度（「第１傾斜部の第１接触点からの延長線と第２傾斜部の第２接触点からの延長線間の角度」としてもよい）で、第１仮想延長線と第３仮想延長線の交点（ｍ１３’）と第１端部とを結ぶ仮想直線（１８）側の角度（α１３）が直角以下であることを特徴とする。
【００５４】
第８の構成のカートン用切れ目線においては、第１端部と第１接触点とが、直線部の切れ目線開封方向において前側への仮想延長線である第１仮想延長線（ｅ１６）を介して両側に配置され、直線部の切れ目線開封方向への仮想延長線である第２仮想延長線（ｆ１６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００５５】
また、第１傾斜部が、第１端部が第１接触点よりも切れ目線開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００５６】
また、第１傾斜部の該第１仮想延長線との間の鋭角の角度（α１１）が、第２傾斜部の第３接触点からの第３仮想延長線（ｅ１４）の該第１仮想延長線との間の鋭角の角度（α１２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００５７】
また、第１傾斜部と第２傾斜部間の角度で、第１仮想延長線と第３仮想延長線の交点（ｍ１３’）と第１端部とを結ぶ仮想直線（１８）側の角度（α１３）が直角以下であるので、その分、第１傾斜部の第１仮想延長線に対する角度（α１１）を大きくすることができて、１つ前の切込みからの破断力を第１傾斜部で受け止めやすく、また、第１傾斜部と第２傾斜部間の角度で、第１仮想延長線と第３仮想延長線の交点（ｍ１３’）と第１端部とを結ぶ仮想直線（１８）側の角度（α１３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００５８】
なお、上記第８の構成において、第２傾斜部が、第２接触点が第３接触点よりも切れ目線開封方向において前側に位置するように第１仮想延長線に対して傾斜しているものとしてもよい。
【００５９】
また、第９には、シート状の紙製ブランクにより形成されたカートンに用いるカートン用切れ目線であって、該カートン用切れ目線が、複数の切込み（１０）を間隔を介して列状に配設してなり、切込みが、第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、第１傾斜部が、第１傾斜部の他方の端部である第１端部（ｍ１１）と第１接触点間に直線状に形成され、第２傾斜部が、第２接触点と第３接触点間に直線状に形成され、直線部が、第２傾斜部の第２接触点とは反対側の端部である第３接触点（ｍ１３）から形成され、第３接触点と直線部の第３接触点とは反対側の端部である第２端部（ｍ１４）間に直線状に切れ目線開封方向に沿って形成され、第３接触点が第２端部よりも切れ目線開封方向において前側にあり、第１端部と第１接触点とが、直線部の切れ目線開封方向において前側への仮想延長線である第１仮想延長線（ｅ１６）を介して両側に配置され、直線部の切れ目線開封方向への仮想延長線である第２仮想延長線（ｆ１６）が切れ目線開封方向において後側に隣接する他の第１切込みの第１傾斜部と交わり、第１傾斜部が、第１端部が第１接触点よりも切れ目線開封方向において前側に位置するように第１仮想延長線に対して傾斜して形成され、（第２傾斜部の一方の端部である第２接触点は、第２傾斜部の他方の端部である第３接触点よりも切れ目線開封方向において前側に位置し、）第１傾斜部の該第１仮想延長線との間の鋭角の角度（α１１）が、第２傾斜部の該第１仮想延長線との間の鋭角の角度（「第２傾斜部の該第１仮想延長線との間の鋭角の角度で、切れ目線開封方向における前側の角度」としてもよい）（α１２）よりも大きく形成され、第１傾斜部と第２傾斜部間の角度（「第１傾斜部の第１接触点からの延長線と第２傾斜部の第２接触点からの延長線間の角度」としてもよい）で、第３接触点と第１端部とを結ぶ仮想直線（１８）側の角度（α１３）が直角以下であることを特徴とする。
【００６０】
第９の構成のカートン用切れ目線においては、第１端部と第１接触点とが、直線部の切れ目線開封方向において前側への仮想延長線である第１仮想延長線（ｅ１６）を介して両側に配置され、直線部の切れ目線開封方向への仮想延長線である第２仮想延長線（ｆ１６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００６１】
また、第１傾斜部が、第１端部が第１接触点よりも切れ目線開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００６２】
また、第１傾斜部の該第１仮想延長線との間の鋭角の角度（α１１）が、第２傾斜部の該第１仮想延長線との間の鋭角の角度（α１２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００６３】
また、第１傾斜部と第２傾斜部間の角度で、第３接触点と第１端部とを結ぶ仮想直線（１８）側の角度（α１３）が直角以下であるので、その分、第１傾斜部の第１仮想延長線に対する角度（α１１）を大きくすることができて、１つ前の切込みからの破断力を第１傾斜部で受け止めやすく、また、第１傾斜部と第２傾斜部間の角度で、第３接触点と第１端部とを結ぶ仮想直線（１８）側の角度（α１３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００６４】
なお、上記第９の構成において、第２傾斜部が、第２接触点が第３接触点よりも切れ目線開封方向において前側に位置するように第１仮想延長線に対して傾斜しているものとしてもよい。
【００６５】
また、第１０には、上記第８又は第９の構成において、第１端部から第１仮想延長線までの長さ（Ｌ１１）が、第１接触点と第２接触点間に形成されたアール部から第１仮想延長線までの最大長さ（Ｌ１２’）よりも長いことを特徴とする。
【００６６】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００６７】
また、第１１には、シート状の紙製ブランクにより形成されたカートンに用いるカートン用ジッパーであって、第１切れ目線と第２切れ目線とを有し、第１切れ目線が、複数の第１切込み（６０、７０）を間隔を介して列状に配設してなり、第１切込みが、第１傾斜部（６２、７２）と、第１傾斜部の一方の端部である第１接触点（ｍ６２、ｍ７２）から形成された第２傾斜部（６４、７４）と、第２傾斜部の第１接触点とは反対側の端部である第２接触点（ｍ６３、ｍ７３）から形成された直線部（６６、７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、直線部が、第２接触点と直線部の第２接触点とは反対側の端部である第２端部（ｍ６４、ｍ７４）間に直線状にジッパー開封方向に沿って形成され、第２接触点が第２端部よりもジッパー開封方向において前側にあり、第１端部と第１接触点とが、直線部のジッパー開封方向において前側への仮想延長線である第１仮想延長線（ｅ６６、ｅ７６）を介して両側に配置され、直線部のジッパー開封方向への仮想延長線である第２仮想延長線（ｆ６６、ｆ７６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、第２傾斜部の一方の端部である第１接触点は、第２傾斜部の他方の端部である第２接触点よりもジッパー開封方向において前側に位置し、第１傾斜部の該第１仮想延長線との間の鋭角の角度（α６１、α７１）が、第２傾斜部の第２接触点における接線（６４−１’、７４−１’）の該第１仮想延長線と
の間の鋭角の角度（「第２傾斜部の第２接触点における接線（６４−１’、７４−１’）の該第１仮想延長線との間の鋭角の角度で、ジッパー開封方向における前側の角度」としてもよい）（α６２、α７２）よりも大きく形成され、第１傾斜部と第２傾斜部間の角度で、第１端部と第２接触点とを結ぶ仮想直線（６８、７８）側の角度（α６３、α７３）が直角以下であり、第２切れ目線が、第１切れ目線との間の中心線を介して対称形状に形成され、第２切れ目線が、複数の第２切込み（７０、６０）を間隔を介して列状に配設してなり、第２切れ目線における各第２切込みが該中心線を介して第１切れ目線における第１切込みと対称形状に形成されていることを特徴とする。
【００６８】
第１１の構成のカートン用ジッパーにおいては、第１端部と第１接触点とが、直線部のジッパー開封方向において前側への仮想延長線である第１仮想延長線（ｅ６６、ｅ７６）を介して両側に配置され、直線部のジッパー開封方向への仮想延長線である第２仮想延長線（ｆ６６、ｆ７６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００６９】
また、第１傾斜部が、第１端部が第１接触点よりもジッパー開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００７０】
また、第１傾斜部の該第１仮想延長線との間の鋭角の角度（α６１、α７１）が、第２傾斜部の第２接触点における接線（６４−１’、７４−１’）の該第１仮想延長線との間の鋭角の角度（α６２、α７２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００７１】
また、第１傾斜部と第２傾斜部間の角度で、第１端部と第２接触点とを結ぶ仮想直線（６８、７８）側の角度（α６３、α７３）が直角以下であるので、その分、第１傾斜部の第１仮想延長線に対する角度（α６１、α７１）を大きくすることができて、１つ前の切込みからの破断力を第１傾斜部で受け止めやすく、また、第１傾斜部と第２傾斜部間の角度で、第１端部と第２接触点とを結ぶ仮想直線（６８、７８）側の角度（α６３、α７３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００７２】
なお、上記第１１の構成において、第２傾斜部の第２接触点における接線（６４−１、７４−１）が、第２接触点が第３接触点よりもジッパー開封方向において前側に位置するように第１仮想延長線に対して傾斜しているものとしてもよい。
【００７３】
また、第１２には、上記第１１の構成において、第１端部から第１仮想延長線までの長さ（Ｌ６１、Ｌ７１）が、第１接触点から第１仮想延長線までの長さ（Ｌ６２、Ｌ７２）よりも長いことを特徴とする。
【００７４】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００７５】
また、第１３には、シート状の紙製ブランクにより形成されたカートンに用いるカートン用ジッパーであって、第１切れ目線と第２切れ目線とを有し、第１切れ目線が、複数の第１切込み（６０）を間隔を介して列状に配設してなり、第１切込みが、第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（６５）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、直線部が、第４接触点と直線部の第４接触点とは反対側の端部である第２端部（ｍ６４）間に直線状にジッパー開封方向に沿って形成され、第４接触点が第２端部よりもジッパー開封方向において前側にあり、第１端部と第１接触点とが、直線部のジッパー開封方向において前側への仮想延長線である第１仮想延長線（ｅ６６）を介して両側に配置され、直線部のジッパー開封方向への仮想延長線である第２仮想延長線（ｆ６６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、第２傾斜部の一方の端部である第２接触点は、第２傾斜部の他方の端部である第３接触点よりもジッパー開封方向において前側に位置し、第１傾斜部の該第１仮想延長線との間の鋭角の角度（α６１）が、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度（「第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度で、ジッパー開封方向における前側の角度」としてもよい）（α６２）よりも大きく形成され、第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【００７６】
第１３の構成のカートン用ジッパーにおいては、第１端部と第１接触点とが、直線部のジッパー開封方向において前側への仮想延長線である第１仮想延長線（ｅ６６）を介して両側に配置され、直線部のジッパー開封方向への仮想延長線である第２仮想延長線（ｆ６６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００７７】
また、第１傾斜部が、第１端部が第１接触点よりもジッパー開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００７８】
また、第１傾斜部の該第１仮想延長線との間の鋭角の角度（α６１）が、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）との間の鋭角の角度（α６２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００７９】
また、第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下であるので、その分、第１傾斜部の第１仮想延長線に対する角度（α６１）を大きくすることができて、１つ前の切込みからの破断力を第１傾斜部で受け止めやすく、また、第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００８０】
なお、上記第１３の構成において、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）が、第２接触点が第３接触点よりもジッパー開封方向において前側に位置するように第１仮想延長線に対して傾斜しているものとしてもよい。
【００８１】
また、第１４には、シート状の紙製ブランクにより形成されたカートンに用いるカートン用ジッパーであって、第１切れ目線と第２切れ目線とを有し、第１切れ目線が、複数の第１切込み（６０）を間隔を介して列状に配設してなり、第１切込みが、第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（６３）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、直線部が、第２傾斜部の第２
接触点とは反対側の端部である第３接触点（ｍ６３）から形成され、第３接触点と直線部の第３接触点とは反対側の端部である第２端部（ｍ６４）間に直線状にジッパー開封方向に沿って形成され、第３接触点が第２端部よりもジッパー開封方向において前側にあり、第１端部と第１接触点とが、直線部のジッパー開封方向において前側への仮想延長線である第１仮想延長線（ｅ６６）を介して両側に配置され、直線部のジッパー開封方向への仮想延長線である第２仮想延長線（ｆ６６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、第２傾斜部の一方の端部である第２接触点は、第２傾斜部の他方の端部である第３接触点よりもジッパー開封方向において前側に位置し、第１傾斜部の該第１仮想延長線との間の鋭角の角度（α６１）が、第２傾斜部の第３接触点における接線（６４−１’）の該第１仮想延長線との間の鋭角の角度（「第２傾斜部の第３接触点における接線（６４−１’）の該第１仮想延長線との間の鋭角の角度で、ジッパー開封方向における前側の角度」としてもよい）（α６２）よりも大きく形成され、第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【００８２】
第１４の構成のカートン用ジッパーにおいては、第１端部と第１接触点とが、直線部のジッパー開封方向において前側への仮想延長線である第１仮想延長線（ｅ６６）を介して両側に配置され、直線部のジッパー開封方向への仮想延長線である第２仮想延長線（ｆ６６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００８３】
また、第１傾斜部が、第１端部が第１接触点よりもジッパー開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００８４】
また、第１傾斜部の該第１仮想延長線との間の鋭角の角度（α６１）が、第２傾斜部の第２接触点における接線（６４−１’）の該第１仮想延長線との間の鋭角の角度（α６２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００８５】
また、第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下であるので、その分、第１傾斜部の第１仮想延長線に対する角度（α６１）を大きくすることができて、１つ前の切込みからの破断力を第１傾斜部で受け止めやすく、また、第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００８６】
なお、上記第１４の構成において、第２傾斜部の第２接触点における接線（６４−１）が、第２接触点が第３接触点よりもジッパー開封方向において前側に位置するように第１仮想延長線に対して傾斜しているものとしてもよい。
【００８７】
また、第１５には、上記第１３又は第１４の構成において、第１端部から第１仮想延長線までの長さ（Ｌ６１）が、第１接触点と第２接触点間に形成されたアール部から第１仮想延長線までの最大長さ（Ｌ６２’）よりも長いことを特徴とする。
【００８８】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００８９】
また、第１６には、シート状の紙製ブランクにより形成されたカートンに用いるカートン用切れ目線であって、該カートン用切れ目線が、複数の切込み（６０、７０）を間隔を介して列状に配設してなり、切込みが、第１傾斜部（６２、７２）と、第１傾斜部の一方の端部である第１接触点（ｍ６２、ｍ７２）から形成された第２傾斜部（６４、７４）と、第２傾斜部の第１接触点とは反対側の端部である第２接触点（ｍ６３、ｍ７４）から形成された直線部（６６、７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、直線部が、第２接触点と直線部の第２接触点とは反対側の端部である第２端部（ｍ６４、ｍ７４）間に直線状に切れ目線開封方向に沿って形成され、第２接触点が第２端部よりも切れ目線開封方向において前側にあり、第１端部と第１接触点とが、直線部の切れ目線開封方向において前側への仮想延長線である第１仮想延長線（ｅ６６、ｅ７６）を介して両側に配置され、直線部の切れ目線開封方向への仮想延長線である第２仮想延長線（ｆ６６、ｆ７６）が切れ目線開封方向において後側に隣接する他の第１切込みの第１傾斜部と交わり、第１傾斜部が、第１端部が第１接触点よりも切れ目線開封方向において前側に位置するように第１仮想延長線に対して傾斜して形成され、第２傾斜部の一方の端部である第１接触点は、第２傾斜部の他方の端部である第２接触点よりも切れ目線開封方向において前側に位置し、第１傾斜部の該第１仮想延長線との間の鋭角の角度（α６１、α７１）が、第２傾斜部の第２接触点における接線（６４−１、７４−１）の該第１仮想延長線との間の鋭角の角度（「第２傾斜部の第２接触点における接線（６４−１’、７４−１’）の該第１仮想延長線との間の鋭角の角度で、切れ目線開封方向における前側の角度」としてもよい）（α６２、α７２）よりも大きく形成され、第１傾斜部と第２傾斜部間の角度で、第１端部と第２接触点とを結ぶ仮想直線（６８、７８）側の角度（α６３、α７３）が直角以下であることを特徴とする。
【００９０】
第１６の構成のカートン用切れ目線においては、第１端部と第１接触点とが、直線部の切れ目線開封方向において前側への仮想延長線である第１仮想延長線（ｅ６６、ｅ７６）を介して両側に配置され、直線部の切れ目線開封方向への仮想延長線である第２仮想延長線（ｆ６６、ｆ７６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００９１】
また、第１傾斜部が、第１端部が第１接触点よりも切れ目線開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【００９２】
また、第１傾斜部の該第１仮想延長線との間の鋭角の角度（α６１、α７１）が、第２傾斜部の第２接触点における接線（６４−１’、７４−１’）の該第１仮想延長線との間の鋭角の角度（α６２、α７２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【００９３】
また、第１傾斜部と第２傾斜部間の角度で、第１端部と第２接触点とを結ぶ仮想直線（６８、７８）側の角度（α６３、α７３）が直角以下であるので、その分、第１傾斜部の第１仮想延長線に対する角度（α６１、α７１）を大きくすることができて、１つ前の切込みからの破断力を第１傾斜部で受け止めやすく、また、第１傾斜部と第２傾斜部間の角度で、第１端部と第２接触点とを結ぶ仮想直線（６８、７８）側の角度（α６３、α７３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００９４】
なお、上記第１６の構成において、第２傾斜部の第２接触点における接線（６４−１、７４−１）が、第２接触点が第３接触点よりも切れ目線開封方向において前側に位置するように第１仮想延長線に対して傾斜しているものとしてもよい。
【００９５】
また、第１７には、上記第１６の構成において、第１端部から第１仮想延長線までの長さ（Ｌ６１、Ｌ７１）が、第１接触点から第１仮想延長線までの長さ（Ｌ６２、Ｌ７２）よりも長いことを特徴とする。
【００９６】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【００９７】
また、第１８には、シート状の紙製ブランクにより形成されたカートンに用いるカートン用切れ目線であって、該カートン用切れ目線が、複数の切込み（６０）を間隔を介して列状に配設してなり、切込みが、第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（６５）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、直線部が、第４接触点と直線部の第４接触点とは反対側の端部である第２端部（ｍ６４）間に直線状に切れ目線開封方向に沿って形成され、第４接触点が第２端部よりも切れ目線開封方向において前側にあり、第１端部と第１接触点とが、直線部の切れ目線開封方向において前側への仮想延長線である第１仮想延長線（ｅ６６）を介して両側に配置され、直線部の切れ目線開封方向への仮想延長線である第２仮想延長線（ｆ６６）が切れ目線開封方向において後側に隣接する他の第１切込みの第１傾斜部と交わり、第１傾斜部が、第１端部が第１接触点よりも切れ目線開封方向において前側に位置するように第１仮想延長線に対して傾斜して形成され、第２傾斜部の一方の端部である第２接触点は、第２傾斜部の他方の端部である第３接触点よりも切れ目線開封方向において前側に位置し、第１傾斜部の該第１仮想延長線との間の鋭角の角度（α６１）が、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度（「第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度で、切れ目線開封方向における前側の角度」としてもよい）（α６２）よりも大きく形成され、第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下であることを特徴とする。
【００９８】
第１８の構成のカートン用ジッパーにおいては、第１端部と第１接触点とが、直線部の切れ目線開封方向において前側への仮想延長線である第１仮想延長線（ｅ６６）を介して両側に配置され、直線部の切れ目線開封方向への仮想延長線である第２仮想延長線（ｆ６６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【００９９】
また、第１傾斜部が、第１端部が第１接触点よりも切れ目線開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【０１００】
また、第１傾斜部の該第１仮想延長線との間の鋭角の角度（α６１）が、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）との間の鋭角の角度（α６２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【０１０１】
また、第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下であるので、その分、第１傾斜部の第１仮想延長線に対する角度（α６１、α７１）を大きくすることができて、１つ前の切込みからの破断力を第１傾斜部で受け止めやすく、また、第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【０１０２】
なお、上記第１８の構成において、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）が、第２接触点が第３接触点よりもジッパー開封方向において前側に位置するように第１仮想延長線に対して傾斜しているものとしてもよい。
【０１０３】
また、第１９には、シート状の紙製ブランクにより形成されたカートンに用いるカートン用切れ目線であって、該カートン用切れ目線が、複数の切込み（６０）を間隔を介して列状に配設してなり、切込みが、第１傾斜部（６２）と、第２傾斜部（６４）と、直線部（６６）と、第１傾斜部の一方の端部である第１接触点（ｍ１２ａ）と第２傾斜部の一方の端部である第２接触点（ｍ１２ｂ）の間に形成されたアール部で、第１接触点で第１傾斜部と接するとともに第２接触点で第２傾斜部と接するアール部（６３）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、直線部が、第２傾斜部の第２接触点とは反対側の端部である第３接触点（ｍ６３）から形成され、第３接触点と直線部の第３接触点とは反対側の端部である第２端部（ｍ６４）間に直線状に切れ目線開封方向に沿って形成され、第３接触点が第２端部よりも切れ目線開封方向において前側にあり、第１端部と第１接触点とが、直線部の切れ目線開封方向において前側への仮想延長線である第１仮想延長線（ｅ６６）を介して両側に配置され、直線部の切れ目線開封方向への仮想延長線である第２仮想延長線（ｆ６６）が切れ目線開封方向において後側に隣接する他の第１切込みの第１傾斜部と交わり、第１傾斜部が、第１端部が第１接触点よりも切れ目線開封方向において前側に位置するように第１仮想延長線に対して傾斜して形成され、第２傾斜部の一方の端部である第２接触点は、第２傾斜部の他方の端部である第３接触点よりも切れ目線開封方向において前側に位置し、第１傾斜部の該第１仮想延長線との間の鋭角の角度（α６１）が、第２傾斜部の第３接触点における接線（６４−１’）の該第１仮想延長線との間の鋭角の角度（「第２傾斜部の第３接触点における接線（６４−１’）の該第１仮想延長線との間の鋭角の角度で、切れ目線開封方向における前側の角度」としてもよい）（α６２）よりも大きく形成され、第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下であることを特徴とする。
【０１０４】
第１９の構成のカートン用ジッパーにおいては、第１端部と第１接触点とが、直線部の切れ目線開封方向において前側への仮想延長線である第１仮想延長線（ｅ６６）を介して両側に配置され、直線部の切れ目線開封方向への仮想延長線である第２仮想延長線（ｆ６６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【０１０５】
また、第１傾斜部が、第１端部が第１接触点よりも切れ目線開封方向において前側に位置するように第１仮想延長線に対して傾斜して形成されているので、第１傾斜部に伝えられた破断力をスムーズに第２傾斜部に伝えることができる。よって、少ない力で破断を行なうことができる。
【０１０６】
また、第１傾斜部の該第１仮想延長線との間の鋭角の角度（α６１）が、第２傾斜部の第２接触点における接線（６４−１’）の該第１仮想延長線との間の鋭角の角度（α６２）よりも大きく形成されているので、第１傾斜部の第１仮想延長線に対する傾斜が大きく、第１傾斜部からの破断力が第２傾斜部に伝わりやすく、ブランクの紙材の剥離が起こりにくく、ブランクの切断面の見栄えがよい。
【０１０７】
また、第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下であるので、その分、第１傾斜部の第１仮想延長線に対する角度（α６１）を大きくすることができて、１つ前の切込みからの破断力を第１傾斜部で受け止めやすく、また、第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下に形成されているので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【０１０８】
なお、上記第１９の構成において、第２傾斜部の第２接触点における接線（６４−１）が、第２接触点が第３接触点よりも切れ目線開封方向において前側に位置するように第１仮想延長線に対して傾斜しているものとしてもよい。
【０１０９】
また、第２０には、上記第１８又は第１９の構成において、第１端部から第１仮想延長線までの長さ（Ｌ６１）が、第１接触点と第２接触点間に形成されたアール部から第１仮想延長線までの最大長さ（Ｌ６２’）よりも長いことを特徴とする。
【０１１０】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【０１１１】
また、第２１には、シート状の紙製ブランクにより形成されたカートンに用いるカートン用ジッパーであって、第１切れ目線と第２切れ目線とを有し、第１切れ目線が、複数の第１切込み（４１０、４２０）を間隔を介して列状に配設してなり、第１切込みが、第１傾斜部（４１２、４２２）と、第１傾斜部の一方の端部である第１接触点（ｍ１２、ｍ２２）から形成された第２傾斜部（４１４、４２４）と、第２傾斜部の第１接触点とは反対側の端部である第２接触点（ｍ１３、ｍ２３）から形成された第３傾斜部（４１６、４２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、第３傾斜部が、第２接触点と第３傾斜部の第２接触点とは反対側の端部である第２端部（ｍ１４、ｍ２４）間に直線状にジッパー開封方向に対して傾斜して形成され、第２端部がジッパー開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりもジッパー開封方向において前側にあり、第１端部と第１接触点とが、該仮想直線を介して両側に配置され、第３傾斜部のジッパー開封方向において後側への仮想延長線（ｆ１６、ｆ２６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第１接触点は、第２傾斜部の他方の端部である第２接触点よりもジッパー開封方向において前側に位置し、第１傾斜部の該仮想直線との間の鋭角の角度（α１１、α２１）が、第２傾斜部の該仮想直線との間の鋭角の角度（α１２、α２２）よりも大きく形成され、第１傾斜部と第２傾斜部間の角度で、第１端部と第２接触点とを結ぶ第２仮想直線（４１８、４２８）側の角度（α１３、α２３）が直角以下であり、第２切れ目線が、第１切れ目線との間の中心線を介して対称形状に形成され、第２切れ目線が、複数の第２切込み（４２０、４１０）を間隔を介して列状に配設してなり、第２切れ目線における各第２切込みが該中心線を介して第１切れ目線における第１切込みと対称形状に形成されていることを特徴とする。
【０１１２】
第２１の構成のカートン用ジッパーにおいては、第１端部と第１接触点とが、該仮想直線を介して両側に配置され、第３傾斜部のジッパー開封方向において後側への仮想延長線（ｆ１６、ｆ２６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。また、剥離を生じるおそれが少ないので、その分少ない力で破断を行なうことができる。
【０１１３】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１１４】
また、第１傾斜部の該仮想直線との間の鋭角の角度（α１１、α２１）が、第２傾斜部の該仮想直線との間の鋭角の角度（「第２傾斜部の該仮想直線との間の鋭角の角度で、ジッパー開封方向における前側の角度」としてもよい）（α１２、α２２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１１５】
また、第１傾斜部と第２傾斜部間の角度で、第１端部と第２接触点とを結ぶ第２仮想直線（４１８、４２８）側の角度（α１３、α２３）が直角以下であるので、その分、第１傾斜部の仮想直線に対する角度（α１１、α２１）を大きくすることができて、１つ前の切込みからの破断力を第１傾斜部で受け止めやすく、また、第１傾斜部と第２傾斜部間の角度で、第１端部と第２接触点とを結ぶ第２仮想直線（４１８、４２８）側の角度（α１３、α２３）が直角以下に形成されているので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１１６】
さらには、第３傾斜部が、ジッパー開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１１７】
なお、上記第２１の構成において、第２傾斜部が、第１接触点が第２接触点よりもジッパー開封方向において前側に位置するように第１仮想延長線に対して傾斜しているものとしてもよい。
【０１１８】
また、第２２には、上記第２１の構成において、第１端部から仮想直線までの長さ（Ｌ１１、Ｌ２１）が、第１接触点から仮想直線までの長さ（Ｌ１２、Ｌ２２）よりも長いことを特徴とする。
【０１１９】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１２０】
また、第２３には、シート状の紙製ブランクにより形成されたカートンに用いるカートン用ジッパーであって、第１切れ目線と第２切れ目線とを有し、第１切れ目線が、複数の第１切込み（４１０）を間隔を介して列状に配設してなり、第１切込みが、第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）と、第２傾斜部の他方の端部である第３接触点（ｍ１３ａ）と直線部の一方の端部である第４接触点（ｍ１３ｂ）間に形成された第２アール
部で、第３接触点で第２傾斜部と接するとともに第４接触点で直線部と接する第２アール部（４１５）とを有し、第１傾斜部が、第１傾斜部の他方の端部である第１端部（ｍ１１）と第１接触点間に直線状に形成され、第２傾斜部が、第２接触点と第３接触点間に直線状に形成され、第３傾斜部が、第４接触点と第３傾斜部の第４接触点とは反対側の端部である第２端部（ｍ１４）間に直線状にジッパー開封方向に対して傾斜して形成され、第２端部がジッパー開封方向の仮想直線で、第３傾斜部のジッパー開封方向において前側への仮想延長線である第１仮想延長線（ｇ１６）と第２傾斜部の第３接触点からの第２仮想延長線（ｅ１４）の交点（ｍ１３’）を通る仮想直線（ｅ１６’）を介して第２接触点とは反対側にあり、第１仮想延長線と仮想直線とがなす鋭角（α１６）が、第２仮想延長線と仮想直線とがなす鋭角（α１２）よりも小さく形成され、第４接触点が第２端部よりもジッパー開封方向において前側にあり、第１端部と第１接触点とが、仮想直線を介して両側に配置され、第３傾斜部のジッパー開封方向において後側への仮想延長線である第３仮想延長線（ｆ１６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第２接触点は、第２傾斜部の他方の端部である第３接触点よりもジッパー開封方向において前側に位置し、第１傾斜部の該仮想直線との間の鋭角の角度（α１１）が、第２仮想延長線の該仮想直線との間の鋭角の角度（「第２仮想延長線の該仮想直線との間の鋭角の角度で、ジッパー開封方向における前側の角度」としてもよい）（α１２）よりも大きく形成され、第１傾斜部と第２傾斜部間の角度（「第１傾斜部の第１接触点からの仮想延長線と第２傾斜部の第２接触点からの仮想延長線間の角度」としてもよい）で、第１仮想延長線と第２仮想延長線の交点（ｍ１３’）と第１端部とを結ぶ第２仮想直線（４１８）側の角度（α１３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【０１２１】
第２３の構成のカートン用ジッパーにおいては、第１端部と第１接触点とが、仮想直線を介して両側に配置され、第３傾斜部のジッパー開封方向において後側への仮想延長線である第３仮想延長線（ｆ１６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１２２】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１２３】
また、第１傾斜部の該仮想直線との間の鋭角の角度（α１１）が、第２仮想延長線の該仮想直線との間の鋭角の角度（α１２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１２４】
また、第１傾斜部と第２傾斜部間の角度で、第１仮想延長線と第２仮想延長線の交点（ｍ１３’）と第１端部とを結ぶ第２仮想直線（４１８）側の角度（α１３）が直角以下であるので、その分、第１傾斜部の仮想直線に対する角度（α１１）を大きくすることができて、１つ前の切込みからの破断力を第１傾斜部で受け止めやすく、また、第１傾斜部と第２傾斜部間の角度で、第１仮想延長線と第２仮想延長線の交点（ｍ１３’）と第１端部とを結ぶ第２仮想直線（４１８）側の角度（α１３）が直角以下に形成されているので、その分、仮想直線の長さを確保することができる。また、仮想直線の長さを確保することにより、仮想直線からの破断力が拡散する角度を小さくして、確実に次の切込みの第１傾斜部に破断力を伝えることができる。よって、ブランクの紙材の剥離が少なく、また、少ない力で破断を行なうことができる。また、仮想直線からの破断力を第１傾斜部により広く受け止め、破断の際の感触を一定にできて円滑な破断を行なうことができる。
【０１２５】
さらには、第３傾斜部が、ジッパー開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１２６】
なお、上記第２３の構成において、第２傾斜部が、第２接触点が第３接触点よりもジッパー開封方向において前側に位置するように第１仮想延長線に対して傾斜しているものとしてもよい。
【０１２７】
また、第２４には、シート状の紙製ブランクにより形成されたカートンに用いるカートン用ジッパーであって、第１切れ目線と第２切れ目線とを有し、第１切れ目線が、複数の第１切込み（４１０）を間隔を介して列状に配設してなり、第１切込みが、第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）とを有し、第１傾斜部が、第１傾斜部の他方の端部である第１端部（ｍ１１）と第１接触点間に直線状に形成され、第２傾斜部が、第２接触点と第３接触点間に直線状に形成され、第３傾斜部が、第２傾斜部の第２接触点とは反対側の端部である第３接触点（ｍ１３）から形成され、第３接触点と第３傾斜部の第３接触点とは反対側の端部である第２端部（ｍ１４）間に直線状にジッパー開封方向に対して傾斜して形成され、第２端部がジッパー開封方向の仮想直線で第３接触点を通る仮想直線（ｅ１６’）を介して第２接触点とは反対側にあり、第３傾斜部と仮想直線とがなす鋭角（α１６）が、第２傾斜部と仮想直線とがなす鋭角（α１２）よりも小さく形成され、第３接触点が第２端部よりもジッパー開封方向において前側にあり、第１端部と第１接触点とが、該仮想直線を介して両側に配置され、第３傾斜部のジッパー開封方向において後側への仮想延長線（ｆ１６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、（第２傾斜部の一方の端部である第２接触点は、第２傾斜部の他方の端部である第３接触点よりもジッパー開封方向において前側に位置し、）第１傾斜部の該仮想直線との間の鋭角の角度（α１１）が、第２傾斜部の該仮想直線との間の鋭角の角度（「第２傾斜部の該仮想直線との間の鋭角の角度で、ジッパー開封方向における前側の角度」としてもよい）（α１２）よりも大きく形成され、第１傾斜部と第２傾斜部間の角度（「第１傾斜部の第１接触点からの仮想延長線と第２傾斜部の第２接触点からの仮想延長線間の角度」としてもよい）で、第３接触点と第１端部とを結ぶ第２仮想直線（４１８）側の角度（α１３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【０１２８】
第２４の構成のカートン用ジッパーにおいては、第１端部と第１接触点とが、該仮想直線を介して両側に配置され、第３傾斜部のジッパー開封方向において後側への仮想延長線（ｆ１６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１２９】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１３０】
また、第１傾斜部の該仮想直線との間の鋭角の角度（α１１）が、第２傾斜部の該仮想直線との間の鋭角の角度（α１２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１３１】
また、第１傾斜部と第２傾斜部間の角度で、第３接触点と第１端部とを結ぶ第２仮想直線（４１８）側の角度（α１３）が直角以下であるので、その分、第１傾斜部の仮想直線に対する角度（α１１）を大きくすることができて、１つ前の切込みからの破断力を第１傾斜部で受け止めやすく、また、第１傾斜部と第２傾斜部間の角度で、第３接触点と第１端部とを結ぶ第２仮想直線（４１８）側の角度（α１３）が直角以下であるので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１３２】
さらには、第３傾斜部が、ジッパー開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１３３】
なお、上記第２４の構成において、第２傾斜部が、第２接触点が第３接触点よりもジッパー開封方向において前側に位置するように第１仮想延長線に対して傾斜しているものとしてもよい。
【０１３４】
また、第２５には、上記第２３又は第２４の構成において、第１端部から仮想直線までの長さ（Ｌ１１）が、第１接触点と第２接触点間に形成されたアール部から仮想直線までの最大長さ（Ｌ１２’）よりも長いことを特徴とする。
【０１３５】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１３６】
また、第２６には、シート状の紙製ブランクにより形成されたカートンに用いるカートン用切れ目線であって、該カートン用切れ目線が、複数の切込み（４１０、４２０）を間隔を介して列状に配設してなり、切込みが、第１傾斜部（４１２、４２２）と、第１傾斜部の一方の端部である第１接触点（ｍ１２、ｍ２２）から形成された第２傾斜部（４１４、４２４）と、第２傾斜部の第１接触点とは反対側の端部である第２接触点（ｍ１３、ｍ２３）から形成された第３傾斜部（４１６、４２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、第３傾斜部が、第２接触点と第３傾斜部の第２接触点とは反対側の端部である第２端部（ｍ１４、ｍ２４）間に直線状に切れ目線開封方向に対して傾斜して形成され、第２端部が切れ目線開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりも切れ目線開封方向において前側にあり、第１端部と第１接触点とが、該仮想直線を介して両側に配置され、第３傾斜部の切れ目線開封方向において後側への仮想延長線（ｆ１６、ｆ２６）が切れ目線開封方向において後側に隣接する他の第１切込みの第１傾斜部と交わり、第１傾斜部が、第１端部が第１接触点よりも切れ目線開封方向において前側に位置するように仮想直線に対して傾斜して形成され、（第２傾斜部の一方の端部である第１接触点は、第２傾斜部の他方の端部である第２接触点よりも切れ目線開封方向において前側に位置し、）第１傾斜部の該仮想直線との間の鋭角の角度（α１１、α２１）が、第２傾斜部の該仮想直線との間の鋭角の角度（「第２傾斜部の該仮想直線との間の鋭角の角度で、切れ目線開封方向における前側の角度」としてもよい）（α１２、α２２）よりも大きく形成され、第１傾斜部と第２傾斜部間の角度で、第１端部と第２接触点とを結ぶ第２仮想直線（４１８、４２８）側の角度（α１３、α２３）が直角以下であることを特徴とする。
【０１３７】
第２６の構成のカートン用切れ目線においては、第１端部と第１接触点とが、該仮想直線を介して両側に配置され、第３傾斜部の切れ目線開封方向において後側への仮想延長線（ｆ１６、ｆ２６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１３８】
また、第１傾斜部が、第１端部が第１接触点よりも切れ目線開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１３９】
また、第１傾斜部の該仮想直線との間の鋭角の角度（α１１、α２１）が、第２傾斜部の該仮想直線との間の鋭角の角度（α１２、α２２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１４０】
また、第１傾斜部と第２傾斜部間の角度で、第１端部と第２接触点とを結ぶ第２仮想直線（４１８、４２８）側の角度（α１３、α２３）が直角以下であるので、その分、第１傾斜部の仮想直線に対する角度（α１１、α２１）を大きくすることができて、１つ前の切込みからの破断力を第１傾斜部で受け止めやすく、また、第１傾斜部と第２傾斜部間の角度で、第１端部と第２接触点とを結ぶ第２仮想直線（４１８、４２８）側の角度（α１３、α２３）が直角以下であるので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１４１】
さらには、第３傾斜部が、切れ目線開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１４２】
なお、上記第２６の構成において、第２傾斜部が、第１接触点が第２接触点よりも切れ目線開封方向において前側に位置するように第１仮想延長線に対して傾斜しているものとしてもよい。
【０１４３】
また、第２７には、上記第２６の構成において、第１端部から仮想直線までの長さ（Ｌ１１）が、第１接触点から仮想直線までの長さ（Ｌ１２）よりも長いことを特徴とする。
【０１４４】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１４５】
また、第２８には、シート状の紙製ブランクにより形成されたカートンに用いるカートン用切れ目線であって、該カートン用切れ目線が、複数の切込み（４１０）を間隔を介して列状に配設してなり、切込みが、第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（４１５）とを有し、第１傾斜部が、第１傾斜部の他方の端部である第１端部（ｍ１１）と第１接触点間に直線状に形成され、第２傾斜部が、第２接触点と第３接触点間に直線状に形成され、第３傾斜部が、第４接触点と第３傾斜部の第４接触点とは反対側の端部である第２端部（ｍ１４）間に直線状に切れ目線開封方向に対して傾斜して形成され、第２端部がジッパー開封方向の仮想直線で、第３傾斜部の切れ目線開封方向において前側への仮想延長線である第１仮想延長線（ｇ１６）と第２傾斜部の第３接触点からの第２仮想延長線（ｅ１４）の交点（ｍ１３’）を通る仮想直線（ｅ１６’）を介して第２接触点とは反対側にあり、第１仮想延長線と仮想直線とがなす鋭角（α１６）が、第２仮想延長線と仮想直線とがなす鋭角（α１２）よりも小さく形成され、第４接触点が第２端部よりも切れ目線開封方向において前側にあり、
第１端部と第１接触点とが、仮想直線を介して両側に配置され、第３傾斜部の切れ目線開封方向において後側への仮想延長線である第３仮想延長線（ｆ１６）が切れ目線開封方向において後側に隣接する他の第１切込みの第１傾斜部と交わり、第１傾斜部が、第１端部が第１接触点よりも切れ目線開封方向において前側に位置するように仮想直線に対して傾斜して形成され、（第２傾斜部の一方の端部である第２接触点は、第２傾斜部の他方の端部である第３接触点よりも切れ目線開封方向において前側に位置し、）第１傾斜部の該仮想直線との間の鋭角の角度（α１１）が、第２仮想延長線の該仮想直線との間の鋭角の角度（「第２仮想延長線の該仮想直線との間の鋭角の角度で、切れ目線開封方向における前側の角度」としてもよい）（α１２）よりも大きく形成され、第１傾斜部と第２傾斜部間の角度で、第１仮想延長線と第２仮想延長線の交点（ｍ１３’）と第１端部とを結ぶ第２仮想直線（４１８）側の角度（α１３）が直角以下であることを特徴とする。
【０１４６】
第２８の構成のカートン用切れ目線においては、第１端部と第１接触点とが、仮想直線を介して両側に配置され、第３傾斜部の切れ目線開封方向において後側への仮想延長線である第３仮想延長線（ｆ１６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１４７】
また、第１傾斜部が、第１端部が第１接触点よりも切れ目線開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１４８】
また、第１傾斜部の該仮想直線との間の鋭角の角度（α１１）が、第２仮想延長線の該仮想直線との間の鋭角の角度（α１２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１４９】
また、第１傾斜部と第２傾斜部間の角度で、第１仮想延長線と第２仮想延長線の交点（ｍ１３’）と第１端部とを結ぶ第２仮想直線（４１８）側の角度（α１３）が直角以下であるので、その分、第１傾斜部の第１仮想延長線に対する角度（α１１）を大きくすることができて、１つ前の切込みからの破断力を第１傾斜部で受け止めやすく、また、第１傾斜部と第２傾斜部間の角度で、第１仮想延長線と第２仮想延長線の交点（ｍ１３’）と第１端部とを結ぶ第２仮想直線（４１８）側の角度（α１３）が直角以下であるので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【０１５０】
さらには、第３傾斜部が、切れ目線開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１５１】
なお、上記第２８の構成において、第２傾斜部が、第２接触点が第３接触点よりも切れ目線開封方向において前側に位置するように第１仮想延長線に対して傾斜しているものとしてもよい。
【０１５２】
また、第２９には、シート状の紙製ブランクにより形成されたカートンに用いるカートン用切れ目線であって、該カートン用切れ目線が、複数の切込み（４１０）を間隔を介して列状に配設してなり、切込みが、第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）とを有し、第１傾斜部が、第１傾斜部の他方の端部である第１端部（ｍ１１）と第１接触点間に直線状に形成され、第２傾斜部が、第２接触点と第３接触点間に直線状に形成され、第３傾斜部が、第２傾斜部の第２接触点とは反対側の端部である第３接触点（ｍ１３）から形成され、第３接触点と第３傾斜部の第３接触点とは反対側の端部である第２端部（ｍ１４）間に直線状に切れ目線開封方向に対して傾斜して形成され、第２端部が切れ目線開封方向の仮想直線で第３接触点を通る仮想直線（ｅ１６’）を介して第２接触点とは反対側にあり、第３傾斜部と仮想直線とがなす鋭角（α１６）が、第２傾斜部と仮想直線とがなす鋭角（α１２）よりも小さく形成され、第３接触点が第２端部よりも切れ目線開封方向において前側にあり、第１端部と第１接触点とが、該仮想直線を介して両側に配置され、第３傾斜部の切れ目線開封方向において後側への仮想延長線（ｆ１６）が切れ目線開封方向において後側に隣接する他の第１切込みの第１傾斜部と交わり、第１傾斜部が、第１端部が第１接触点よりも切れ目線開封方向において前側に位置するように仮想直線に対して傾斜して形成され、（第２傾斜部の一方の端部である第２接触点は、第２傾斜部の他方の端部である第３接触点よりも切れ目線開封方向において前側に位置し、）第１傾斜部の該仮想直線との間の鋭角の角度（α１１）が、第２傾斜部の該仮想直線との間の鋭角の角度（「第２傾斜部の該第仮想直線との間の鋭角の角度で、切れ目線開封方向における前側の角度」としてもよい）（α１２）よりも大きく形成され、第１傾斜部と第２傾斜部間の角度で、第３接触点と第１端部とを結ぶ第２仮想直線（４１８）側の角度（α１３）が直角以下であることを特徴とする。
【０１５３】
第２９の構成のカートン用切れ目線においては、第１端部と第１接触点とが、該仮想直線を介して両側に配置され、第３傾斜部の切れ目線開封方向において後側への仮想延長線（ｆ１６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１５４】
また、第１傾斜部が、第１端部が第１接触点よりも切れ目線開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１５５】
また、第１傾斜部の該仮想直線との間の鋭角の角度（α１１）が、第２傾斜部の該仮想直線との間の鋭角の角度（α１２）よりも大きく形成されているので、第１傾斜部の第１仮想直線に対する傾斜が大きく、第１傾斜部からの破断力が第２傾斜部に伝わりやすく、ブランクの紙材の剥離が起こりにくく、ブランクの切断面の見栄えがよい。
【０１５６】
また、第１傾斜部と第２傾斜部間の角度で、第３接触点と第１端部とを結ぶ第２仮想直線（４１８）側の角度（α１３）が直角以下であるので、その分、第１傾斜部の第１仮想延長線に対する角度（α１１）を大きくすることができて、１つ前の切込みからの破断力を第１傾斜部で受け止めやすく、また、第１傾斜部と第２傾斜部間の角度で、第３接触点と第１端部とを結ぶ第２仮想直線（４１８）側の角度（α１３）が直角以下であるので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１５７】
さらには、第３傾斜部が、切れ目線開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１５８】
なお、上記第２９の構成において、第２傾斜部が、第２接触点が第３接触点よりも切れ目線開封方向において前側に位置するように第１仮想延長線に対して傾斜しているものとしてもよい。
【０１５９】
また、第３０には、上記第２８又は第２９の構成において、第１端部から仮想直線までの長さ（Ｌ１１）が、第１接触点と第２接触点間に形成されたアール部から仮想直線までの最大長さ（Ｌ１２’）よりも長いことを特徴とする。
【０１６０】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１６１】
また、第３１には、シート状の紙製ブランクにより形成されたカートンに用いるカートン用ジッパーであって、第１切れ目線と第２切れ目線とを有し、第１切れ目線が、複数の第１切込み（４６０、４７０）を間隔を介して列状に配設してなり、第１切込みが、第１傾斜部（４６２、４７２）と、第１傾斜部の一方の端部である第１接触点（ｍ６２、ｍ７２）から形成された第２傾斜部（４６４、４７４）と、第２傾斜部の第１接触点とは反対側の端部である第２接触点（ｍ６３、ｍ７３）から形成された第３傾斜部（４６６、４７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、第３傾斜部が、第２接触点と第３傾斜部の第２接触点とは反対側の端部である第２端部（ｍ６４、ｍ７４）間に直線状にジッパー開封方向に対して傾斜して形成され、第２端部がジッパー開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりもジッパー開封方向において前側にあり、第１端部と第１接触点とが、該仮想直線を介して両側に配置され、第３傾斜部のジッパー開封方向への仮想延長線（ｆ６６、ｆ７６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第２接触点は、第２傾斜部の他方の端部である第３接触点よりもジッパー開封方向において前側に位置し、第１傾斜部の該仮想直線との間の鋭角の角度（α６１、α７１）が、第２傾斜部の第２接触点における接線（４６４−１’、４７４−１’）の該仮想直線との間の鋭角の角度（「第２傾斜部の第２接触点における接線（４６４−１’、４７４−１’）の該仮想直線との間の鋭角の角度で、ジッパー開封方向における前側の角度」としてもよい）（α６２、α７２）よりも大きく形成され、第１傾斜部と第２傾斜部間の角度で、
第１端部と第２接触点とを結ぶ第２仮想直線（４６８、４７８）側の角度（α６３、α７３）が直角以下であり、第２切れ目線が、第１切れ目線との間の中心線を介して対称形状に形成され、第２切れ目線が、複数の第２切込み（４７０、４６０）を間隔を介して列状に配設してなり、第２切れ目線における各第２切込みが該中心線を介して第１切れ目線における第１切込みと対称形状に形成されていることを特徴とする。
【０１６２】
第３１の構成のカートン用ジッパーにおいては、第１端部と第１接触点とが、該仮想直線を介して両側に配置され、第３傾斜部のジッパー開封方向への仮想延長線（ｆ６６、ｆ７６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１６３】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１６４】
また、第１傾斜部の該仮想直線との間の鋭角の角度（α６１、α７１）が、第２傾斜部の第２接触点における接線（４６４−１’、４７４−１’）の該仮想直線との間の鋭角の角度（α６２、α７２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１６５】
また、第１傾斜部と第２傾斜部間の角度で、第１端部と第２接触点とを結ぶ第２仮想直線（４６８、４７８）側の角度（α６３、α７３）が直角以下であるので、その分、第１傾斜部の仮想直線に対する角度（α６１、α７１）を大きくすることができて、１つ前の切込みからの破断力を第１傾斜部で受け止めやすく、また、第１傾斜部と第２傾斜部間の角度で、第１端部と第２接触点とを結ぶ第２仮想直線（４６８、４７８）側の角度（α６３、α７３）が直角以下であるので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１６６】
さらには、第３傾斜部が、ジッパー開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１６７】
なお、上記第３１の構成において、第２傾斜部の第２接触点における接線（４６４−１’、４７４−１’）が、第２接触点が第３接触点よりもジッパー開封方向において前側に位置するように第１仮想延長線に対して傾斜しているものとしてもよい。
【０１６８】
また、第３２には、上記第３１の構成において、第１端部から仮想直線までの長さ（Ｌ６１、Ｌ７１）が、第１接触点から仮想直線までの長さ（Ｌ６２、Ｌ７２）よりも長いことを特徴とする。
【０１６９】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１７０】
また、第３３には、シート状の紙製ブランクにより形成されたカートンに用いるカートン用ジッパーであって、第１切れ目線と第２切れ目線とを有し、第１切れ目線が、複数の第１切込み（４６０）を間隔を介して列状に配設してなり、第１切込みが、第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（４６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（４６５）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、第３傾斜部が、第４接触点と第３傾斜部の第４接触点とは反対側の端部である第２端部（ｍ６４）間に直線状にジッパー開封方向に対して傾斜して形成され、第２端部がジッパー開封方向の仮想直線で、第３傾斜部のジッパー開封方向において前側への仮想延長線である第１仮想延長線（ｇ６６）と第２傾斜部の第３接触点からの仮想延長線で第２傾斜部と同一曲率の仮想延長線である第２仮想延長線（４６４−１）の交点（ｍ６３’）を通る仮想直線（ｅ６６’）を介して第２接触点とは反対側にあり、第１仮想延長線と仮想直線とがなす鋭角（α６６）が、第２仮想延長線と仮想直線とがなす鋭角（α６２）よりも小さく形成され、第４接触点が第２端部よりもジッパー開封方向において前側にあり、第１端部と第１接触点とが、仮想直線を介して両側に配置され、第３傾斜部のジッパー開封方向への仮想延長線である第２仮想延長線（ｆ６６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第２接触点は、第２傾斜部の他方の端部である第３接触点よりもジッパー開封方向において前側に位置し、第１傾斜部の該仮想直線との間の鋭角の角度（α６１）が、第２仮想延長線（４６４−１）の該仮想直線との交点（ｍ６３’）における第２仮想延長線の接線（４６４−１’）の該第１仮想延長線との間の鋭角の角度（「第２仮想延長線（４６４−１）の該仮想直線との交点（ｍ６３’）における第２仮想延長線の接線（４６４−１’）の該第仮想直線との間の鋭角の角度で、ジッパー開封方向における前側の角度」としてもよい）（α６２）よりも大きく形成され、第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’���と第１端部とを結ぶ第２仮想直線（４６８）側の角度（α６３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【０１７１】
第３３の構成のカートン用ジッパーにおいては、第１端部と第１接触点とが、仮想直線を介して両側に配置され、第３傾斜部のジッパー開封方向への仮想延長線である第２仮想延長線（ｆ６６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１７２】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１７３】
また、第１傾斜部の該仮想直線との間の鋭角の角度（α６１）が、第２仮想延長線（４６４−１）の該仮想直線との交点（ｍ６３’）における第２仮想延長線の接線（４６４−１’）の該仮想直線との間の鋭角の角度（α６２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１７４】
また、第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’）と第１端部とを結ぶ仮想直線（４６８）側の角度（α６３）が直角以下であるので、その分、第１傾斜部の第１仮想延長線に対する角度（α６１）を大きくすることができて、１つ前の切込みからの破断力を第１傾斜部で受け止めやすく、また、第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’）と第１端部とを結ぶ仮想直線（４６８）側の角度（α６３）が直角以下であるので、その分、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【０１７５】
さらには、第３傾斜部が、ジッパー開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１７６】
なお、上記第３３の構成において、第２傾斜部の第３接触点からの仮想延長線で第２傾斜部と同一曲率の仮想延長線である第３仮想延長線（４６４−１）の該第１仮想延長線との交点（ｍ６３’）における第３仮想延長線の接線（４６４−１’）が、第２接触点が第３接触点よりもジッパー開封方向において前側に位置するように第１仮想延長線に対して傾斜しているものとしてもよい。
【０１７７】
また、第３４には、シート状の紙製ブランクにより形成されたカートンに用いるカートン用ジッパーであって、第１切れ目線と第２切れ目線とを有し、第１切れ目線が、複数の第１切込み（４６０）を間隔を介して列状に配設してなり、第１切込みが、第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（４６３）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、第３傾斜部が、第２傾斜部の第２接触点とは反対側の端部である第３接触点（ｍ６３）から形成され、第３接触点と直線部の第３接触点とは反対側の端部である第２端部（ｍ６４）間に直線状にジッパー開封方向に対して傾斜して形成され、第２端部がジッパー開封方向の仮想直線で、第３接触点を通る仮想直線（ｅ６６’）を介して第２接触点とは反対側にあり、第３傾斜部と仮想直線とがなす鋭角（α６６）が、第２傾斜部の第３接触点における接線（４６４−１’）と仮想直線とがなす鋭角（α６２）よりも小さく形成され、第３接触点が第２端部よりもジッパー開封方向において前側にあり、第１端部と第１接触点とが、該仮想直線を介して両側に配置され、第３傾斜部のジッパー開封方向への仮想延長線（ｆ６６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第２接触点は、第２傾斜部の他方の端部である第３接触点よりもジッパー開封方向において前側に位置し、第１傾斜部の該仮想直線との間の鋭角の角度（α６１）が、第２傾斜部の第３接触点における接線（４６４−１’）の該仮想直線との間の鋭角の角度（「第２傾斜部の第３接触点における接線（４６４−１’）の該第１仮想延長線との間の鋭角の角度で、ジッパー開封方向における前側の角度」としてもよい）（α６２）よりも大きく形成され、第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【０１７８】
第３４の構成のカートン用ジッパーにおいては、第１端部と第１接触点とが、該仮想直線を介して両側に配置され、第３傾斜部のジッパー開封方向への仮想延長線（ｆ６６）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１７９】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１８０】
また、第１傾斜部の該仮想直線との間の鋭角の角度（α６１）が、第２傾斜部の第３接触点における接線（４６４−１’）の該仮想直線との間の鋭角の角度（α６２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１８１】
また、第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であるので、その分、第１傾斜部の第１仮想延長線に対する角度（α６１）を大きくすることができて、１つ前の切込みからの破断力を第１傾斜部で受け止めやすく、また、第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であるので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１８２】
さらには、第３傾斜部が、ジッパー開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０１８３】
なお、上記第３４の構成において、第２傾斜部の第２接触点における接線（４６４−１’）が、第２接触点が第３接触点よりもジッパー開封方向において前側に位置するように第１仮想延長線に対して傾斜しているものとしてもよい。
【０１８４】
また、第３５には、上記第３３又は第３４の構成において、第１端部から仮想直線までの長さ（Ｌ６１）が、第１接触点と第２接触点間に形成されたアール部から仮想直線までの最大長さ（Ｌ６２’）よりも長いことを特徴とする請求項３３又は３４に記載のカートン用ジッパー。
【０１８５】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１８６】
また、第３６には、シート状の紙製ブランクにより形成されたカートンに用いるカートン用切れ目線であって、該カートン用切れ目線が、複数の切込み（４６０、４７０）を間隔を介して列状に配設してなり、切込みが、第１傾斜部（４６２、４７２）と、第１傾斜部の一方の端部である第１接触点（ｍ６２、ｍ７２）から形成された第２傾斜部（４６４、４７４）と、第２傾斜部の第１接触点とは反対側の端部である第２接触点（ｍ６３、ｍ７３）から形成された第３傾斜部（４６６、４７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、第３傾斜部が、第２接触点と第３傾斜部の第２接触点とは反対側の端部である第２端部（ｍ６４、ｍ７４）間に直線状に切れ目線開封方向に対して傾斜して形成され、第２端部が切れ目線開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりも切れ目線開封方向において前側にあり、第１端部と第１接触点とが、該仮想直線を介して両側に配置され、第３傾斜部の切れ目線開封方向への仮想延長線（ｆ６６、ｆ７６）が切れ目線開封方向において後側に隣接する他の第１切込みの第１傾斜部と交わり、第１傾斜部が、第１端部が第１接触点よりも切れ目線開封方向において前側に位置するように仮想直線に対して傾斜して形成され、第２傾斜部の一方の端部である第１接触点は、第２傾斜部の他方の端部である第２接触点よりも切れ目線開封方向において前側に位置し、第１傾斜部の該仮想直線との間の鋭角の角度（α６１、α７１）が、第２傾斜部の第２接触点における接線（４６４−１’、４７４−１’）の該仮想直線との間の鋭角の角度（「第２傾斜部の第２接触点における接線（４６４−１’、４７４−１’）の該仮想直線との間の鋭角の角度で、切れ目線開封方向における前側の角度」としてもよい）（α６２、α７２）よりも大きく形成され、第１傾斜部と第２傾斜部間の角度で、第１端部と第２接触点とを結ぶ第２仮想直線（４６８、４７８）側の角度（α６３、α７３）が直角以下であることを特徴とする。
【０１８７】
第３６の構成のカートン用切れ目線においては、第１端部と第１接触点とが、該仮想直線を介して両側に配置され、第３傾斜部の切れ目線開封方向への仮想延長線（ｆ６６、ｆ７６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１８８】
また、第１傾斜部が、第１端部が第１接触点よりも切れ目線開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１８９】
また、第１傾斜部の該仮想直線との間の鋭角の角度（α６１、α７１）が、第２傾斜部の第２接触点における接線（４６４−１’、４７４−１’）の該仮想直線との間の鋭角の角度（α６２、α７２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１９０】
また、第１傾斜部と第２傾斜部間の角度で、第１端部と第２接触点とを結ぶ第２仮想直線（４６８、４７８）側の角度（α６３、α７３）が直角以下であるので、その分、第１傾斜部の第１仮想延長線に対する角度（α６１、α７１）を大きくすることができて、１つ前の切込みからの破断力を第１傾斜部で受け止めやすく、また、第１傾斜部と第２傾斜部間の角度で、第１端部と第２接触点とを結ぶ第２仮想直線（４６８、４７８）側の角度（α６３、α７３）が直角以下であるので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１９１】
なお、上記第３６の構成において、第２傾斜部の第２接触点における接線（４６４−１’、４７４−１’）が、第２接触点が第３接触点よりも切れ目線開封方向において前側に位置するように第１仮想延長線に対して傾斜しているものとしてもよい。
【０１９２】
また、第３７には、上記第３６の構成において、第１端部から仮想直線までの長さ（Ｌ６１、Ｌ７１）が、第１接触点から仮想直線までの長さ（Ｌ６２、Ｌ７２）よりも長いことを特徴とする。
【０１９３】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１９４】
また、第３８には、シート状の紙製ブランクにより形成されたカートンに用いるカートン用切れ目線であって、該カートン用切れ目線が、複数の切込み（４６０）を間隔を介して列状に配設してなり、切込みが、第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（４６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（４６５）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、第３傾斜部が、第４接触点と第３傾斜部の第４接触点とは反対側の端部である第２端部（ｍ６４）間に直線状に切れ目線開封方向に対して傾斜して形成され、第２端部が切れ目線開封方向の仮想直線で、第３傾斜部の切れ目線開封方向において前側への仮想延長線である第１仮想延長線（ｇ６６）と第２傾斜部の第３接触点からの仮想延長線で第２傾斜部と同一曲率の仮想延長線である第２仮想延長線（４６４−１）の交点（ｍ６３’）を通る仮想直線（ｅ６６’）を介して第２接触点とは反対側にあり、第１仮想延長線と仮想直線とがなす鋭角（α６６）が、第２仮想延長線と仮想直線とがなす鋭角（α６２）よりも小さく形成され、第４接触点が第２端部よりも切れ目線開封方向において前側にあり、第１端部と第１接触点とが、仮想直線を介して両側に配置され、第３傾斜部の切れ目線開封方向への仮想延長線である第２仮想延長線（ｆ６６）が切れ目線開封方向において後側に隣接する他の第１切込みの第１傾斜部と交わり、第１傾斜部が、第１端部が第１接触点よりも切れ目線開封方向において前側に位置するように仮想直線に対して傾斜して形成され、第２傾斜部の一方の端部である第２接触点は、第２傾斜部の他方の端部である第３接触点よりも切れ目線開封方向において前側に位置し、第１傾斜部の該仮想直線との間の鋭角の角度（α６１）が、第２仮想延長線（４６４−１）の該仮想直線との交点（ｍ６３’）における第２仮想延長線の接線（４６４−１’）との間の鋭角の角度（「第２仮想延長線（４６４−１）の該仮想直線との交点（ｍ６３’）における第２仮想延長線の接線（４６４−１’）の該仮想直線との間の鋭角の角度で、切れ目線開封方向における前側の角度」としてもよい）（α６２）よりも大きく形成され、第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’）と第１端部とを結ぶ仮想直線（４６８）側の角度（α６３）��直角以下であることを特徴とする。
【０１９５】
第３８の構成のカートン用ジッパーにおいては、第１端部と第１接触点とが、仮想直線を介して両側に配置され、第３傾斜部の切れ目線開封方向への仮想延長線である第２仮想延長線（ｆ６６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０１９６】
また、第１傾斜部が、第１端部が第１接触点よりも切れ目線開封方向において前側に位置するように仮想直線に対して傾斜して形成されているので、第１傾斜部に伝えられた破断力をスムーズに第２傾斜部に伝えることができる。よって、少ない力で破断を行なうことができる。
【０１９７】
また、第１傾斜部の該仮想直線との間の鋭角の角度（α６１）が、第２仮想延長線（４６４−１）の該仮想直線との交点（ｍ６３’）における第２仮想延長線の接線（４６４−１’）との間の鋭角の角度（α６２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０１９８】
また、第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’）と第１端部とを結ぶ仮想直線（４６８）側の角度（α６３）が直角以下であるので、その分、第１傾斜部の第１仮想延長線に対する角度（α６１、α７１）を大きくすることができて、１つ前の切込みからの破断力を第１傾斜部で受け止めやすく、また、第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’）と第１端部とを結ぶ仮想直線（４６８）側の角度（α６３）が直角以下であるので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０１９９】
さらには、第３傾斜部が、切れ目線開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０２００】
なお、上記第３８の構成において、第２傾斜部の第３接触点からの仮想延長線で第２傾斜部と同一曲率の仮想延長線である第３仮想延長線（４６４−１）の該第１仮想延長線との交点（ｍ６３’）における第３仮想延長線の接線（４６４−１’）が、第２接触点が第３接触点よりも切れ目線開封方向において前側に位置するように第１仮想延長線に対して傾斜しているものとしてもよい。
【０２０１】
また、第３９には、シート状の紙製ブランクにより形成されたカートンに用いるカートン用切れ目線であって、該カートン用切れ目線が、複数の切込み（４６０）を間隔を介して列状に配設してなり、切込みが、第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（４６３）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、第３傾斜部が、第２傾斜部の第２接触点とは反対側の端部である第３接触点（ｍ６３）から形成され、第３接触点と直線部の第３接触点とは反対側の端部である第２端部（ｍ６４）間に直線状に切れ目線開封方向に対して傾斜して形成され、第２端部が切れ目線開封方向の仮想直線で、第３接触点を通る仮想直線（ｅ６６’）を介して第２接触点とは反対側にあり、第３傾斜部と仮想直線とがなす鋭角（α６６）が、第２傾斜部の第３接触点における接線（４６４−１’）と仮想直線とがなす鋭角（α６２）よりも小さく形成され、第３接触点が第２端部よりも切れ目線開封方向において前側にあり、第１端部と第１接触点とが、該仮想直線を介して両側に配置され、第３傾斜部の切れ目線開封方向への仮想延長線（ｆ６６）が切れ目線開封方向において後側に隣接する他の第１切込みの第１傾斜部と交わり、第１傾斜部が、第１端部が第１接触点よりも切れ目線開封方向において前側に位置するように仮想直線に対して傾斜して形成され、
第２傾斜部の一方の端部である第２接触点は、第２傾斜部の他方の端部である第３接触点よりも切れ目線開封方向において前側に位置し、第１傾斜部の該仮想直線との間の鋭角の角度（α６１）が、第２傾斜部の第３接触点における接線（４６４−１’）の該仮想直線との間の鋭角の角度（α６２）よりも大きく形成され、第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であることを特徴とする。
【０２０２】
第３９の構成のカートン用ジッパーにおいては、第１端部と第１接触点とが、該仮想直線を介して両側に配置され、第３傾斜部の切れ目線開封方向への仮想延長線（ｆ６６）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第３傾斜部からの破断力を第１傾斜部により広く受け止め、第１傾斜部以外に１つ前の切込みの第３傾斜部からの破断力を直接受け止める切込みがないので、破断の際の感触を一定にできて円滑な破断を行なうことができる。また、剥離を生じるおそれが少ないので、その分少ない力で破断を行なうことができる。
【０２０３】
また、第１傾斜部が、第１端部が第１接触点よりも切れ目線開封方向において前側に位置するように仮想直線に対して傾斜して形成されているので、第１傾斜部に伝えられた破断力をスムーズに第２傾斜部に伝えることができる。よって、少ない力で破断を行なうことができる。
【０２０４】
また、第１傾斜部の該仮想直線との間の鋭角の角度（α６１）が、第２傾斜部の第３接触点における接線（４６４−１’）の該仮想直線との間の鋭角の角度（「第２傾斜部の第２接触点における接線（４６４−１’）の該第１仮想延長線との間の鋭角の角度で、切れ目線開封方向における前側の角度」としてもよい）（α６２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【０２０５】
また、第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であるので、その分、第１傾斜部の第１仮想延長線に対する角度（α６１）を大きくすることができて、１つ前の切込みからの破断力を第１傾斜部で受け止めやすく、また、第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であるので、その分、第３傾斜部の長さを確保することができる。また、第３傾斜部の長さを確保することにより、第３傾斜部からの破断力が拡散する角度を小さくして、確実に次の切込みの第１傾斜部に破断力を伝えることができる。よって、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０２０６】
さらには、第３傾斜部が、切れ目線開封方向に対して傾斜しているので、ある切込みにおける第２端部と、該切込みに対して開封方向に隣接する切込みにおける第１接触点間の仮想直線と直角方向の長さを長くすることでき、これにより、第１接触点の位置からブランクが剥離することを防止することができる。また、第１接触点と仮想直線間の長さを短くしても剥離防止できるので、ブランクの切断面の凹凸を小さくすることができる。
【０２０７】
なお、上記第３９の構成において、第２傾斜部の第２接触点における接線（４６４−１’）が、第２接触点が第３接触点よりも切れ目線開封方向において前側に位置するように第１仮想延長線に対して傾斜しているものとしてもよい。
【０２０８】
また、第４０には、上記第３８又は第３９の構成において、第１端部から仮想直線までの長さ（Ｌ６１）が、第１接触点と第２接触点間に形成されたアール部から仮想直線までの最大長さ（Ｌ６２’）よりも長いことを特徴とする。
【０２０９】
よって、ブランクの切断面の凹凸を小さくすることができ、ブランクの切断面の見栄えをよくすることができる。また、１つ前の切込みからの破断力を広く受け止めることができ、ブランクの紙材の剥離が少なく、また、少ない力で破断を行なうことができる。また、第３傾斜部からの破断力を第１傾斜部により広く受け止め、破断の際の感触を一定にできて円滑な破断を行なうことができる。
【０２１０】
また、第４１には、シート状の紙製ブランクにより形成されたカートンであって、上記第１又は２又は３又は４又は５又は１１又は１２又は１３又は１４又は１５又は２１又は２２又は２３又は２４又は２５又は３１又は３２又は３３又は３４又は３５の構成のカートン用ジッパーが形成されていることを特徴とする。
【０２１１】
また、第４２には、シート状の紙製ブランクにより形成されたカートンであって、上記第６又は７又は８又は９又は１０又は１６又は１７又は１８又は１９又は２０又は２６又は２７又は２８又は２９又は３０又は３６又は３７又は３８又は３９又は４０の構成のカートン用切れ目線が形成されていることを特徴とする。
【発明の効果】
【０２１２】
本発明に基づくカートン用ジッパー、カートン用切れ目線及びカートンによれば、第１端部と第１接触点とが、直線部のジッパー開封方向（切れ目線開封方向）において前側への仮想延長線である第１仮想延長線を介して両側に配置され、直線部のジッパー開封方向（切れ目線開封方向）への仮想延長線である第２仮想延長線がジッパー開封方向（切れ目線開封方向）において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、直線部からの破断力を第１傾斜部により広く受け止め、第１傾斜部以外に１つ前の切込みの直線部からの破断力を直接受け止める切込みがないので、破断の際の感触を一定にできて円滑な破断を行なうことができる。
【０２１３】
また、第１傾斜部が、第１端部が第１接触点よりもジッパー開封方向（切れ目線開封方向）において前側に位置するように第１仮想延長線に対して傾斜して形成されているので、第１傾斜部に伝えられた破断力をスムーズに第２傾斜部に伝えることができる。よって、少ない力で破断を行なうことができる。
【０２１４】
また、第１傾斜部の該第１仮想延長線との間の鋭角の角度が、第２傾斜部についての鋭角の角度よりも大きく形成されているので、第１傾斜部の第１仮想延長線に対する傾斜が大きく、第１傾斜部からの破断力が第２傾斜部に伝わりやすく、ブランクの紙材の剥離が起こりにくい。
【０２１５】
また、第１傾斜部と第２傾斜部間の角度（第４仮想延長線と第５仮想延長線の接線との間の角度、第３仮想延長線と第４仮想延長線の接線との間の角度）が直角以下であるので、その分、第１傾斜部の第１仮想延長線に対する角度を大きくすることができて、１つ前の切込みからの破断力を第１傾斜部で受け止めやすく、また、直線部の長さを確保することができる。また、直線部の長さを確保することにより、直線部からの破断力が拡散する角度を小さくして、確実に次の切込みの第１傾斜部に破断力を伝えることができる。よって、ブランクの紙材の剥離が少なく、また、少ない力で破断を行なうことができる。また、直線部からの破断力を第１傾斜部により広く受け止め、破断の際の感触を一定にできて円滑な破断を行なうことができる。
【図面の簡単な説明】
【０２１６】
【図１】ジッパーの構成を示す平面図である（実施例１）。
【図２】図１のジッパーの要部を示す説明図である。
【図３】図２の要部拡大図である。
【図４】図２の要部拡大図である。
【図５】実施例１のジッパーを用いたカートンの例を示す斜視図である。
【図６】実施例１のジッパーを用いたカートンの例を示す展開図である。
【図７】実施例１のジッパーの使用状態を説明する説明図である。
【図８】切れ目線の構成を示す平面図である（実施例２）。
【図９】実施例２の切れ目線を用いたカートンの例を示す斜視図である。
【図１０】実施例２の切れ目線を用いたカートンの例を示す展開図である。
【図１１】切れ目線の他の構成を示す平面図である（実施例２）。
【図１２】切込みの他の構成を示す説明図である。
【図１３】切込みの他の構成を示す説明図である。
【図１４】ジッパーの構成を示す平面図である（実施例３）。
【図１５】図１４のジッパーの要部を示す説明図である。
【図１６】図１５の要部拡大図である。
【図１７】図１５の要部拡大図である。
【図１８】実施例３のジッパーの作用を説明する説明図である。
【図１９】切れ目線の構成を示す平面図である（実施例４）。
【図２０】切れ目線の他の構成を示す平面図である（実施例４）。
【図２１】切込みの他の構成を示す説明図である。
【図２２】切込みの他の構成を示す説明図である。
【図２３】ジッパーの構成を示す平面図である（実施例５）。
【図２４】図２３のジッパーの要部を示す説明図である。
【図２５】図２４の要部拡大図である。
【図２６】図２４の要部拡大図である。
【図２７】切れ目線の構成を示す平面図である（実施例６）。
【図２８】切れ目線の他の構成を示す平面図である（実施例６）。
【図２９】切込みの他の構成を示す説明図である。
【図３０】切込みの他の構成を示す説明図である。
【図３１】ジッパーの構成を示す平面図である（実施例７）。
【図３２】図３１のジッパーの要部を示す説明図である。
【図３３】図３２の要部拡大図である。
【図３４】図３２の要部拡大図である。
【図３５】切れ目線の構成を示す平面図である（実施例８）。
【図３６】切れ目線の他の構成を示す平面図である（実施例８）。
【図３７】切込みの他の構成を示す説明図である。
【図３８】切込みの他の構成を示す説明図である。
【図３９】従来のジッパーを示す平面図である。
【図４０】図３９に示すジッパーの使用状態を説明する説明図である。
【図４１】従来のジッパーを示す平面図である。
【図４２】図４１に示すジッパーの使用状態を説明する説明図である。
【発明を実施するための形態】
【０２１７】
本発明においては、カートン用のジッパーや切れ目線の切断構造において、切断後のブランクの切断線の見栄えがよく、また、少ない力で破断を行なうことができ、さらには、破断の際の感触が一定で円滑な破断を行なうことができる切断構造を提供するという目的を以下のようにして実現した。
【実施例１】
【０２１８】
本発明に基づくカートン用切断構造としてのジッパーＡは、図１〜図４に示すように構成され、互いに並設された切れ目線Ａ１、Ａ２と、開封開始位置の片部３０を形成するための切込みＡ３とを有している。つまり、切れ目線Ａ１と切れ目線Ａ２とは、互いに平行に２列に形成されている。ジッパーＡは、カートンを構成するシート状のブランク（例えば、段ボールや厚紙）に形成されている。
【０２１９】
ここで、切れ目線Ａ１は、複数の切込み１０を間隔を介して一列に配設したもので、各切込み１０は、第１傾斜部１２と、第１傾斜部１２の端部から連設された第２傾斜部１４と、第２傾斜部１４の第１傾斜部１２とは反対側の端部から連設された直線部１６とを有している。第１傾斜部１２と第２傾斜部１４と直線部１６とは、ともにブランクの表面から裏面まで貫通した切込みにより形成されている。
【０２２０】
ここで、第１傾斜部１２は、直線部１６のジッパー開封方向（「ジッパー破断方向」としてもよい）において前側への延長線（仮想延長線）（第１仮想延長線）ｅ１６（直線部１６の方向（開封方向、Ｘ１−Ｘ方向）としてもよい）に対して傾斜して形成され、第１傾斜部１２と延長線ｅ１６間の角度（第２傾斜部１４側の角度、開封方向における後側の角度）はα１１で、角度α１１は鋭角となっている。また、第１傾斜部１２の延長線ｅ１６に対する直角方向（Ｙ１−Ｙ２方向）に対する角度はα１４となっている（α１４は０より大きい鋭角となっている（つまり、α１４の大きさは、９０度−α１１である）））。この第１傾斜部１２は、直線状に形成されている。つまり、延長線ｅ１６は、直線部１６のジッパー開封方向と反対方向への仮想延長線である。
【０２２１】
第１傾斜部１２の第２傾斜部１４側とは反対側の端部（第１端部）ｍ１１が、第１傾斜部１２の第２傾斜部１４との接触点（第１接触点）ｍ１２よりも開封方向において前側（Ｘ１側）にある。つまり、端部ｍ１１が接触点ｍ１２よりもジッパー開封方向において前側に位置するように延長線ｅ１６に対して傾斜している。なお、ジッパー開封方向は、Ｘ１側からＸ２側への方向であり、Ｘ１側がジッパー開封方向において前側であり、Ｘ２側がジッパー開封方向において後側である。
【０２２２】
また、端部ｍ１１と接触点ｍ１２とは、直線部１６の延長線ｅ１６を介して両側に配置されている。つまり、延長線ｅ１６の一方の側（内側）に端部ｍ１１があり、他方の側（外側）に接触点ｍ１２がある。これにより、開封方向前側（Ｘ１側）の切込み１０の直線部１６の後端の端部ｍ１４からの直線部１６のジッパー開封方向への延長線（直線状の延長線）（仮想延長線）（第２仮想延長線）ｆ１６が、第１傾斜部１２と交わるようになっている。つまり、ある切込み１０の直線部１６の延長線ｆ１６が、開封方向に隣接する切込み１０の第１傾斜部１２と交わる。
【０２２３】
また、端部ｍ１１と延長線ｅ１６間の長さＬ１１は、接触点ｍ１２と延長線ｅ１６間の長さＬ１２よりも長く形成され（Ｌ１１＞Ｌ１２）、これにより、第１傾斜部１２と延長線ｅ１６の交点をｍ１６とした場合に、端部ｍ１１と交点ｍ１６間の距離は、接触点ｍ１２と交点ｍ１６間の距離よりも長く形成されている。
【０２２４】
また、第２傾斜部１４は、延長線ｅ１６に対して傾斜して形成され、第２傾斜部１４と延長線ｅ１６間の角度（開封方向における前側の角度）はα１２であり、角度α１２は鋭角となっている。角度α１２と角度α１１とは、延長線ｅ１６に沿って互いに対向している。また、第２傾斜部１４と第１傾斜部１２間の角度（端部ｍ１１と接触点（第２接触点）ｍ１３を結ぶ直線（仮想直線）１８側の角度（延長線ｅ１６側の角度としてもよい））はα１３となっている。第２傾斜部１４は、直線状に形成されている。
【０２２５】
また、第２傾斜部１４の第１傾斜部１２との接触点ｍ１２は、第２傾斜部１４の直線部１６との接触点ｍ１３よりも開封方向において前側（Ｘ１側）にある。
【０２２６】
また、直線部１６は、接触点ｍ１３からジッパー開封方向に沿って（つまり、Ｘ１−Ｘ２方向に）形成され、直線状に形成されている。つまり、直線部１６は、接触点ｍ１３と端部（第２端部）ｍ１４間に直線状にジッパー開封方向に形成されている。なお、接触点ｍ１３は、端部ｍ１４よりもジッパー開封方向において前側にある。直線部１６と第２傾斜部１４とがなす角度α１５（直線部１６と第２傾斜部１４とがなす角度で大きい方の角度）は、鈍角に形成されている。
【０２２７】
ここで、第１傾斜部１２の長さ（第１傾斜部１２に沿った長さ）と第２傾斜部１４の長さ（第２傾斜部１４に沿った長さ）と直線部１６の長さ（直線部１６に沿った長さ）とを比較すると、第２傾斜部１４が最も長く形成され、第１傾斜部１２が最も短く形成されている。
【０２２８】
また、角度α１１と角度α１２とを比較すると、角度α１１が角度α１２よりも大きく形成されている（α１１＞α１２）。例えば、角度α１１は７０〜８５度で、角度α１２は５〜３０度に形成されている（なお、角度α１１、α１２は他の角度でもよい）。なお、角度α１１の角度の値は、角度α１２の角度の値の２倍以上（より好適には３倍以上）の角度の値とするのが好ましい。
【０２２９】
また、角度α１３は、直角以下の角度に形成され、例えば、７５〜９０度に形成されている（なお、角度α１３は他の角度でもよい）。
【０２３０】
なお、１つの切れ目線Ａ１の各切込み１０における直線部１６は、同一線上に形成され、ジッパーＡが直線状に形成されている場合には、直線部１６は同一直線上に形成され、ジッパーＡが曲線状に形成されている場合には、直線部１６は同一曲線上に形成される。つまり、ジッパーＡが曲線状に形成されている場合には、直線部１６は、同一曲線上に配置され、例えば、直線部１６の一方の端部である接触点ｍ１３は、同一曲線状に配置され、直線部１６の他方の端部である接触点ｍ１４は、同一曲線状に配置される。
【０２３１】
ジッパーＡの開封方向は、複数の切込み１０における同じ箇所を結ぶ方向といえ、例えば、複数の切込み１０における接触点ｍ１３を結ぶ方向がジッパーＡの開封方向といえ、ジッパーＡが直線状に形成されている場合には、複数の接触点ｍ１３を結ぶ方向が直線状となり、ジッパーＡが曲線状に形成されている場合には、複数の接触点ｍ１３を結ぶ方向が曲線状となる。なお、ジッパーＡの開封方向を複数の切込み２０における同じ箇所を結ぶ方向としてもよく、複数の切込み２０における同じ箇所を結ぶ方向と、複数の切込み１０における同じ箇所を結ぶ方向とは同じ方向である。
【０２３２】
なお、１つの切目線Ａ１において、切込み１０は同じ構成であり、隣接する切込み１０間の間隔は、原則として同一に形成され、少なくともジッパーＡが直線状に形成されている場合には、隣接する切込み１０間の間隔は、同一に形成されている。
【０２３３】
次に、切れ目線Ａ２は、開封方向の切れ目線Ａ１と切れ目線Ａ２間の中心線Ａｈを介して対称に形成され、切れ目線Ａ１と間隔を介して形成されている。
【０２３４】
切れ目線Ａ２は、複数の切込み２０を間隔を介して一列に配設したもので、各切込み２０は、第１傾斜部２２と、第１傾斜部２２の端部から連設された第２傾斜部２４と、第２傾斜部２４の第１傾斜部２２とは反対側の端部から連設された直線部２６とを有している。第１傾斜部２２と第２傾斜部２４と直線部２６とは、ともにブランクの表面から裏面まで貫通した切込みにより形成されている。各切込み２０は、切れ目線Ａ１における対応する切込み１０と中心線Ａｈを中心に対称に形成されている。
【０２３５】
ここで、第１傾斜部２２は、直線部２６のジッパー開封方向と反対方向への延長線（仮想延長線）（第１仮想延長線）ｅ２６（直線部２６の方向（開封方向、Ｘ１−Ｘ方向）としてもよい）に対して傾斜して形成され、第１傾斜部２２と延長線ｅ２６間の角度（鋭角の角度）（第２傾斜部２４側の角度、開封方向における後側の角度）はα２１で、第１傾斜部２２の延長線ｅ２６に対する直角方向（Ｙ１−Ｙ２方向）に対する角度はα２４となっている（α２４は０より大きい鋭角である（つまり、α２４の大きさは、９０度−α２１である））。この第１傾斜部２２は、直線状に形成されている。
【０２３６】
第１傾斜部２２の第２傾斜部２４側とは反対側の端部（第１端部）ｍ２１が、第１傾斜部２２の第２傾斜部２４との接触点（第１接触点）ｍ２２よりも開封方向において前側（Ｘ１側）にある。
【０２３７】
また、端部ｍ２１と接触点ｍ２２とは、直線部２６の延長線ｅ２６を介して両側に配置されている。つまり、延長線ｅ２６の一方の側（内側）に端部ｍ２１があり、他方の側（外側）に接触点ｍ２２がある。これにより、開封方向前側（Ｘ１側）の切込み２０の直線部２６の後端の端部（第２端部）ｍ２４からの直線部２６のジッパー開封方向への延長線（直線状の延長線）（仮想延長線）（第２仮想延長線）ｆ２６が、第１傾斜部２２と交わるようになっている。つまり、ある切込み２０の直線部２６の延長線ｆ２６が、開封方向に隣接する切込み２０の第１傾斜部２２と交わる。
【０２３８】
また、端部ｍ２１と延長線ｅ２６間の長さＬ２１は、接触点ｍ２２と延長線ｅ２６間の長さＬ２２よりも長く形成され（Ｌ２１＞Ｌ２２）、これにより、第１傾斜部２２と延長線ｅ２６の交点をｍ１６とした場合に、端部ｍ１１と交点ｍ２６間の距離は、接触点ｍ２２と交点ｍ２６間の距離よりも長く形成されている。
【０２３９】
また、第２傾斜部２４は、延長線ｅ２６に対して傾斜して形成され、第２傾斜部２４と延長線ｅ２６間の角度（鋭角の角度）（開封方向における前側の角度）はα２２であり、また、第２傾斜部２４と第１傾斜部２２間の角度（端部ｍ２１と接触点（第２接触点）ｍ２３を結ぶ直線（仮想直線）２８側の角度（延長線ｅ２６側の角度としてもよい））はα２３となっている。第２傾斜部２４は、直線状に形成されている。
【０２４０】
また、第２傾斜部２４の第１傾斜部２２との接触点ｍ２２は、第２傾斜部２４の直線部２６との接触点ｍ２３よりも開封方向において前側（Ｘ１側）にある。
【０２４１】
また、直線部２６は、接触点ｍ２３から開封方向に向けて形成され、直線状に形成されている。直線部２６と第２傾斜部２４とがなす角度α２５（直線部２６と第２傾斜部２４とがなす角度で大きい方の角度）は、鈍角に形成されている。
【０２４２】
ここで、第１傾斜部２２の長さ（第１傾斜部２２に沿った長さ）と第２傾斜部２４の長さ（第２傾斜部２４に沿った長さ）と直線部２６の長さ（直線部２６に沿った長さ）とを比較すると、第２傾斜部２４が最も長く形成され、第１傾斜部２２が最も短く形成されている。
【０２４３】
また、角度α２１と角度α２２とを比較すると、角度α２１が角度α２２よりも大きく形成されている（α２１＞α２２）。例えば、角度α２１は７０〜８５度で、角度α２２は５〜３０度に形成されている（なお、角度α２１、α２２は他の角度でもよい）。なお、角度α２１の角度の値は、角度α２２の角度の値の２倍以上（より好適には３倍以上）の角度の値とするのが好ましい。
【０２４４】
また、角度α２３は、直角以下の角度に形成され、例えば、７５〜９０度に形成されている（なお、角度α２３は他の角度でもよい）。
【０２４５】
なお、１つの切れ目線Ａ２の各切込み２０における直線部２６は、同一線上に形成され、ジッパーＡが直線状に形成されている場合には、直線部２６は同一直線上に形成され、ジッパーＡが曲線状に形成されている場合には、直線部２６は同一曲線上に形成される。
【０２４６】
なお、１つの切目線Ａ２において、切込み２０は同じ構成であり、隣接する切込み２０間の間隔は、原則として同一に形成され、少なくともジッパーＡが直線状に形成されている場合には、隣接する切込み２０間の間隔は、同一に形成されている。
【０２４７】
なお、切れ目線Ａ１を第１切れ目線とした場合には、切れ目線Ａ２が第２切れ目線となり、切込み１０が第１切込みとなり、切込み２０が第２切込みとなる。切れ目線Ａ１を第２切れ目線とした場合には、切れ目線Ａ２が第１切れ目線となり、切込み１０が第２切込みとなり、切込み２０が第１切込みとなる。
【０２４８】
また、切込みＡ３は、略コ字状を呈し、Ｘ２側（切れ目線Ａ１、Ａ２側）に開口した略コ字状を呈している。つまり、切込みＡ３は、直線部１６の延長線上に形成された直線状の切込み３２と、直線部２６の延長線上に形成された直線状の切込み３４と、切込み３２と切込み３４のＸ１側（切れ目線Ａ１、Ａ２側とは反対側）の端部間を結び、該中心線Ａｈに対して直角をなす切込み３６とを有している。この切込みＡ３により囲まれた領域（つまり、切込みＡ３と、切込み３２のＸ２側の端部と切込み３４のＸ２側の端部とを結ぶ直線により囲まれた領域）が、片部３０となる。
【０２４９】
ジッパーＡの使用に際しては、片部３０を起こして手でつかみ、Ｘ２方向（開封方向）に引っぱることにより、隣接する切込み１０間の隙間と隣接する切込み２０間の隙間が破れてジッパーＡがブランクから分離する。これにより、帯状部４０がブランクから分離し、ブランクには帯状部４０を分離した後の隙間５０が形成される。ブランクには、この隙間の両側に切断面５２、５４が形成される。
【０２５０】
例えば、ジッパーＡをカートンに適用した例は、図５、図６に示すようになり、図５、図６に示すカートンＫ１は、スリーブ状部１０５と、底面部１５０と、蓋部１９２と、差込み片部１９４と、フラップ部１９６、１９８とを有している。
【０２５１】
スリーブ状部１０５は、正面部１１０と、右側面部１２０と、左側面部１３０と、背面部１４０と、糊代部１４２とを有していて、カートンＫ１の側面部を構成する。糊代部１４２は、右側面部１２０の背面側の端部（具体的には、背面側の端部の内側の面）に接着されている。
【０２５２】
また、底面部１５０は、いわゆるワンタッチ底であり、第１片部１６０と、第２片部１７０と、第３片部１８０と、第４片部１９０とを有している。
【０２５３】
第２片部１７０は、折れ線１７０−１を介して本体部１７２と先端部１７４とに区画される。本体部１７２の先端の先端部１７４側には、他方の本体部１８２と互いに係止するように切欠部１７２ａが形成されている。先端部１７４の上面は、第４片部１９０の下面に接着されている。カートンＫ１を折り畳んだ状態とした際に、第２片部１７０は、折れ線１７０−１を介して折り返した状態となる。
【０２５４】
また、第３片部１８０は、折れ線１８０−１を介して本体部１８２と先端部１８４とに区画される。本体部１８２の先端の先端部１８４側には、他方の本体部１７２と互いに係止するように切欠部１８２ａが形成されている。先端部１８４の上面は、第１片部１６０の下面に接着されている。カートンＫ１を折り畳んだ状態とした際に、第３片部１８０は、折れ線１８０−１を介して折り返した状態となる。
【０２５５】
ジッパーＡは、カートンＫ１に２つ形成され、一方のジッパーＡ−１は、正面部１１０の左右方向の中央から右側面部１２０の背面側の上端に向けて形成され、他方のジッパーＡ−２は、正面部１１０の左右方向の中央から左側面部１３０の背面側の上端に向けて形成されている。ジッパーＡ−１、Ａ−２はともにジッパーＡと同一の構成である。
【０２５６】
ジッパーＡ−１を破断するには、ジッパーＡ−１の片部３０を手前に起こして手でつまみ、正面部１１０に対して手前に引っぱった後に、右側面部１２０に対して手前に引っぱり、ジッパーＡ−２を破断するには、ジッパーＡ−２の片部３０を手前に起こして手でつまみ、正面部１１０に対して手前に引っぱった後に、左側面部１３０に対して手前に引っぱる。以上のように、ジッパーＡ−１、Ａ−２を破断して、左側面部１３０の上側の領域及びフラップ部１９８と正面部１１０の上側の領域と右側面部１２０の上側の領域及びフラップ部１９６をカートンＫ１から分離する。
【０２５７】
ここで、ジッパーＡにおいては、直線部１６の後端の端部ｍ１４からの直線部１６の延長線ｆ１６が、次の切込み１０における第１傾斜部１２と交わり（つまり、延長線ｅ１６の両側に端部ｍ１１と接触点ｍ１２がある）、また、直線部２６の後端の端部ｍ２４からの直線部２６の延長線ｆ２６が、次の切込み２０における第１傾斜部２２と交わる（つまり、延長線ｅ２６の両側に端部ｍ２１と接触点ｍ２２がある）ので、第１傾斜部１２、２２により破断力を広く受け止めることができ、図２３に示す従来例のように剥離を生じるおそれが少ない。よって、ブランクの切断面５２、５４の見栄えをよくすることができる（図７参照）。また、直線部１６、２６からの破断力を第１傾斜部１２、２２により広く受け止め、第１傾斜部１２、２２以外に１つ前の切込み１０、２０の直線部１６、２６からの破断力を直接受け止める切込みがないので（例えば、第２傾斜部１４、２４の前側の端部は、直線部１６、２６の延長線からずれているので、第２傾斜部１４、２４により直線部１６、２６からの破断力を直接受け止めることはない）、破断の際の感触を一定にできて円滑な破断を行なうことができる。また、剥離を生じるおそれが少ないので、その分少ない力で破断を行なうことができる。
【０２５８】
また、第１傾斜部１２、２２が開封方向に対する直角方向に対して傾斜しており、第１傾斜部１２、２２の第２傾斜部１４、２４側が開封方向後側（Ｘ２側）となっている（つまり、接触点ｍ１２が端部ｍ１１よりも後側にあり、接触点ｍ２２が端部ｍ２１よりも後側にある）ので、第１傾斜部１２、２２に伝えられた破断力をスムーズに第２傾斜部１４、２４に伝えることができる。よって、少ない力で破断を行なうことができる。
【０２５９】
また、角度α１１が角度α１２よりも大きく、角度α２１が角度α２２よりも大きい（α１１＞α１２、α２１＞α２２）ので、第１傾斜部１２、２２の延長線ｅ１６、ｅ２６に対する傾斜が大きく、第１傾斜部１２、２２からの破断力が第２傾斜部１４、２４に伝わりやすく、ブランクの紙材の剥離が起こりにくい。よって、図７に示すように、ブランクの切断面５２、５４の見栄えをよくすることができる。すなわち、α１１＜α１２、α２１＜α２２であるとすると、第１傾斜部１２、２２の延長線ｅ１６、ｅ２６に対する傾斜が小さくなり、第２傾斜部１４、２４の延長線ｅ１６、ｅ２６に対する傾斜が大きくなるので、第１傾斜部１２、２２からの破断力が第２傾斜部１４、２４に伝わるよりも、ブランクの紙材を剥離する方に使われてしまい、剥離が起こりやすくなるが、本実施例の場合には、そのようなおそれが小さい。
【０２６０】
また、角度α１３、α２３が直角以下に形成されているので、その分、第１傾斜部１２、２２の延長線ｅ１６、ｅ２６に対する角度α１１、α２１を大きくすることができて、１つ前の切込み１０、２０からの破断力を第１傾斜部１２、２２で受け止めやすく、また、角度α１３、α２３が直角以下に形成されているので、その分、直線部１６、２６の長さを確保することができる。すなわち、ジッパーにおける隣接する切込み間のピッチ（例えば、ある切込みの前端から次の切込みの前端までの長さ）は、ある程度決められており（Ｇ段やＦ段で約１０ｍｍ）、すると、角度α１３、α２３が大きくなると、その分直線部１６、２６の長さを確保できず、直線部１６、２６の長さが短いと、その分直線部１６、２６からの破断力が広い角度に拡散しやすいことから、直線部１６、２６の長さを確保することにより、直線部１６、２６からの破断力が拡散する角度を小さくして、確実に次の切込み１０、２０の第１傾斜部１２、２２に破断力を伝えることができる。よって、ブランクの紙材の剥離が少なく、また、少ない力で破断を行なうことができる。また、直線部１６、２６からの破断力を第１傾斜部１２、２２により広く受け止め、第１傾斜部１２、２２以外に直線部１６、２６からの破断力を直接受け止める切込みがないので、破断の際の感触を一定にできて円滑な破断を行なうことができる。
【０２６１】
また、長さＬ１１が長さＬ１２よりも長く形成され、長さＬ２１が長さＬ２２よりも長く形成されているので（Ｌ１１＞Ｌ１２、Ｌ２１＞Ｌ２２）、ブランクの切断面５２、５４（つまり、帯状部４０を除いた後のブランクの切断面）の凹凸を小さくすることができる。つまり、ブランクの切断面の凹凸の深さは、図７の長さｈ１０、ｈ２０により決まるので、Ｌ１２、Ｌ２２を小さくすることによりブランクの切断面５２、５４の凹凸を小さくして、ブランクの切断面５２、５４の見栄えをよくすることができる。
【０２６２】
また、長さＬ１１（Ｌ２１）を長さＬ１２（Ｌ２２）よりも長くするので、１つ前の切込み１０、２０からの破断力を広く受け止めることができる。つまり、１つ前の切込み１０、２０からの破断力においては、切れ目線Ａ１と切れ目線Ａ２間の帯状部４０（図７参照）を引っぱるので直線部１６、２６の延長線上よりも内側に向かう成分が多いが、長さＬ１１、Ｌ２１を長くするので、破断力を広く受け止めることが可能となる。よって、ブランクの紙材の剥離が少なく、また、少ない力で破断を行なうことができる。また、長さＬ１１（Ｌ２１）が長いので、直線部１６、２６からの破断力を第１傾斜部１２、２２により広く受け止め、第１傾斜部１２、２２以外に直線部１６、２６からの破断力を直接受け止める切込みがないので、破断の際の感触を一定にできて円滑な破断を行なうことができる。
【実施例２】
【０２６３】
次に、本発明に基づくカートン用切断構造としての切れ目線Ｂは、図８に示すように構成され、切れ目線Ｂ１と、切れ目線Ｂ１の開封方向前側に形成された切込み３８、３９とを有している。
【０２６４】
ここで、切れ目線Ｂ１は、複数の切込み２０を間隔を介して一列に配設したもので、切れ目線Ｂ１は、切れ目線Ａ２と同様の構成であり、切込み２０の構成は、実施例１における切込み２０と同様の構成であるので、詳しい説明を省略する。つまり、切込み２０は、第１傾斜部２２と、第２傾斜部２４と、直線部２６とを有する。
【０２６５】
また、切込み３８、３９は、直線状に形成され、直線部２６の延長線上に形成されている。なお、開封方向に沿っては、切込み３８、切込み３９、切れ目線Ｂ１の順に形成されている。
【０２６６】
なお、実施例２の切れ目線Ｂにおいては、図８における切れ目線Ｂの上側を切取り側とし、切れ目線Ｂの下側を残す側とする。すなわち、実施例１のジッパーＡにおいて、切れ目線Ａ２の上側が帯状部４０として切り取る側であるので、切れ目線Ｂにおいても上側を切り取り側とする。
【０２６７】
切れ目線Ｂの使用に際しては、切込み３８から破断を開始して、Ｘ２方向（開封方向）に切れ目線Ｂを破断することにより、切れ目線Ｂを形成したブランクが切断される。なお、切れ目線開封方向（「切れ目線破断方向」としてもよい）は、Ｘ１側からＸ２側への方向であり、Ｘ１側が切れ目線開封方向において前側であり、Ｘ２側が切れ目線開封方向において後側である。本実施例の切れ目線開封方向と実施例１のジッパー開封方向は、同じ方向であり、実施例１のジッパー開封方向の代わりに、切れ目線開封方向となっている。
【０２６８】
なお、直線部２６は、接触点ｍ２３から切れ目線開封方向に沿って（つまり、Ｘ１−Ｘ２方向に）形成され、直線状に形成されている。つまり、直線部２６は、接触点ｍ２３と端部ｍ２４間に直線状に切れ目線開封方向に形成されている。なお、接触点ｍ２３は、端部ｍ２４よりも切れ目線開封方向において前側にある。
【０２６９】
また、端部ｍ２１と接触点ｍ２２とが、直線部２６の切れ目線開封方向において前側への延長線ｅ２６を介して両側に配置され、第１傾斜部２２が、端部ｍ２１が接触点ｍ２２よりも切れ目線開封方向において前側に位置するように延長線ｅ２６に対して傾斜している。
【０２７０】
例えば、切れ目線Ｂをカートンに適用した例は、図９、図１０に示すようになり、カートンＫ２において、切込み３８、３９は左側面部１３０の背面側上端に形成され、切込み３９に隣接して、切れ目線Ｂ１の始端が位置し、切れ目線Ｂ１が左側面部１３０を背面側から正面側に向けて斜め下方に形成され、その後、正面部１１０において、左側面側から右側面側に水平に形成され、その後、右側面部１２０において、正面側から背面側に向けて斜め上方に形成され、切れ目線Ｂ１の終端は右側面部１２０の背面側上端に位置している。なお、カートンＫ２は、カートンＫ１におけるジッパーＡ−１、Ａ−２の代わりに切目線Ｂとしたものであり、カートンＫ２において、切目線Ｂ以外の構成は、カートンＫ１と同一の構成となっている。
【０２７１】
切れ目線Ｂの破断に際しては、左側面部１３０の切れ目線Ｂよりも上側の領域を手につかんで、つかんだ左側面部１３０の上側の領域を手前に引っぱって、左側面部１３０における切れ目線Ｂを破断し、その後、正面部１１０の切れ目線Ｂよりも上側の領域を手につかんで、つかんだ正面部１１０の上側の領域を手前に引っぱって、正面部１１０における切れ目線Ｂを破断し、その後、右側面部１２０の切れ目線Ｂよりも上側の領域を手につかんで、つかんだ右側面部１２０の上側の領域を手前に引っぱって、右側面部１２０における切れ目線Ｂを破断することにより、左側面部１３０の上側の領域及びフラップ部１９８と正面部１１０の上側の領域と右側面部１２０の上側の領域及びフラップ部１９６をカートンＫ２から分離する。
【０２７２】
切れ目線Ｂによる作用・効果は、実施例１のジッパーＡの場合と同様である。すなわち、直線部２６の後端の端部ｍ２４からの直線部２６の延長線が、次の切込み２０における第１傾斜部２２と交わる（つまり、延長線ｅ２６の両側に端部ｍ２１と接触点ｍ２２がある）ので、第１傾斜部２２により破断力を広く受け止めることができ、図２３に示す従来例のように剥離を生じるおそれが少ない。よって、ブランクの切断面（図８の切れ目線Ｂの下側の領域の切断面、カートンＫ２では、左側面部１３０の下側領域と正面部１１０の下側領域と右側面部１２０の下側領域の切断面）の見栄えをよくすることができる。また、直線部２６からの破断力を第１傾斜部２２により広く受け止め、第１傾斜部２２以外に直線部２６からの破断力を直接受け止める切込みがないので（例えば、第２傾斜部２４の前側の端部は、直線部２６の延長線からずれているので、第２傾斜部２４により直線部２６からの破断力を直接受け止めることはない）、破断の際の感触を一定にできて円滑な破断を行なうことができる。また、剥離を生じるおそれが少ないので、その分少ない力で破断を行なうことができる。
【０２７３】
また、第１傾斜部２２が開封方向に対する直角方向に対して傾斜しており、第１傾斜部２２の第２傾斜部２４側が開封方向後側となっている（つまり、接触点ｍ２２が端部ｍ２１よりも後側にある）ので、第１傾斜部２２に伝えられた破断力をスムーズに第２傾斜部２４に伝えることができる。よって、少ない力で破断を行なうことができる。
【０２７４】
また、角度α２１が角度α２２よりも大きい（α２１＞α２２）ので、第１傾斜部２２の延長線ｅ２６に対する傾斜が大きく、第１傾斜部２２からの破断力が第２傾斜部２４に伝わりやすく、ブランクの紙材の剥離が起こりにくい。よって、ブランクの切断面（図８の切れ目線Ｂの下側の領域の切断面）の見栄えをよくすることができる。
【０２７５】
また、角度α２３が直角以下に形成されているので、その分、第１傾斜部２２の延長線ｅ２６に対する角度α２１を大きくすることができて、１つ前の切込み２０からの破断力を第１傾斜部２２で受け止めやすく、また、角度α２３が直角以下に形成されているので、その分、直線部２６の長さを確保することができる。直線部２６の長さを確保することにより、直線部２６からの破断力が拡散する角度を小さくして、確実に次の切込み２０の第１傾斜部２２に破断力を伝えることができる。よって、ブランクの紙材の剥離が少なく、また、少ない力で破断を行なうことができる。また、直線部２６からの破断力を第１傾斜部２２により広く受け止め、第１傾斜部２２以外に直線部２６からの破断力を直接受け止める切込みがないので、破断の際の感触を一定にできて円滑な破断を行なうことができる。
【０２７６】
また、長さＬ２１が長さＬ２２よりも長く形成されているので（Ｌ２１＞Ｌ２２）、ブランクの切断面の凹凸を小さくすることができる。よって、Ｌ２２を小さくすることによりブランクの切断面の凹凸を小さくして、ブランクの切断面（図８の切れ目線Ｂの下側の領域の切断面）の見栄えをよくすることができる。
【０２７７】
また、長さＬ２１を長さＬ２２よりも長くするので、１つ前の切込み２０からの破断力を広く受け止めることができる。つまり、１つ前の切込み２０からの破断力においては、図８の切れ目線Ｂよりも上側の領域を引っぱるので直線部２６の延長線上よりも内側に向かう成分が多いが、長さＬ２１を長くするので、破断力を広く受け止めることが可能となる。よって、ブランクの紙材の剥離が少なく、また、少ない力で破断を行なうことができる。また、直線部２６からの破断力を第１傾斜部２２により広く受け止め、第１傾斜部２２以外に直線部２６からの破断力を直接受け止める切込みがないので、破断の際の感触を一定にできて円滑な破断を行なうことができる。
【０２７８】
なお、切れ目線Ｂは、切れ目線Ｂよりも上側の領域を切り取る（すなわち、除去する）場合の例であり、切れ目線よりも下側の領域を切り取る場合には、図１１に示すように、切れ目線Ｂ１として、切れ目線Ａ１の構成の切れ目線（つまり、切込み１０を用いた切れ目線）を使用することになる。その場合の作用・効果は、上記と同様である。
【０２７９】
なお、上記実施例１のジッパーＡの切込み１０の変形例として、第１傾斜部１２と第２傾斜部１４間の角部にアール部が設けられ、第２傾斜部１４と直線部１６間の角部にアール部が設けられていてもよく、切込み２０において、第１傾斜部２２と第２傾斜部２４間の角部にアール部が設けられ、第２傾斜部２４と直線部２６間の角部にアール部が設けられていてもよい。また、実施例２の切れ目線Ｂにおいても同様に、切込み２０において、第１傾斜部２２と第２傾斜部２４間の角部にアール部が設けられ、第２傾斜部２４と直線部２６間の角部にアール部が設けられていてもよい。
【０２８０】
すなわち、変形例としての切込み１０は、図１２に示すように構成され、第１傾斜部１２と第２傾斜部１４間にアール部（アール状部としてもよい。他においても同じ）１３が設けられ、第２傾斜部１４と直線部１６間にアール部（第２アール部）１５が設けられている。このようにアール部１３やアール部１５が設けられるのは、切込み１０を形成するための刃の精度により刃の屈曲する部分がアール状にならざるを得ない場合があることに起因する。
【０２８１】
すなわち、アール部１３は、第１傾斜部１２の一方の端部である接触点（第１接触点）ｍ１２ａと第２傾斜部１４の一方の端部である接触点（第２接触点）ｍ１２ｂ間に形成され、円弧状（略円弧状としてもよい）を呈し、接触点ｍ１２ａで第１傾斜部１２と接するとともに、接触点ｍ１２ｂで第２傾斜部１４と接している。つまり、アール部１３は、第１傾斜部１２と第２傾斜部１４間の角部を円弧状（略円弧状としてもよい）に面取りしたものであり、アール部１３の接触点ｍ１２ａにおける接線は、第１傾斜部１２及びその延長線と一致し（第１傾斜部１２は、アール部１３の接触点ｍ１２ａにおける接線となるとしてもよい）、アール部１３の接触点ｍ１２ｂにおける接線は、第２傾斜部１４及びその延長線と一致する（第２傾斜部１４は、アール部１３の接触点ｍ１２ｂにおける接線となるとしてもよい）。
【０２８２】
また、アール部１５は、第２傾斜部１４の他方の端部である接触点（第３接触点）ｍ１３ａと直線部１６の一方の端部である接触点（第４接触点）ｍ１３ｂ間に形成され、円弧状（略円弧状としてもよい）を呈し、接触点ｍ１３ａで第２傾斜部１４と接するとともに、接触点ｍ１３ｂで直線部１６と接している。つまり、アール部１５は、第２傾斜部１４と直線部１６間の角部を円弧状（略円弧状としてもよい）に面取りしたものであり、アール部１５の接触点ｍ１３ａにおける接線は、第２傾斜部１４及びその延長線と一致し（第２傾斜部１４は、アール部１５の接触点ｍ１３ａにおける接線となるとしてもよい）、アール部１５の接触点ｍ１３ｂにおける接線は、直線部１６及びその延長線と一致する（直線部１６は、アール部１５の接触点ｍ１３ｂにおける接線となるとしてもよい）。
【０２８３】
図１２に示す切込み１０の構成は、アール部１３、１５が設けられている点以外は上記実施例１や実施例２の切込み１０と同様の構成である。
【０２８４】
すなわち、第１傾斜部１２の両側の端部、すなわち、端部ｍ１１と接触点ｍ１２ａとが、延長線ｅ１６を介して両側に配置され、端部ｍ１１が接触点ｍ１２ａよりもジッパー開封方向において前側に位置するように、第１傾斜部１２が延長線ｅ１６に対して傾斜して形成され、第１傾斜部１２と延長線ｅ１６間の角度（第２傾斜部１４側の角度）α１１は鋭角となっている。
【０２８５】
また、第２傾斜部１４は、延長線ｅ１６に対して傾斜して形成され、第２傾斜部１４の接触点ｍ１３ａからの延長線（仮想延長線）（第３仮想延長線）ｅ１４の延長線ｅ１６間の角度α１２は鋭角となっている。なお、角度α１１は、角度α１２よりも大きく形成されている。なお、接触点ｍ１２ｂは、接触点ｍ１３ａよりも開封方向において前側（Ｘ１側）にある。
【０２８６】
また、第１傾斜部１２と第２傾斜部１４間の角度α１３（つまり、第１傾斜部１２の延長線と第２傾斜部１４の延長線との交点ｍ１２’を中心とした角度で、延長線ｅ１６と延長線ｅ１４の交点ｍ１３’と端部ｍ１１とを結ぶ直線１８側の角度）が直角以下となっている。
【０２８７】
また、直線部１６は、接触点ｍ１３ｂと端部ｍ１４間に直線状にジッパー開封方向（Ｘ１−Ｘ２方向）に形成されている。なお、直線部１６のジッパー開封方向への延長線（第２仮想延長線）ｆ１６はジッパー開封方向において後側に隣接する他の切込み１０の第１傾斜部１２と交わる。
【０２８８】
なお、端部ｍ１１から延長線ｅ１６までの長さＬ１１は、アール部１３から延長線ｅ１６までの最大長さＬ１２’（アール部１３において、延長線ｅ１６までの距離が最大となる点から延長線ｅ１６までの長さ（Ｙ１−Ｙ２方向の長さ））よりも長く形成されている。
【０２８９】
なお、図１２に示す構成の切込み１０を用いた場合の作用・効果は、アール部１３、１５が設けられていない切込み１０（図１〜図４に示す切込み１０）と同様である。
【０２９０】
すなわち、図１２に示す切込み１０においては、直線部１６の後端の端部ｍ１４からの直線部１６の延長線ｆ１６が、次の切込み１０における第１傾斜部１２と交わる（つまり、延長線ｅ１６の両側に端部ｍ１１と接触点ｍ１２ａがある）ので、第１傾斜部１２により破断力を広く受け止めることができ、図２３に示す従来例のように剥離を生じるおそれが少ない。よって、ブランクの切断面の見栄えをよくすることができる。また、直線部１６からの破断力を第１傾斜部１２により広く受け止め、第１傾斜部１２以外に直前の切込み１０の直線部１６からの破断力を直接受け止める切込みがないので、破断の際の感触を一定にできて円滑な破断を行なうことができる。また、剥離を生じるおそれが少ないので、その分少ない力で破断を行なうことができる。
【０２９１】
また、第１傾斜部１２が開封方向に対する直角方向に対して傾斜しており、第１傾斜部１２の第２傾斜部１４側が開封方向後側となっている（つまり、接触点ｍ１２ａが端部ｍ１１よりも後側にある）ので、第１傾斜部１２に伝えられた破断力をスムーズに第２傾斜部１４に伝えることができる。よって、少ない力で破断を行なうことができる。
【０２９２】
また、角度α１１が角度α１２よりも大きい（α１１＞α１２）ので、第１傾斜部１２の延長線ｅ１６に対する傾斜が大きく、第１傾斜部１２からの破断力が第２傾斜部１４に伝わりやすく、ブランクの紙材の剥離が起こりにくい。よって、ブランクの切断面の見栄えをよくすることができる。
【０２９３】
また、角度α１３が直角以下に形成されているので、その分、第１傾斜部１２の延長線ｅ１６に対する角度α１１を大きくすることができて、１つ前の切込み１０からの破断力を第１傾斜部１２で受け止めやすく、また、角度α１３が直角以下に形成されているので、その分、直線部１６の長さを確保することができる。よって、直線部１６の長さを確保することにより、直線部１６からの破断力が拡散する角度を小さくして、確実に次の切込み１０の第１傾斜部１２に破断力を伝えることができる。よって、ブランクの紙材の剥離が少なく、また、少ない力で破断を行なうことができる。また、直線部１６からの破断力を第１傾斜部１２により広く受け止め、第１傾斜部１２以外に直前の切込み１０の直線部１６からの破断力を直接受け止める切込みがないので、破断の際の感触を一定にできて円滑な破断を行なうことができる。
【０２９４】
また、長さＬ１１が長さＬ１２’よりも長く形成されているので（Ｌ１１＞Ｌ１２’）、ブランクの切断面の凹凸を小さくすることができる。よって、ブランクの切断面の凹凸を小さくして、ブランクの切断面の見栄えをよくすることができる。
【０２９５】
また、長さＬ１１を長さＬ１２’よりも長くするので、１つ前の切込み１０からの破断力を広く受け止めることができる。よって、ブランクの紙材の剥離が少なく、また、少ない力で破断を行なうことができる。また、長さＬ１１が長いので、直前の切込み１０の直線部１６からの破断力を第１傾斜部１２により広く受け止め、第１傾斜部１２以外に直線部１６からの破断力を直接受け止める切込みがないので、破断の際の感触を一定にできて円滑な破断を行なうことができる。
【０２９６】
なお、実施例１や実施例２における切込み２０において、第１傾斜部２２と第２傾斜部２４間の角部にアール部が設けられ、第２傾斜部２４と直線部２６間の角部にアール部が設けられた構成は、図１２に示す切込み１０に対して直線部１６と平行な直線を介して対称の構成となる以外は同様の構成であるので、詳しい説明を省略する。
【０２９７】
また、実施例１や実施例２における切込み２０において、第１傾斜部２２と第２傾斜部２４間の角部にアール部が設けられ、第２傾斜部２４と直線部２６間の角部にアール部が設けられた構成の作用・効果は、図１２に示す切込み１０の場合と同様である。
【０２９８】
なお、図１２に示す切込み１０においては、第１傾斜部１２と第２傾斜部１４間の角部にアール部１３が設けられ、第２傾斜部１４と直線部１６間の角部にアール部１５が設けられているが、図１２に示す切込み１０の代わりに、図１３に示すように、第２傾斜部１４と直線部１６間の角部にアール部は設けられず、第１傾斜部１２と第２傾斜部１４間の角部のみにアール部を設けた構成としてもよい。
【０２９９】
すなわち、図１３に示す切込み１０は、端部（第１端部）ｍ１１と接触点（第１接触点）ｍ１２ａ間に直線状に形成された第１傾斜部１２と、接触点ｍ１２ａと接触点（第２接触点）ｍ１２ｂ間に形成されたアール部１３と、接触点ｍ１２ｂと接触点（第３接触点）ｍ１３間に直線状に形成された第２傾斜部１４と、接触点ｍ１３と端部（第２端部）ｍ１４間に直線状に形成された直線部１６とを有している。
【０３００】
図１３に示す切込み１０は、アール部１５が設けられていない点以外は図１２に示す切込み１０と同様の構成であるので、詳しい説明を省略する。なお、接触点ｍ１２ｂは、接触点ｍ１３よりも開封方向において前側（Ｘ１側）にある。また、図１３に示す構成の切込み１０を用いた場合の作用・効果は、アール部１３、１５が設けられていない切込み１０や、図１２に示す切込み１０と同様であるので、詳しい説明を省略する。
【０３０１】
なお、実施例１や実施例２における切込み２０において、第１傾斜部２２と第２傾斜部２４間の角部のみにアール部が設けられた場合の構成は、図１３に示す切込み１０に対して直線部１６と平行な直線を介して対称の構成となる以外は同様の構成であるので、詳しい説明を省略する。
【０３０２】
また、実施例１や実施例２における切込み２０において、第１傾斜部２２と第２傾斜部２４間の角部のみにアール部が設けられた場合の構成の作用・効果は、図１３に示す切込み１０の場合と同様である。
【０３０３】
なお、図１２に示す切込み１０においては、第１傾斜部１２と第２傾斜部１４間の角部にアール部１３が設けられ、第２傾斜部１４と直線部１６間の角部にアール部１５が設けられているが、アール部１３を設けず、アール部１５のみを設けた構成としてもよい。また、実施例１や実施例２における切込み２０において、第２傾斜部２４と直線部２６間の角部のみにアール部が設けられた場合の構成は、切込み１０において、アール部１５のみを設けた構成に対して直線部１６と平行な直線を介して対称の構成となる以外は同様の構成となる。
【実施例３】
【０３０４】
本発明に基づくカートン用切断構造としてのジッパーＣは、図１４〜図１７に示すように構成され、互いに平行に２列に形成された切れ目線Ｃ１、Ｃ２と、開封開始位置の片部８０を形成するための切込みＣ３とを有している。ジッパーＣは、カートンを構成するシート状のブランク（例えば、段ボールや厚紙）に形成されている。
【０３０５】
ここで、切れ目線Ｃ１は、複数の切込み６０を間隔を介して一列に配設したもので、各切込み６０は、第１傾斜部６２と、第１傾斜部６２の端部から連設された第２傾斜部６４と、第２傾斜部６４の第１傾斜部６２とは反対側の端部から連設された直線部６６とを有している。第１傾斜部６２と第２傾斜部６４と直線部６６とは、ともにブランクの表面から裏面まで貫通した切込みにより形成されている。切込み６０を実施例１の切込み１０と比較すると、第２傾斜部６４が外側（端部ｍ６１側とは反対側）（端部ｍ６１と接触点ｍ６３を結ぶ直線６８側とは反対側としてもよい）に膨出した円弧状を呈する点が異なる。
【０３０６】
ここで、第１傾斜部６２は、直線部６６のジッパー開封方向と反対方向への延長線（仮想延長線）（第１仮想延長線）ｅ６６（直線部６６の方向（開封方向、Ｘ１−Ｘ方向）としてもよい）に対して傾斜して形成され、第１傾斜部６２と延長線ｅ６６間の角度（鋭角の角度）はα６１で、第１傾斜部６２の延長線ｅ６６に対する直角方向（Ｙ１−Ｙ２方向）に対する角度はα６４となっている（α６４は０より大きい（α６４＞０））この第１傾斜部６２は、直線状に形成されている。
【０３０７】
第１傾斜部６２の第２傾斜部６４側とは反対側の端部（第１端部）ｍ６１が、第１傾斜部６２の第２傾斜部６４との接触点（第１接触点）ｍ６２よりも開封方向において前側（Ｘ１側）にある。
【０３０８】
また、端部ｍ６１と接触点ｍ６２とは、直線部６６の延長線ｅ６６を介して両側に配置されている。つまり、延長線ｅ６６の一方の側（内側）に端部ｍ６１があり、他方の側（外側）に接触点ｍ６２がある。これにより、開封方向前側（Ｘ１側）の切込み６０の直線部６６の後端の端部（第２端部）ｍ６４からの直線部６６のジッパー開封方向への延長線（直線状の延長線）（仮想延長線）（第２仮想延長線）ｆ６６が、第１傾斜部６２と交わるようになっている。つまり、ある切込み６０の直線部６６の延長線ｆ６６が、開封方向に隣接する切込み６０の第１傾斜部６２と交わる。
【０３０９】
また、端部ｍ６１と延長線ｅ６６間の長さＬ６１は、接触点ｍ１２と延長線ｅ６６間の長さＬ６２よりも長く形成され（Ｌ６１＞Ｌ６２）、これにより、第１傾斜部６２と延長線ｅ６６の交点をｍ６６とした場合に、端部ｍ６１と交点ｍ６６間の距離は、接触点ｍ６２と交点ｍ６６間の距離よりも長く形成されている。
【０３１０】
また、第２傾斜部６４は、延長線ｅ６６に対して傾斜して形成されている。つまり、第２傾斜部６４の接触点（第２接触点）ｍ６３における接線６４−１’と延長線ｅ６６間の角度（鋭角の角度）（開封方向における前側の角度）はα６２であり、また、第２傾斜部１４の接触点ｍ６２における接線６４−２’と第１傾斜部１２間の角度（端部ｍ６１と接触点ｍ６３を結ぶ直線（仮想直線）６８側の角度（延長線ｅ６６側の角度としてもよい））はα６３となっている。つまり、第１傾斜部６２と第２傾斜部６４間の角度はα６３となっている。第２傾斜部６４は、外側（つまり、端部ｍ６１側とは反対側）に膨出した円弧状に形成されている。
【０３１１】
また、第２傾斜部６４の第１傾斜部６２との接触点ｍ６２は、第２傾斜部６４の直線部６６との接触点ｍ６３よりも開封方向において前側（Ｘ１側）にある。
【０３１２】
また、直線部６６は、接触点ｍ６３からジッパー開封方向に沿って（つまり、Ｘ１−Ｘ２方向に）形成され、直線状に形成されている。つまり、直線部６６は、接触点ｍ６３と端部ｍ６４間に直線状にジッパー開封方向に形成されている。なお、接触点ｍ６３は、端部ｍ６４よりもジッパー開封方向において前側にある。直線部６６と接線６４−１’とがなす角度α６５（直線部６６と接線６４−１’とがなす角度で大きい方の角度）は、鈍角に形成されている。
【０３１３】
ここで、第１傾斜部６２の長さ（第１傾斜部６２に沿った長さ）と第２傾斜部６４の長さ（第２傾斜部６４に沿った長さ）と直線部６６の長さ（直線部６６に沿った長さ）とを比較すると、第２傾斜部６４が最も長く形成され、第１傾斜部６２が最も短く形成されている。なお、第２傾斜部６４の第２傾斜部６４に沿った長さの代わりに、接触点ｍ６２と接触点ｍ６３間の直線距離を第２傾斜部６４の長さとした場合でも、第２傾斜部６４が最も長く形成されている。
【０３１４】
また、角度α６１と角度α６２とを比較すると、角度α６１が角度α６２よりも大きく形成されている（α６１＞α６２）。例えば、角度α６１は７０〜８５度で、角度α６２は５〜４５度（５〜３５度としてもよい）に形成されている（なお、角度α６１、α６２は他の角度でもよい）。なお、角度α６１の角度の値は、角度α６２の角度の値の２倍以上の角度の値とするのが好ましい。
【０３１５】
また、角度α６３は、直角以下の角度に形成され、例えば、７５〜９０度に形成されている（なお、角度α６３は他の角度でもよい）。
【０３１６】
なお、１つの切れ目線Ｃ１の各切込み６０における直線部６６は、同一線上に形成され、ジッパーＣが直線状に形成されている場合には、直線部６６は同一直線上に形成され、ジッパーＣが曲線状に形成されている場合には、直線部６６は同一曲線上に形成される。
【０３１７】
次に、切れ目線Ｃ２は、開封方向の切れ目線Ｃ１と切れ目線Ｃ２間の中心線Ｃｈを介して対称に形成され、切れ目線Ｃ１と間隔を介して形成されている。
【０３１８】
切れ目線Ｃ２は、複数の切込み７０を間隔を介して一列に配設したもので、各切込み７０は、第１傾斜部７２と、第１傾斜部７２の端部から連設された第２傾斜部７４と、第２傾斜部７４の第１傾斜部７２とは反対側の端部から連設された直線部７６とを有している。第１傾斜部７２と第２傾斜部７４と直線部７６とは、ともにブランクの表面から裏面まで貫通した切込みにより形成されている。各切込み７０は、切れ目線Ｃ１における対応する切込み６０と中心線Ｃｈを中心に対称に形成されている。
【０３１９】
ここで、第１傾斜部７２は、直線部７６のジッパー開封方向と反対方向への延長線（仮想延長線）（第１仮想延長線）ｅ７６（直線部２６の方向（開封方向、Ｘ１−Ｘ方向）としてもよい）に対して傾斜して形成され、第１傾斜部７２と延長線ｅ７６間の角度（鋭角の角度）はα７１で、第１傾斜部７２の延長線ｅ７６に対する直角方向（Ｙ１−Ｙ２方向）に対する角度はα７４となっている（α７４は０より大きい（α７４＞０））この第１傾斜部７２は、直線状に形成されている。
【０３２０】
第１傾斜部７２の第２傾斜部７４側とは反対側の端部（第１端部）ｍ７１が、第１傾斜部７２の第２傾斜部７４との接触点（第１接触点）ｍ７２よりも開封方向において前側（Ｘ１側）にある。
【０３２１】
また、端部ｍ７１と接触点ｍ７２とは、直線部７６の延長線ｅ７６を介して両側に配置されている。つまり、延長線ｅ７６の一方の側（内側）に端部ｍ７１があり、他方の側（外側）に接触点ｍ７２がある。これにより、開封方向前側（Ｘ１側）の切込み７０の直線部７６の後端の端部ｍ７４からの直線部７６のジッパー開封方向への延長線（直線状の延長線）（仮想延長線）（第２仮想延長線）ｆ７６が、第１傾斜部７２と交わるようになっている。つまり、ある切込み７０の直線部７６の延長線ｆ７６が、開封方向に隣接する切込み７０の第１傾斜部７２と交わる。
【０３２２】
また、端部ｍ７１と延長線ｅ７６間の長さＬ７１は、接触点ｍ７２と延長線ｅ７６間の長さＬ７２よりも長く形成され（Ｌ７１＞Ｌ７２）、これにより、第１傾斜部７２と延長線ｅ７６の交点をｍ７６とした場合に、端部ｍ７１と交点ｍ７６間の距離は、接触点ｍ７２と交点ｍ７６間の距離よりも長く形成されている。
【０３２３】
また、第２傾斜部７４は、延長線ｅ７６に対して傾斜して形成されている。つまり、第２傾斜部７４の接触点（第２接触点）ｍ７３における接線７４−１’と延長線ｅ７６間の角度（鋭角の角度）はα７２であり、また、第２傾斜部７４の接触点ｍ７２における接線７４−２’と第１傾斜部７２間の角度（端部ｍ７１と接触点ｍ７３を結ぶ直線（仮想直線）７８側の角度（延長線ｅ７６側の角度としてもよい））はα７３となっている。つまり、第１傾斜部７２と第２傾斜部７４間の角度はα７３となっている。第２傾斜部７４は、外側（つまり、端部ｍ７１側とは反対側）に膨出した円弧状に形成されている。
【０３２４】
また、第２傾斜部７４の第１傾斜部７２との接触点ｍ７２は、第２傾斜部７４の直線部７６との接触点ｍ７３よりも開封方向において前側（Ｘ１側）にある。
【０３２５】
また、直線部７６は、接触点ｍ７３から開封方向に向けて形成され、直線状に形成されている。直線部７６と接線７４−１’とがなす角度α７５（直線部７６と接線７４−１’とがなす角度で大きい方の角度）は、鈍角に形成されている。
【０３２６】
ここで、第１傾斜部７２の長さ（第１傾斜部７２に沿った長さ）と第２傾斜部７４の長さ（第２傾斜部７４に沿った長さ）と直線部７６の長さ（直線部７６に沿った長さ）とを比較すると、第２傾斜部７４が最も長く形成され、第１傾斜部７２が最も短く形成されている。なお、第２傾斜部７４の第２傾斜部７４に沿った長さの代わりに、接触点ｍ７２と接触点ｍ７３間の直線距離を第２傾斜部７４の長さとした場合でも、第２傾斜部７４が最も長く形成されている。
【０３２７】
また、角度α７１と角度α７２とを比較すると、角度α７１が角度α７２よりも大きく形成されている（α７１＞α７２）。例えば、角度α７１は７０〜８５度で、角度α７２は５〜４５度（５〜３５度としてもよい）に形成されている（なお、角度α７１、α７２は他の角度でもよい）。なお、角度α７１の角度の値は、角度α７２の角度の値の２倍以上の角度の値とするのが好ましい。
【０３２８】
また、角度α７３は、直角以下の角度に形成され、例えば、７５〜９０度に形成されている（なお、角度α７３は他の角度でもよい）。
【０３２９】
なお、１つの切れ目線Ｃ２の各切込み７０における直線部７６は、同一線上に形成され、ジッパーＣが直線状に形成されている場合には、直線部７６は同一直線上に形成され、ジッパーＣが曲線状に形成されている場合には、直線部７６は同一曲線上に形成される。
【０３３０】
なお、切れ目線Ｃ１を第１切れ目線とした場合には、切れ目線Ｃ２が第２切れ目線となり、切込み６０が第１切込みとなり、切込み７０が第２切込みとなる。切れ目線Ｃ１を第２切れ目線とした場合には、切れ目線Ｃ２が第１切れ目線となり、切込み６０が第２切込みとなり、切込み７０が第１切込みとなる。
【０３３１】
また、切込みＣ３は、略コ字状を呈し、Ｘ２側に開口した略コ字状を呈している。つまり、切込みＣ３は、直線部６６の延長線上に形成された直線状の切込み８２と、直線部７６の延長線上に形成された直線状の切込み８４と、切込み８２と切込み８４のＸ１側の端部間を結び、該中心線Ｃｈに対して直角をなす切込み８６とを有している。この切込みＣ３により囲まれた領域（つまり、切込みＣ３と、切込み８２のＸ２側の端部と切込み８４のＸ２側の端部とを結ぶ直線により囲まれた領域）が、片部８０となる。
【０３３２】
ジッパーＣの使用に際しては、片部８０を起こして手でつかみ、Ｘ２方向（開封方向）に引っぱることにより、隣接する切込み６０間の隙間と隣接する切込み７０間の隙間が破れてジッパーＣがブランクから分離する。これにより、帯状部９０がブランクから分離し、ブランクには帯状部９０を分離した後の隙間１００が形成される。ブランクには、この隙間１００の両側に切断面１０２、１０４が形成される。
【０３３３】
例えば、ジッパーＣをカートンに適用した例としては、図５、図６に示すカートンＫ１におけるジッパーＡ−１、Ａ−２の代わりに、ジッパーＣを用いる。
【０３３４】
ここで、ジッパーＣの作用・効果は、ジッパーＡと同様である。すなわち、直線部６６の後端の端部ｍ６４からの直線部６６の延長線が、次の切込み６０における第１傾斜部６２と交わり（つまり、延長線ｅ６６の両側に端部ｍ６１と接触点ｍ６２がある）、また、直線部７６の後端の端部（第２端部）ｍ７４からの直線部７６の延長線が、次の切込み７０における第１傾斜部７２と交わる（つまり、延長線ｅ７６の両側に端部ｍ７１と接触点ｍ７２がある）ので、第１傾斜部６２、７２により破断力を広く受け止めることができ、図２３に示す従来例のように剥離を生じるおそれが少ない。よって、ブランクの切断面１０２、１０４の見栄えをよくすることができる。また、直線部６６、７６からの破断力を第１傾斜部６２、７２により広く受け止め、第１傾斜部６２、７２以外に直線部６６、７６からの破断力を直接受け止める切込みがないので（例えば、第２傾斜部６４、７４の前側の端部は、直線部６６、７６の延長線からずれているので、第２傾斜部６４、７４により直線部６６、７６からの破断力を直接受け止めることはない）、破断の際の感触を一定にできて円滑な破断を行なうことができる。また、剥離を生じるおそれが少ないので、その分少ない力で破断を行なうことができる。
【０３３５】
また、第１傾斜部６２、７２が開封方向に対する直角方向に対して傾斜しており、第１傾斜部６２、７２の第２傾斜部６４、７４側が開封方向後側となっている（つまり、接触点ｍ６２が端部ｍ６１よりも後側にあり、接触点ｍ７２が端部７１よりも後側にある）ので、第１傾斜部６２、７２に伝えられた破断力をスムーズに第２傾斜部６４、７４に伝えることができる。よって、少ない力で破断を行なうことができる。
【０３３６】
また、角度α６１が角度α６２よりも大きく、角度α７１が角度α７２よりも大きい（α６１＞α６２、α７１＞α７２）ので、第１傾斜部６２、７２の延長線ｅ６６、ｅ７６に対する傾斜が大きく、第１傾斜部６２、７２からの破断力が第２傾斜部６４、７４に伝わりやすく、ブランクの紙材の剥離が起こりにくい。よって、ブランクの切断面１０２、１０４の見栄えをよくすることができる（図１８参照）。すなわち、α６１＜α６２、α７１＜α７２であるとすると、第１傾斜部６２、７２の延長線ｅ６６、ｅ７６に対する傾斜が小さくなり、第２傾斜部６４、７４の延長線ｅ６６、ｅ７６に対する傾斜が大きくなるので、第１傾斜部６２、７２からの破断力が第２傾斜部６４、７４に伝わるよりも、ブランクの紙材を剥離する方に使われてしまい、剥離が起こりやすくなるが、本実施例の場合には、そのようなおそれが小さい。
【０３３７】
また、角度α６３、α７３が直角以下に形成されているので、その分、第１傾斜部６２、７２の延長線ｅ６６、ｅ７６に対する角度α６１、α７１を大きくすることができて、１つ前の切込み６０、７０からの破断力を第１傾斜部６２、７２で受け止めやすく、また、角度α６３、α７３が直角以下に形成されているので、その分、直線部６６、７６の長さを確保することができる。すなわち、ジッパーにおける隣接する切込み間のピッチ（例えば、ある切込みの前端から次の切込みの前端までの長さ）は、ある程度決められており（Ｇ段やＦ段で約１０ｍｍ）、すると、角度α６３、α７３が大きくなると、その分直線部６６、７６の長さを確保できず、直線部６６、７６の長さが短いと、その分直線部６６、７６からの破断力が広い角度に拡散しやすいことから、直線部６６、７６の長さを確保することにより、直線部６６、７６からの破断力が拡散する角度を小さくして、確実に次の切込み６０、７０の第１傾斜部６２、７２に破断力を伝えることができる。よって、ブランクの紙材の剥離が少なく、また、少ない力で破断を行なうことができる。また、直線部６６、７６からの破断力を第１傾斜部６２、７２により広く受け止め、第１傾斜部６２、７２以外に直線部６６、７６からの破断力を直接受け止める切込みがないので、破断の際の感触を一定にできて円滑な破断を行なうことができる。また、剥離を生じるおそれが少ないので、その分少ない力で破断を行なうことができる。
【０３３８】
また、長さＬ６１が長さＬ６２よりも長く形成され、長さＬ７１が長さＬ７２よりも長く形成されているので（Ｌ６１＞Ｌ６２、Ｌ７１＞Ｌ７２）、ブランクの切断面１０２、１０４（つまり、帯状部４０を除いた後のブランクの切断面）の凹凸を小さくすることができる。つまり、ブランクの切断面の凹凸の深さは、図１８の長さｈ６０、ｈ７０により決まるので、Ｌ６２、Ｌ７２を小さくすることによりブランクの切断面１０２、１０４の凹凸を小さくして、ブランクの切断面１０２、１０４の見栄えをよくすることができる。
【０３３９】
また、長さＬ６１（Ｌ７１）を長さＬ１２（Ｌ２２）よりも長くするので、１つ前の切込み６０、７０からの破断力を広く受け止めることができる。つまり、１つ前の切込み６０、７０からの破断力においては、切れ目線Ｃ１と切れ目線Ｃ２間の帯状部９０（図１８参照）を引っぱるので直線部６６、７６の延長線上よりも内側に向かう成分が多いが、長さＬ６１、Ｌ７１を長くするので、破断力を広く受け止めることが可能となる。よって、ブランクの紙材の剥離が少なく、また、少ない力で破断を行なうことができる。また、長さＬ６１（Ｌ７１）が長いので、直線部６６、７６からの破断力を第１傾斜部６２、７２により広く受け止め、第１傾斜部６２、７２以外に直線部６６、７６からの破断力を直接受け止める切込みがないので、破断の際の感触を一定にできて円滑な破断を行なうことができる。
【実施例４】
【０３４０】
次に、本発明に基づくカートン用切断構造としての切れ目線Ｄは、図１９に示すように構成され、切れ目線Ｄ１と、切れ目線Ｄ１の開封方向前側に形成された切込み８８、８９とを有している。
【０３４１】
ここで、切れ目線Ｄ１は、複数の切込み７０を間隔を介して一列に配設したもので、切込み７０の構成は、実施例３における切込み７０と同様の構成であるので、詳しい説明を省略する。つまり、切込み７０は、第１傾斜部７２と、第２傾斜部７４と、直線部７６とを有する。
【０３４２】
また、切込み８８、８９は、直線状に形成され、直線部７６の延長線上に形成されている。なお、開封方向に沿っては、切込み８８、切込み８９、切れ目線Ｄ１の順に形成されている。
【０３４３】
なお、実施例４の切れ目線Ｄにおいては、図１９における切れ目線Ｄの上側を切取り側とし、切れ目線Ｄの下側を残す側とする。すなわち、実施例３のジッパーＣにおいて、切れ目線Ｃ２の上側が帯状部９０として切り取る側であるので、切れ目線Ｄにおいても上側を切り取り側とする。
【０３４４】
切れ目線Ｄの使用に際しては、切込み８８から破断を開始して、Ｘ２方向（開封方向）に切れ目線Ｄを破断することにより、切れ目線Ｄを形成したブランクが切断される。なお、切れ目線開封方向は、Ｘ１側からＸ２側への方向であり、Ｘ１側が切れ目線開封方向において前側であり、Ｘ２側が切れ目線開封方向において後側である。本実施例の切れ目線開封方向と実施例３のジッパー開封方向は、同じ方向であり、実施例３のジッパー開封方向の代わりに、切れ目線開封方向となっている。
【０３４５】
なお、直線部７６は、接触点ｍ７３から切れ目線開封方向に沿って（つまり、Ｘ１−Ｘ２方向に）形成され、直線状に形成されている。つまり、直線部７６は、接触点ｍ７３と端部ｍ７４間に直線状に切れ目線開封方向に形成されている。なお、接触点ｍ７３は、端部ｍ７４よりも切れ目線開封方向において前側にある。
【０３４６】
また、端部ｍ７１と接触点ｍ７２とが、直線部７６の切れ目線開封方向において前側への延長線ｅ７６を介して両側に配置され、第１傾斜部７２が、端部ｍ７１が接触点ｍ７２よりも切れ目線開封方向において前側に位置するように延長線ｅ７６に対して傾斜している。
【０３４７】
例えば、切れ目線Ｄをカートンに適用した例は、図９、図１０のカートンＫ２における切れ目線Ｂの代わりに、切れ目線Ｄを用いる。つまり、切込み８８、８９は左側面部１３０の背面側上端に形成され、切込み８９に隣接して、切れ目線Ｄ１の始端が位置し、切れ目線Ｄ１が左側面部１３０を背面側から正面側に向けて斜め下方に形成され、その後、正面部１１０において、左側面側から右側面側に水平に形成され、その後、右側面部１２０において、正面側から背面側に向けて斜め上方に形成され、切れ目線Ｄ１の終端は右側面部１２０の背面側上端に位置している。
【０３４８】
切れ目線Ｄの破断に際しては、左側面部１３０の切れ目線Ｄよりも上側の領域を手につかんで、つかんだ左側面部１３０の上側の領域を手前に引っぱって、左側面部１３０における切れ目線Ｄを破断し、その後、正面部１１０の切れ目線Ｄよりも上側の領域を手につかんで、つかんだ正面部１１０の上側の領域を手前に引っぱって、正面部１１０における切れ目線Ｄを破断し、その後、右側面部１２０の切れ目線Ｄよりも上側の領域を手につかんで、つかんだ右側面部１２０の上側の領域を手前に引っぱって、右側面部１２０における切れ目線Ｄを破断することにより、左側面部１３０の上側の領域とフラップ部１７２と正面部１１０の上側の領域と右側面部１２０の上側の領域とフラップ部１７０をカートンから分離する。
【０３４９】
切れ目線Ｄによる作用・効果は、実施例２の切れ目線Ｂの場合と同様である。すなわち、直線部７６の後端の端部ｍ７４からの直線部７６の延長線が、次の切込み７０における第１傾斜部７２と交わる（つまり、延長線ｅ７６の両側に端部ｍ７１と接触点ｍ７２がある）ので、第１傾斜部７２により破断力を広く受け止めることができ、図２３に示す従来例のように剥離を生じるおそれが少ない。よって、ブランクの切断面（図１９の切れ目線Ｄの下側の領域の切断面、カートンＫ２では、左側面部１３０の下側領域と正面部１１０の下側領域と右側面部１２０の下側領域の切断面）の見栄えをよくすることができる。また、直線部７６からの破断力を第１傾斜部７２により広く受け止め、第１傾斜部７２以外に直線部７６からの破断力を直接受け止める切込みがないので（例えば、第２傾斜部７４の前側の端部は、直線部７６の延長線からずれているので、第２傾斜部７４により直線部７６からの破断力を直接受け止めることはない）、破断の際の感触を一定にできて円滑な破断を行なうことができる。また、剥離を生じるおそれが少ないので、その分少ない力で破断を行なうことができる。
【０３５０】
また、第１傾斜部７２が開封方向に対する直角方向に対して傾斜しており、第１傾斜部７２の第２傾斜部７４側が開封方向後側となっている（つまり、接触点ｍ７２が端部ｍ７１よりも後側にある）ので、第１傾斜部７２に伝えられた破断力をスムーズに第２傾斜部７４に伝えることができる。よって、少ない力で破断を行なうことができる。
【０３５１】
また、角度α７１が角度α７２よりも大きい（α７１＞α７２）ので、第１傾斜部７２の延長線ｅ７６に対する傾斜が大きく、第１傾斜部７２からの破断力が第２傾斜部７４に伝わりやすく、ブランクの紙材の剥離が起こりにくい。よって、ブランクの切断面（図１９の切れ目線Ｄの下側の領域の切断面）の見栄えをよくすることができる。
【０３５２】
また、角度α７３が直角以下に形成されているので、その分、第１傾斜部７２の延長線ｅ７６に対する角度α７１を大きくすることができて、１つ前の切込み７０からの破断力を第１傾斜部７２で受け止めやすく、また、角度α７３が直角以下に形成されているので、その分、直線部７６の長さを確保することができる。直線部７６の長さを確保することにより、直線部７６からの破断力が拡散する角度を小さくして、確実に次の切込み７０の第１傾斜部７２に破断力を伝えることができる。よって、ブランクの紙材の剥離が少なく、また、少ない力で破断を行なうことができる。また、直線部７６からの破断力を第１傾斜部７２により広く受け止め、第１傾斜部７２以外に直線部７６からの破断力を直接受け止める切込みがないので、破断の際の感触を一定にできて円滑な破断を行なうことができる。
【０３５３】
また、長さＬ７１が長さＬ７２よりも長く形成されているので（Ｌ７１＞Ｌ７２）、ブランクの切断面の凹凸を小さくすることができる。よって、Ｌ７２を小さくすることによりブランクの切断面の凹凸を小さくして、ブランクの切断面（図１９の切れ目線Ｄの下側の領域の切断面）の見栄えをよくすることができる。
【０３５４】
また、長さＬ７１を長さＬ７２よりも長くするので、１つ前の切込み７０からの破断力を広く受け止めることができる。つまり、１つ前の切込み７０からの破断力においては、図１９の切れ目線Ｄよりも上側の領域を引っぱるので直線部７６の延長線上よりも内側に向かう成分が多いが、長さＬ７１を長くするので、破断力を広く受け止めることが可能となる。よって、ブランクの紙材の剥離が少なく、また、少ない力で破断を行なうことができる。また、直線部７６からの破断力を第１傾斜部７２により広く受け止め、第１傾斜部７２以外に直線部７６からの破断力を直接受け止める切込みがないので、破断の際の感触を一定にできて円滑な破断を行なうことができる。
【０３５５】
なお、図１９に示す切れ目線Ｄは、切れ目線Ｄよりも上側の領域を切り取る（すなわち、除去する）場合の例であり、切れ目線よりも下側の領域を切り取る場合には、図２０に示すように、切れ目線Ｄ１の代わりに、切れ目線Ｃ１の構成の切れ目線（つまり、切込み６０を用いた切れ目線）を使用することになる。その場合の作用・効果は、上記と同様である。
【０３５６】
なお、上記実施例３のジッパーＣの変形例として、切込み６０において、第１傾斜部６２と第２傾斜部６４間の角部にアール部が設けられ、第２傾斜部６４と直線部６６間の角部にアール部が設けられていてもよく、切込み７０において、第１傾斜部７２と第２傾斜部７４間の角部にアール部が設けられ、第２傾斜部７４と直線部７６間の角部にアール部が設けられていてもよい。また、実施例４の切れ目線Ｄにおいても同様に、切込み７０において、第１傾斜部７２と第２傾斜部７４間の角部にアール部が設けられ、第２傾斜部７４と直線部７６間の角部にアール部が設けられていてもよい。
【０３５７】
すなわち、変形例としての切込み６０は、図２１に示すように構成され、第１傾斜部６２と第２傾斜部６４間にアール部６３が設けられ、第２傾斜部６４と直線部６６間にアール部（第２アール部）６５が設けられている。このようにアール部６３やアール部６５が設けられるのは、切込み６０を形成するための刃の精度により刃の屈曲する部分がアール状にならざるを得ない場合があることに起因する。
【０３５８】
すなわち、アール部６３は、第１傾斜部６２の一方の端部である接触点（第１接触点）ｍ６２ａと第２傾斜部６４の一方の端部である接触点（第２接触点）ｍ６２ｂ間に形成され、円弧状（略円弧状としてもよい）を呈し、接触点ｍ６２ａで第１傾斜部１２と接するとともに、接触点ｍ６２ｂで第２傾斜部６４と接している。つまり、アール部６３は、第１傾斜部６２と第２傾斜部６４間の角部を円弧状（略円弧状としてもよい）に面取りしたものであり、アール部６３の接触点ｍ６２ａにおける接線は、第１傾斜部６２及びその延長線と一致し（第１傾斜部６２は、アール部６３の接触点ｍ６２ａにおける接線となるとしてもよい）、アール部６３の接触点ｍ６２ｂにおける接線は、第２傾斜部６４の接触点ｍ６２ｂにおける接線と一致する。
【０３５９】
また、アール部６５は、第２傾斜部６４の他方の端部である接触点（第３接触点）ｍ６３ａと直線部６６の一方の端部である接触点（第４接触点）ｍ６３ｂ間に形成され、円弧状（略円弧状としてもよい）を呈し、接触点ｍ６３ａで第２傾斜部６４と接するとともに、接触点ｍ６３ｂで直線部６６と接している。つまり、アール部６５は、第２傾斜部６４と直線部６６間の角部を円弧状（略円弧状としてもよい）に面取りしたものであり、アール部６５の接触点ｍ６３ａにおける接線は、第２傾斜部１４の接触点ｍ６３ａにおける接線と一致し、アール部６５の接触点ｍ６３ｂにおける接線は、直線部６６及びその延長線と一致する（直線部６６は、アール部６５の接触点ｍ６３ｂにおける接線となるとしてもよい）。
【０３６０】
図２１に示す切込み６０の構成は、アール部６３、６５が設けられている点以外は上記実施例３や実施例４の切込み６０と同様の構成である。
【０３６１】
すなわち、第１傾斜部１２の両側の端部、つまり、端部ｍ６１と接触点ｍ６２ａとが、延長線ｅ６６を介して両側に配置され、端部ｍ１１が接触点ｍ１２ａよりもジッパー開封方向において前側に位置するように、第１傾斜部６２が延長線ｅ６６に対して傾斜して形成され、第１傾斜部６２と延長線ｅ６６間の角度（第２傾斜部６４側の角度）α６１は鋭角となっている。
【０３６２】
また、第２傾斜部６４は、延長線ｅ６６に対して傾斜して形成され、第２傾斜部６４の接触点ｍ１３ａからの延長線で第２傾斜部６４と同一曲率の延長線である延長線（仮想延長線）（第３仮想延長線）６４−１の延長線ｅ６６との交点ｍ６３’における延長線６４−１の接線６４−１’との間の角度α６２は鋭角となっている。なお、角度α６２は、角度α６１よりも大きく形成されている。
【０３６３】
また、第１傾斜部６２の接触点ｍ６２ａからの延長線（仮想延長線）（第４仮想延長線）６２−１と、第２傾斜部６４の接触点ｍ６２ｂからの延長線で第２傾斜部６４と同一曲率の延長線（第５仮想延長線）６４−２の延長線６２−１との交点ｍ６２’における延長線６４−２の接線６４−２’との間の角度で、延長線ｅ６６と延長線６４−１との交点ｍ６３’と端部ｍ６１とを結ぶ直線６８側の角度α６３が直角以下となっている。
【０３６４】
また、直線部６６は、接触点ｍ６３ｂと端部ｍ６４間に直線状にジッパー開封方向（Ｘ１−Ｘ２方向）に形成されている。なお、直線部６６のジッパー開封方向への延長線（第２仮想延長線）ｆ６６はジッパー開封方向において後側に隣接する他の切込み６０の第１傾斜部６２と交わる。
【０３６５】
なお、端部ｍ６１から延長線ｅ６６までの長さＬ６１は、アール部６３から延長線ｅ６６までの最大長さＬ６２’（アール部６３において、延長線ｅ６６までの距離が最大となる点から延長線ｅ６６までの長さ（Ｙ１−Ｙ２方向の長さ））よりも長く形成されている。
【０３６６】
なお、図２１に示す構成の切込み６０を用いた場合の作用・効果は、アール部６３、６５が設けられていない切込み６０（図１５、図１６に示す切込み６０）と同様である。
【０３６７】
すなわち、図２１に示す切込み６０においては、直線部６６の後端の端部ｍ６４からの直線部６６の延長線ｆ６６が、次の切込み６０における第１傾斜部６２と交わる（つまり、延長線ｅ６６の両側に端部ｍ６１と接触点ｍ６２ａがある）ので、第１傾斜部１２により破断力を広く受け止めることができ、図２３に示す従来例のように剥離を生じるおそれが少ない。よって、ブランクの切断面の見栄えをよくすることができる。また、直線部６６からの破断力を第１傾斜部６２により広く受け止め、第１傾斜部６２以外に直前の切込み６０の直線部６６からの破断力を直接受け止める切込みがないので、破断の際の感触を一定にできて円滑な破断を行なうことができる。また、剥離を生じるおそれが少ないので、その分少ない力で破断を行なうことができる。
【０３６８】
また、第１傾斜部６２が開封方向に対する直角方向に対して傾斜しており、第１傾斜部６２の第２傾斜部６４側が開封方向後側となっている（つまり、接触点ｍ６２ａが端部ｍ６１よりも後側にある）ので、第１傾斜部６２に伝えられた破断力をスムーズに第２傾斜部６４に伝えることができる。よって、少ない力で破断を行なうことができる。
【０３６９】
また、角度α６１が角度α６２よりも大きい（α６１＞α６２）ので、第１傾斜部６２の延長線ｅ６６に対する傾斜が大きく、第１傾斜部６２からの破断力が第２傾斜部６４に伝わりやすく、ブランクの紙材の剥離が起こりにくい。よって、ブランクの切断面の見栄えをよくすることができる。
【０３７０】
また、角度α６３が直角以下に形成されているので、その分、第１傾斜部６２の延長線ｅ６６に対する角度α６１を大きくすることができて、１つ前の切込み６０からの破断力を第１傾斜部６２で受け止めやすく、また、角度α６３が直角以下に形成されているので、その分、直線部６６の長さを確保することができる。よって、直線部６６の長さを確保することにより、直線部６６からの破断力が拡散する角度を小さくして、確実に次の切込み６０の第１傾斜部６２に破断力を伝えることができる。よって、ブランクの紙材の剥離が少なく、また、少ない力で破断を行なうことができる。また、直線部６６からの破断力を第１傾斜部６２により広く受け止め、第１傾斜部６２以外に直前の切込み６０の直線部６６からの破断力を直接受け止める切込みがないので、破断の際の感触を一定にできて円滑な破断を行なうことができる。
【０３７１】
また、長さＬ６１が長さＬ６２’よりも長く形成されているので（Ｌ６１＞Ｌ６２’）、ブランクの切断面の凹凸を小さくすることができる。よって、ブランクの切断面の凹凸を小さくして、ブランクの切断面の見栄えをよくすることができる。
【０３７２】
また、長さＬ６１を長さＬ６２’よりも長くするので、１つ前の切込み６０からの破断力を広く受け止めることができる。よって、ブランクの紙材の剥離が少なく、また、少ない力で破断を行なうことができる。また、長さＬ６１が長いので、直前の切込み６０の直線部１６からの破断力を第１傾斜部１２により広く受け止め、第１傾斜部１２以外に直線部６６からの破断力を直接受け止める切込みがないので、破断の際の感触を一定にできて円滑な破断を行なうことができる。
【０３７３】
なお、実施例３や実施例４における切込み７０において、第１傾斜部７２と第２傾斜部７４間の角部にアール部が設けられ、第２傾斜部７４と直線部７６間の角部にアール部が設けられた構成は、図２１に示す切込み６０に対して直線部６６と平行な直線を介して対称の構成となる以外は同様の構成であるので、詳しい説明を省略する。
【０３７４】
また、実施例３や実施例４における切込み７０において、第１傾斜部７２と第２傾斜部７４間の角部にアール部が設けられ、第２傾斜部７４と直線部７６間の角部にアール部が設けられた構成の作用・効果は、図２１に示す切込み６０の場合と同様である。
【０３７５】
なお、図２１に示す切込み６０においては、第１傾斜部６２と第２傾斜部６４間の角部にアール部６３が設けられ、第２傾斜部６４と直線部６６間の角部にアール部６５が設けられているが、図２１に示す切込み６０の代わりに、図２２に示すように、第２傾斜部６４と直線部６６間の角部にアール部は設けられず、第１傾斜部６２と第２傾斜部６４間の角部のみにアール部を設けた構成としてもよい。
【０３７６】
すなわち、図２２に示す切込み６０は、端部（第１端部）ｍ６１と接触点（第１接触点）ｍ６２ａ間に直線状に形成された第１傾斜部６２と、接触点ｍ６２ａと接触点（第２接触点）ｍ６２ｂ間に形成されたアール部６３と、接触点ｍ６２ｂと接触点（第３接触点）ｍ６３間に直線状に形成された第２傾斜部６４と、接触点ｍ６３と端部（第２端部）ｍ６４間に直線状に形成された直線部６６とを有している。
【０３７７】
図２２に示す切込み６０は、アール部６５が設けられていない点以外は図２１に示す切込み６０と同様の構成であるので、詳しい説明を省略する。なお、第１傾斜部６２の接触点ｍ６２ａからの延長線（仮想延長線）（第３仮想延長線）６２−１と、第２傾斜部６４の接触点ｍ６２ｂからの延長線で第２傾斜部６４と同一曲率の延長線（第４仮想延長線）６４−２の延長線６２−１との交点ｍ６２’における延長線６４−２の接線６４−２’との間の角度で、延長線ｅ６６と第２傾斜部６４との交点ｍ６３’と端部ｍ６１とを結ぶ直線６８側の角度α６３が直角以下となっている。また、図２２に示す構成の切込み６０を用いた場合の作用・効果は、アール部６３、６５が設けられていない切込み６０や、図２１に示す切込み６０と同様であるので、詳しい説明を省略する。
【０３７８】
なお、実施例３や実施例４における切込み７０において、第１傾斜部７２と第２傾斜部７４間の角部のみにアール部が設けられた場合の構成は、図２２に示す切込み６０に対して直線部６６と平行な直線を介して対称の構成となる以外は同様の構成であるので、詳しい説明を省略する。
【０３７９】
また、実施例３や実施例４における切込み７０において、第１傾斜部７２と第２傾斜部７４間の角部のみにアール部が設けられた場合の構成の作用・効果は、図２２に示す切込み６０の場合と同様である。
【０３８０】
なお、図２１に示す切込み６０においては、第１傾斜部６２と第２傾斜部６４間の角部にアール部６３が設けられ、第２傾斜部６４と直線部６６間の角部にアール部６５が設けられているが、アール部６３を設けず、アール部６５のみを設けた構成としてもよい。また、実施例３や実施例４における切込み７０において、第２傾斜部７４と直線部７６間の角部のみにアール部が設けられた場合の構成は、切込み６０において、アール部１５のみを設けた構成に対して直線部６６と平行な直線を介して対称の構成となる以外は同様の構成となる。
【０３８１】
なお、上記の各実施例の説明において、「接触点」は「接点」としてもよい。また、図面において、Ｙ１−Ｙ２方向は、Ｘ１−Ｘ２方向に対して直角の方向である。
【実施例５】
【０３８２】
次に、本発明に基づく実施例５のカートン用切断構造としてのジッパーＡ’は、実施例１のジッパーＡと略同一の構成であるが、切れ目線Ａ１を構成する切込み１０の代わりに切込み４１０とし、切れ目線Ａ２を構成する切込み２０の代わりに切込み４２０とするものである。すなわち、ジッパーＡ’は、図２３〜図２６に示すように構成され、互いに並設された切れ目線Ａ１’、Ａ２’と、開封開始位置の片部３０を形成するための切込みＡ３とを有している。つまり、切れ目線Ａ１’と切れ目線Ａ２’とは、互いに平行に２列に形成されている。ジッパーＡ’は、カートンを構成するシート状のブランク（例えば、段ボールや厚紙）に形成されている。
【０３８３】
ここで、切れ目線Ａ１’は、複数の切込み４１０を間隔を介して一列に配設したもので、各切込み４１０は、第１傾斜部４１２と、第１傾斜部４１２の端部から連設された第２傾斜部４１４と、第２傾斜部４１４の第１傾斜部４１２とは反対側の端部から連設された第３傾斜部４１６とを有している。第１傾斜部４１２と第２傾斜部４１４と第３傾斜部４１６とは、ともにブランクの表面から裏面まで貫通した切込みにより形成されている。
【０３８４】
ここで、第１傾斜部４１２は、ジッパー開封方向（「ジッパー破断方向」としてもよい）（Ｘ１−Ｘ２方向）の仮想直線ｅ１６’に対して傾斜して形成され、第１傾斜部４１２と仮想直線ｅ１６’間の角度（第２傾斜部４１４側の角度）はα１１で、角度α１１は鋭角となっている。また、第１傾斜部４１２の仮想直線ｅ１６’に対する直角方向（Ｙ１−Ｙ２方向）に対する角度はα１４となっている（α１４は０より大きい鋭角となっている）。この第１傾斜部４１２は、直線状に形成されている。仮想直線ｅ１６’は、ジッパーＡ’の開封方向に形成され、接触点ｍ１３を通る直線である。
【０３８５】
第１傾斜部４１２の第２傾斜部４１４側とは反対側の端部（第１端部）ｍ１１が、第１傾斜部４１２の第２傾斜部４１４との接触点（第１接触点）ｍ１２よりも開封方向において前側（Ｘ１側）にある。つまり、端部ｍ１１が接触点ｍ１２よりもジッパー開封方向において前側に位置するように仮想直線ｅ１６’に対して傾斜している。なお、ジッパー開封方向は、Ｘ１側からＸ２側への方向であり、Ｘ１側がジッパー開封方向において前側であり、Ｘ２側がジッパー開封方向において後側である。
【０３８６】
また、端部ｍ１１と接触点ｍ１２とは、仮想直線ｅ１６’を介して両側に配置されている。つまり、仮想直線ｅ１６’の一方の側（内側）に端部ｍ１１があり、他方の側（外側）に接触点ｍ１２がある。また、端部ｍ１１と接触点ｍ１２とは、第３傾斜部４１６の開封方向前側への延長線（仮想延長線）ｇ１６を介して両側に配置されている。
【０３８７】
また、端部ｍ１１と仮想直線ｅ１６’間の長さＬ１１は、接触点ｍ１２と仮想直線ｅ１６’間の長さＬ１２よりも長く形成され（Ｌ１１＞Ｌ１２）、これにより、第１傾斜部４１２と仮想直線ｅ１６’の交点をｍ１６とした場合に、端部ｍ１１と交点ｍ１６間の距離は、接触点ｍ１２と交点ｍ１６間の距離よりも長く形成されている。
【０３８８】
また、第２傾斜部４１４は、仮想直線ｅ１６’に対して傾斜して形成され、第２傾斜部４１４と仮想直線ｅ１６’間の角度（開封方向における前側の角度）はα１２であり、角度α１２は鋭角となっている。また、第２傾斜部４１４と第１傾斜部４１２間の角度（端部ｍ１１と接触点（第２接触点）ｍ１３を結ぶ直線（仮想直線（第２仮想直線））４１８側の角度（仮想直線ｅ１６’側の角度としてもよい））はα１３となっている。第２傾斜部４１４は、直線状に形成されている。
【０３８９】
また、第２傾斜部４１４の第１傾斜部４１２との接触点ｍ１２は、第２傾斜部４１４の第３傾斜部４１６との接触点ｍ１３よりも開封方向において前側（Ｘ１側）にある。
【０３９０】
また、第３傾斜部４１６は、接触点ｍ１３からジッパー開封方向に対して傾斜して形成され、直線状に形成されている。つまり、第３傾斜部４１６は、接触点ｍ１３と端部（第２端部）ｍ１４間に直線状に形成され、第３傾斜部４１６は、端部ｍ１４が仮想直線ｅ１６’を介して接触点ｍ１２と反対側となるように、仮想直線ｅ１６’に対して傾斜して形成されている。なお、接触点ｍ１３は、端部ｍ１４よりもジッパー開封方向において前側にある。第３傾斜部４１６と第２傾斜部４１４とがなす角度α１５（第３傾斜部４１６と第２傾斜部４１４とがなす角度で大きい方の角度）は、鈍角に形成されており、また、第３傾斜部４１６が仮想直線ｅ１６’となす角度α１６は、角度α１２よりも小さく形成されている。
【０３９１】
また、開封方向前側（Ｘ１側）の切込み４１０の第３傾斜部４１６の後端の端部ｍ１４からの第３傾斜部４１６のジッパー開封方向において後側への延長線（直線状の延長線）（仮想延長線）（第２仮想延長線）ｆ１６が、第１傾斜部４１２と交わるようになっている。つまり、ある切込み４１０の第３傾斜部４１６の延長線ｆ１６が、開封方向に隣接する切込み４１０の第１傾斜部４１２と交わる。
【０３９２】
ここで、第１傾斜部４１２の長さ（第１傾斜部４１２に沿った長さ）と第２傾斜部４１４の長さ（第２傾斜部４１４に沿った長さ）と第３傾斜部４１６の長さ（第３傾斜部４１６に沿った長さ）とを比較すると、第２傾斜部４１４が最も長く形成され、第１傾斜部４１２が最も短く形成されている。
【０３９３】
また、角度α１１と角度α１２とを比較すると、角度α１１が角度α１２よりも大きく形成されている（α１１＞α１２）。例えば、角度α１１は７０〜８５度で、角度α１２は５〜３０度に形成されている（なお、角度α１１、α１２は他の角度でもよい）。なお、角度α１１の角度の値は、角度α１２の角度の値の２倍以上（より好適には３倍以上）の角度の値とするのが好ましい。
【０３９４】
また、角度α１３は、直角以下の角度に形成され、例えば、７５〜９０度に形成されている（なお、角度α１３は他の角度でもよい）。また、角度α１６は、３〜１０度に形成されている。
【０３９５】
ジッパーＡ’の開封方向は、複数の切込み４１０における同じ箇所を結ぶ方向といえ、例えば、複数の切込み４１０における接触点ｍ１３を結ぶ方向がジッパーＡ’の開封方向といえ、ジッパーＡ’が直線状に形成されている場合には、複数の接触点ｍ１３を結ぶ方向が直線状となり、ジッパーＡ’が曲線状に形成されている場合には、複数の接触点ｍ１３を結ぶ方向が曲線状となる。
【０３９６】
なお、１つの切れ目線Ａ１’において、切込み４１０は同じ構成であり、隣接する切込み４１０間の間隔は、原則として同一に形成され、少なくともジッパーＡ’が直線状に形成されている場合には、隣接する切込み４１０間の間隔は、同一に形成されている。
【０３９７】
次に、切れ目線Ａ２’は、開封方向の切れ目線Ａ１’と切れ目線Ａ２’間の中心線Ａｈを介して対称に形成され、切れ目線Ａ１’と間隔を介して形成されている。
【０３９８】
切れ目線Ａ２’は、複数の切込み４２０を間隔を介して一列に配設したもので、各切込み４２０は、第１傾斜部４２２と、第１傾斜部４２２の端部から連設された第２傾斜部４２４と、第２傾斜部４２４の第１傾斜部４２２とは反対側の端部から連設された第３傾斜部４２６とを有している。第１傾斜部４２２と第２傾斜部４２４と第３傾斜部４２６とは、ともにブランクの表面から裏面まで貫通した切込みにより形成されている。各切込み４２０は、切れ目線Ａ１’における対応する切込み４１０と中心線Ａｈを中心に対称に形成されている。
【０３９９】
ここで、第１傾斜部４２２は、ジッパー開封方向（「ジッパー破断方向」としてもよい）（Ｘ１−Ｘ２方向）の仮想直線ｅ２６’に対して傾斜して形成され、第１傾斜部４２２と仮想直線ｅ２６’間の角度（鋭角の角度）はα２１で、第１傾斜部４２２の仮想直線ｅ２６’に対する直角方向（Ｙ１−Ｙ２方向）に対する角度はα２４となっている（α２４は０より大きい（α２４＞０））この第１傾斜部４２２は、直線状に形成されている。仮想直線ｅ２６’は、ジッパーＡ’の開封方向に形成され、接触点ｍ１３を通る直線である。
【０４００】
第１傾斜部４２２の第２傾斜部４２４側とは反対側の端部（第１端部）ｍ２１が、第１傾斜部４２２の第２傾斜部４２４との接触点（第１接触点）ｍ２２よりも開封方向において前側（Ｘ１側）にある。
【０４０１】
また、端部ｍ２１と接触点ｍ２２とは、仮想直線ｅ２６’を介して両側に配置されている。つまり、仮想直線ｅ２６’の一方の側（内側）に端部ｍ２１があり、他方の側（外側）に接触点ｍ２２がある。また、端部ｍ２１と接触点ｍ２２とは、第３傾斜部４１６の開封方向前側への延長線（仮想延長線）ｇ２６を介して両側に配置されている。
【０４０２】
また、端部ｍ２１と仮想直線ｅ２６’間の長さＬ２１は、接触点ｍ２２と仮想直線ｅ２６’間の長さＬ２２よりも長く形成され（Ｌ２１＞Ｌ２２）、これにより、第１傾斜部４２２と仮想直線ｅ２６’の交点をｍ１６とした場合に、端部ｍ１１と交点ｍ２６間の距離は、接触点ｍ２２と交点ｍ２６間の距離よりも長く形成されている。
【０４０３】
また、第２傾斜部４２４は、仮想直線ｅ２６’に対して傾斜して形成され、第２傾斜部４２４と仮想直線ｅ２６’間の角度（鋭角の角度）はα２２であり、また、第２傾斜部４２４と第１傾斜部４２２間の角度（端部ｍ２１と接触点（第２接触点）ｍ２３を結ぶ直線（仮想直線（第２仮想直線））４２８側の角度（仮想直線ｅ２６’側の角度としてもよい））はα２３となっている。第２傾斜部４２４は、直線状に形成されている。
【０４０４】
また、第２傾斜部４２４の第１傾斜部４２２との接触点ｍ２２は、第２傾斜部４２４の第３傾斜部４２６との接触点ｍ２３よりも開封方向において前側（Ｘ１側）にある。
【０４０５】
また、第３傾斜部４２６は、接触点ｍ２３からジッパー開封方向に対して傾斜して形成され、直線状に形成されている。つまり、第３傾斜部４２６は、接触点ｍ２３と端部（第２端部）ｍ２４間に直線状に形成され、第３傾斜部４２６は、端部ｍ２４が仮想直線ｅ２６’を介して接触点ｍ２２と反対側となるように、仮想直線ｅ２６’に対して傾斜して形成されている。なお、接触点ｍ２３は、端部ｍ２４よりもジッパー開封方向において前側にある。第３傾斜部４２６と第２傾斜部４２４とがなす角度α２５（第３傾斜部４２６と第２傾斜部４２４とがなす角度で大きい方の角度）は、鈍角に形成されており、また、第３傾斜部４２６が仮想直線ｅ２６’となす角度α２６は、角度α２２よりも小さく形成されている。
【０４０６】
また、開封方向前側（Ｘ１側）の切込み４２０の第３傾斜部４２６の後端の端部ｍ２４からの第３傾斜部４２６のジッパー開封方向において後側への延長線（直線状の延長線）（仮想延長線）（第２仮想延長線）ｆ２６が、第１傾斜部４２２と交わるようになっている。つまり、ある切込み４２０の第３傾斜部４２６の延長線ｆ２６が、開封方向に隣接する切込み４２０の第１傾斜部４２２と交わる。
【０４０７】
ここで、第１傾斜部４２２の長さ（第１傾斜部４２２に沿った長さ）と第２傾斜部４２４の長さ（第２傾斜部４２４に沿った長さ）と第３傾斜部４２６の長さ（第３傾斜部４２６に沿った長さ）とを比較すると、第２傾斜部４２４が最も長く形成され、第１傾斜部４２２が最も短く形成されている。
【０４０８】
また、角度α２１と角度α２２とを比較すると、角度α２１が角度α２２よりも大きく形成されている（α２１＞α２２）。例えば、角度α２１は７０〜８５度で、角度α２２は５〜３０度に形成されている（なお、角度α２１、α２２は他の角度でもよい）。なお、角度α２１の角度の値は、角度α２２の角度の値の２倍以上（より好適には３倍以上）の角度の値とするのが好ましい。
【０４０９】
また、角度α２３は、直角以下の角度に形成され、例えば、７５〜９０度に形成されている（なお、角度α２３は他の角度でもよい）。また、角度α２６は、３〜１０度に形成されている。
【０４１０】
ジッパーＡ’の開封方向は、複数の切込み４２０における同じ箇所を結ぶ方向といえ、例えば、複数の切込み４２０における接触点ｍ２３を結ぶ方向がジッパーＡ’の開封方向といえ、ジッパーＡ’が直線状に形成されている場合には、複数の接触点ｍ２３を結ぶ方向が直線状となり、ジッパーＡ’が曲線状に形成されている場合には、複数の接触点ｍ２３を結ぶ方向が曲線状となる。なお、切れ目線Ａ１’と切れ目線Ａ２’とは線対称に形成されているので、複数の切込み４１０における同じ箇所を結ぶ方向と複数の切込み４２０における同じ箇所を結ぶ方向とは同じ方向である。
【０４１１】
なお、１つの切れ目線Ａ２’において、切込み４２０は同じ構成であり、隣接する切込み４２０間の間隔は、原則として同一に形成され、少なくともジッパーＡ’が直線状に形成されている場合には、隣接する切込み４２０間の間隔は、同一に形成されている。
【０４１２】
なお、切れ目線Ａ１’を第１切れ目線とした場合には、切れ目線Ａ２’が第２切れ目線となり、切込み４１０が第１切込みとなり、切込み４２０が第２切込みとなる。切れ目線Ａ１’を第２切れ目線とした場合には、切れ目線Ａ２’が第１切れ目線となり、切込み４１０が第２切込みとなり、切込み４２０が第１切込みとなる。
【０４１３】
また、切込みＡ３は、略コ字状を呈し、Ｘ２側に開口した略コ字状を呈している。つまり、切込みＡ３は、仮想直線ｅ１６’に沿って形成された直線状の切込み３２と、仮想直線ｅ２６’に沿って形成された直線状の切込み３４と、切込み３２と切込み３４のＸ１側の端部間を結び、該中心線Ａｈに対して直角をなす切込み３６とを有している。この切込みＡ３により囲まれた領域（つまり、切込みＡ３と、切込み３２のＸ２側の端部と切込み３４のＸ２側の端部とを結ぶ直線により囲まれた領域）が、片部３０となる。
【０４１４】
ジッパーＡ’の使用に際しては、片部３０を起こして手でつかみ、Ｘ２方向（開封方向）に引っぱることにより、隣接する切込み４１０間の隙間と隣接する切込み４２０間の隙間が破れてジッパーＡ’がブランクから分離する。これにより、切れ目線Ａ１’と切れ目線Ａ２’間の帯状部がブランクから分離し、ブランクには帯状部を分離した後の隙間が形成される。ブランクには、この隙間の両側に切断面が形成される。
【０４１５】
例えば、ジッパーＡ’をカートンに適用した例は、図５、図６に示すカートンＫ１において、ジッパーＡ−１、Ａ−２の代わりにジッパーＡ’を用いる。
【０４１６】
ここで、ジッパーＡ’においては、第３傾斜部４１６の後端の端部ｍ１４からの第３傾斜部４１６の延長線ｆ１６が、次の切込み４１０における第１傾斜部４１２と交わり、また、第３傾斜部４２６の後端の端部ｍ２４からの第３傾斜部４２６の延長線ｆ２６が、次の切込み４２０における第１傾斜部４２２と交わるので、第１傾斜部４１２、４２２により破断力を広く受け止めることができ、図３９に示す従来例のように剥離を生じるおそれが少ない。よって、ブランクの切断面の見栄えをよくすることができる。また、第３傾斜部４１６、４２６からの破断力を第１傾斜部４１２、４２２により広く受け止め、第１傾斜部４１２、４２２以外に１つ前の切込み４１０、４２０の第３傾斜部４１６、４２６からの破断力を直接受け止める切込みがないので（例えば、第２傾斜部４１４、４２４の前側の端部は、第３傾斜部４１６、４２６の延長線からずれているので、第２傾斜部４１４、４２４により第３傾斜部４１６、４２６からの破断力を直接受け止めることはない）、破断の際の感触を一定にできて円滑な破断を行なうことができる。また、剥離を生じるおそれが少ないので、その分少ない力で破断を行なうことができる。
【０４１７】
また、第１傾斜部４１２、４２２が開封方向に対する直角方向に対して傾斜しており、第１傾斜部４１２、４２２の第２傾斜部４１４、４２４側が開封方向後側（Ｘ２側）となっている（つまり、接触点ｍ１２が端部ｍ１１よりも後側にあり、接触点ｍ２２が端部２１よりも後側にある）ので、第１傾斜部４１２、４２２に伝えられた破断力をスムーズに第２傾斜部４１４、４２４に伝えることができる。よって、少ない力で破断を行なうことができる。
【０４１８】
また、角度α１１が角度α１２よりも大きく、角度α２１が角度α２２よりも大きい（α１１＞α１２、α２１＞α２２）ので、第１傾斜部４１２、４２２の仮想直線ｅ１６’、ｅ２６’に対する傾斜が大きく、第１傾斜部４１２、４２２からの破断力が第２傾斜部４１４、４２４に伝わりやすく、ブランクの紙材の剥離が起こりにくい。よって、ブランクの切断面の見栄えをよくすることができる。すなわち、α１１＜α１２、α２１＜α２２であるとすると、第１傾斜部４１２、４２２の仮想直線ｅ１６’、ｅ２６’に対する傾斜が小さくなり、第２傾斜部４１４、４２４の仮想直線ｅ１６’、ｅ２６’に対する傾斜が大きくなるので、第１傾斜部４１２、４２２からの破断力が第２傾斜部４１４、４２４に伝わるよりも、ブランクの紙材を剥離する方に使われてしまい、剥離が起こりやすくなるが、本実施例の場合には、そのようなおそれが小さい。
【０４１９】
また、角度α１３、α２３が直角以下に形成されているので、その分、第１傾斜部４１２、４２２の仮想直線ｅ１６’、ｅ２６’に対する角度α１１、α２１を大きくすることができて、１つ前の切込み４１０、４２０からの破断力を第１傾斜部４１２、４２２で受け止めやすく、また、角度α１３、α２３が直角以下に形成されているので、その分、第３傾斜部４１６、４２６の長さを確保することができる。すなわち、ジッパーにおける隣接する切込み間のピッチ（例えば、ある切込みの前端から次の切込みの前端までの長さ）は、ある程度決められており（Ｇ段やＦ段で約１０ｍｍ）、すると、角度α１３、α２３が大きくなると、その分第３傾斜部４１６、４２６の長さを確保できず、第３傾斜部４１６、４２６の長さが短いと、その分第３傾斜部４１６、４２６からの破断力が広い角度に拡散しやすいことから、第３傾斜部４１６、４２６の長さを確保することにより、第３傾斜部４１６、４２６からの破断力が拡散する角度を小さくして、確実に次の切込み４１０、４２０の第１傾斜部４１２、４２２に破断力を伝えることができる。よって、ブランクの紙材の剥離が少なく、また、少ない力で破断を行なうことができる。また、第３傾斜部４１６、４２６からの破断力を第１傾斜部４１２、４２２により広く受け止め、第１傾斜部４１２、４２２以外に第３傾斜部４１６、４２６からの破断力を直接受け止める切込みがないので、破断の際の感触を一定にできて円滑な破断を行なうことができる。
【０４２０】
また、長さＬ１１が長さＬ１２よりも長く形成され、長さＬ２１が長さＬ２２よりも長く形成されているので（Ｌ１１＞Ｌ１２、Ｌ２１＞Ｌ２２）、ブランクの切断面（つまり、切れ目線Ａ１’と切れ目線Ａ２’間の帯状部を除いた後のブランクの切断面）の凹凸を小さくすることができる。つまり、Ｌ１２、Ｌ２２を小さくすることによりブランクの切断面の凹凸を小さくして、ブランクの切断面の見栄えをよくすることができる。
【０４２１】
また、長さＬ１１（Ｌ２１）を長さＬ１２（Ｌ２２）よりも長くするので、１つ前の切込み４１０、４２０からの破断力を広く受け止めることができる。つまり、第３傾斜部４１６、４２６が仮想直線ｅ１６’、ｅ２６’に対して傾斜しているので、長さＬ１１、Ｌ２１を長くすることにより、破断力を広く受け止めることが可能となる。また、１つ前の切込み４１０、４２０からの破断力においては、切れ目線Ａ１’と切れ目線Ａ２’間の帯状部を引っぱるので第３傾斜部４１６、４２６の延長線上よりも内側に向かう成分が多いが、長さＬ１１、Ｌ２１を長くするので、破断力を広く受け止めることが可能となる。よって、ブランクの紙材の剥離が少なく、また、少ない力で破断を行なうことができる。また、長さＬ１１（Ｌ２１）が長いので、第３傾斜部４１６、４２６からの破断力を第１傾斜部４１２、４２２により広く受け止め、第１傾斜部４１２、４２２以外に第３傾斜部４１６、４２６からの破断力を直接受け止める切込みがないので、破断の際の感触を一定にできて円滑な破断を行なうことができる。
【０４２２】
さらには、第３傾斜部４１６が仮想直線ｅ１６’に対して傾斜している（つまり、ジッパー開封方向に対して傾斜している）ので、ある切込み４１０における端部ｍ１４と、該切込み４１０に対して開封方向に隣接する切込み４１０における接触点ｍ１２間の仮想直線ｅ１６’と直角方向の長さ（端部ｍ１４から接触点ｍ１２を通る仮想直線で仮想直線ｅ１６’と平行な仮想直線までの長さ）ｈ１６を長くすることでき、これにより、接触点ｍ１２の位置からブランクが剥離することを防止することができる。また、接触点ｍ１２と仮想直線ｅ１６’（延長線ｅ１６）間の長さを実施例１の場合に比べて短くしても剥離防止できるので、ブランクの切断面の凹凸を小さくすることができる。
【０４２３】
同様に、第３傾斜部４２６が仮想直線ｅ２６’に対して傾斜している（つまり、ジッパー開封方向に対して傾斜している）ので、ある切込み４２０における端部ｍ２４と、該切込み４２０に対して開封方向に隣接する切込み４２０における接触点ｍ２２間の仮想直線ｅ２６’と直角方向の長さ（端部ｍ２４から接触点ｍ２２を通る仮想直線で仮想直線ｅ２６’と平行な仮想直線までの長さ）ｈ２６を長くすることでき、これにより、接触点ｍ２２の位置からブランクが剥離することを防止することができる。また、接触点ｍ２２と仮想直線ｅ２６’（延長線ｅ２６）間の長さを実施例１の場合に比べて短くしても剥離防止できるので、ブランクの切断面の凹凸を小さくすることができる。
【実施例６】
【０４２４】
次に、本発明に基づく実施例６のカートン用切断構造としての切れ目線Ｂ’は、実施例２の切れ目線Ｂと略同一の構成であるが、切れ目線Ｂを構成する切込み２０の代わりに切込み４２０とするものである。すなわち、切込みＢ’は、図２７に示すように構成され、切れ目線Ｂ１’と、切れ目線Ｂ１’の開封方向前側に形成された切込み３８、３９とを有している。
【０４２５】
ここで、切れ目線Ｂ１’は、複数の切込み４２０を間隔を介して一列に配設したもので、切れ目線Ｂ１’は、切れ目線Ａ２’と同様の構成であり、切込み４２０の構成は、実施例５における切込み４２０と同様の構成であるので、詳しい説明を省略する。つまり、切込み４２０は、第１傾斜部４２２と、第２傾斜部４２４と、第３傾斜部４２６とを有する。
【０４２６】
また、切込み３８、３９は、直線状に形成され、第３傾斜部４２６の延長線上に形成されている。なお、開封方向に沿っては、切込み３８、切込み３９、切れ目線Ｂ１’の順に形成されている。
【０４２７】
なお、実施例６の切れ目線Ｂ’においては、図２７における切れ目線Ｂ’の上側を切取り側とし、切れ目線Ｂ’の下側を残す側とする。すなわち、実施例５のジッパーＡ’において、切れ目線Ａ２’の上側が帯状部として切り取る側であるので、切れ目線Ｂ’においても上側を切り取り側とする。
【０４２８】
切れ目線Ｂ’の使用に際しては、切込み３８から破断を開始して、Ｘ２方向（開封方向）に切れ目線Ｂ’を破断することにより、切れ目線Ｂ’を形成したブランクが切断される。なお、切れ目線開封方向（「切れ目線破断方向」としてもよい）は、Ｘ１側からＸ２側への方向であり、Ｘ１側が切れ目線開封方向において前側であり、Ｘ２側が切れ目線開封方向において後側である。本実施例の切れ目線開封方向と実施例１のジッパー開封方向は、同じ方向であり、実施例５のジッパー開封方向の代わりに、切れ目線開封方向となっている。
【０４２９】
なお、第３傾斜部４２６は、接触点ｍ２３から切れ目線開封方向に対して傾斜して形成され、直線状に形成されている。つまり、第３傾斜部４２６は、接触点ｍ２３と端部ｍ２４間に直線状に形成され、第３傾斜部４２６は、端部ｍ２４が仮想直線ｅ２６’を介して接触点ｍ２２と反対側となるように、仮想直線ｅ２６’に対して傾斜して形成されている。なお、接触点ｍ２３は、端部ｍ２４よりも切れ目線開封方向において前側にある。
【０４３０】
また、第１傾斜部４２２は、切れ目線開封方向の仮想直線ｅ２６’に対して傾斜して形成され、端部ｍ２１が接触点ｍ２２よりも開封方向において前側にある。
【０４３１】
例えば、切れ目線Ｂ’をカートンに適用した例は、図９、図１０に示すカートンＫ２において、切れ目線Ｂの代わりに切れ目線Ｂ’を用いたものとなり、切込み２０の代わりに切込み４２０を用いたものとなる。
【０４３２】
切れ目線Ｂ’による作用・効果は、実施例５のジッパーＡ’の場合と同様である。すなわち、第３傾斜部４２６の後端の端部ｍ２４からの第３傾斜部４２６の延長線ｆ２６が、次の切込み４２０における第１傾斜部４２２と交わるので、第１傾斜部４２２により破断力を広く受け止めることができ、図３９に示す従来例のように剥離を生じるおそれが少ない。よって、ブランクの切断面（図２７の切れ目線Ｂ’の下側の領域の切断面）の見栄えをよくすることができる。また、第３傾斜部４２６からの破断力を第１傾斜部４２２により広く受け止め、第１傾斜部４２２以外に第３傾斜部４２６からの破断力を直接受け止める切込みがないので（例えば、第２傾斜部４２４の前側の端部は、第３傾斜部４２６の延長線からずれているので、第２傾斜部４２４により第３傾斜部４２６からの破断力を直接受け止めることはない）、破断の際の感触を一定にできて円滑な破断を行なうことができる。また、剥離を生じるおそれが少ないので、その分少ない力で破断を行なうことができる。
【０４３３】
また、第１傾斜部４２２が開封方向に対する直角方向に対して傾斜しており、第１傾斜部４２２の第２傾斜部４２４側が開封方向後側となっている（つまり、接触点ｍ２２が端部ｍ２１よりも後側にある）ので、第１傾斜部４２２に伝えられた破断力をスムーズに第２傾斜部４２４に伝えることができる。よって、少ない力で破断を行なうことができる。
【０４３４】
また、角度α２１が角度α２２よりも大きい（α２１＞α２２）ので、第１傾斜部４２２の仮想直線ｅ２６’に対する傾斜が大きく、第１傾斜部４２２からの破断力が第２傾斜部４２４に伝わりやすく、ブランクの紙材の剥離が起こりにくい。よって、ブランクの切断面（図２７の切れ目線Ｂ’の下側の領域の切断面）の見栄えをよくすることができる。
【０４３５】
また、角度α２３が直角以下に形成されているので、その分、第１傾斜部４２２の仮想直線ｅ２６’に対する角度α２１を大きくすることができて、１つ前の切込み４２０からの破断力を第１傾斜部４２２で受け止めやすく、また、角度α２３が直角以下に形成されているので、その分、第３傾斜部４２６の長さを確保することができる。第３傾斜部４２６の長さを確保することにより、第３傾斜部４２６からの破断力が拡散する角度を小さくして、確実に次の切込み４２０の第１傾斜部４２２に破断力を伝えることができる。よって、ブランクの紙材の剥離が少なく、また、少ない力で破断を行なうことができる。また、第３傾斜部４２６からの破断力を第１傾斜部４２２により広く受け止め、第１傾斜部４２２以外に第３傾斜部４２６からの破断力を直接受け止める切込みがないので、破断の際の感触を一定にできて円滑な破断を行なうことができる。
【０４３６】
また、長さＬ２１が長さＬ２２よりも長く形成されているので（Ｌ２１＞Ｌ２２）、ブランクの切断面の凹凸を小さくすることができる。よって、Ｌ２２を小さくすることによりブランクの切断面の凹凸を小さくして、ブランクの切断面（図２７の切れ目線Ｂ’の下側の領域の切断面）の見栄えをよくすることができる。
【０４３７】
また、長さＬ２１を長さＬ２２よりも長くするので、１つ前の切込み４２０からの破断力を広く受け止めることができる。つまり、第３傾斜部４１６、４２６が仮想直線ｅ１６’、ｅ２６’に対して傾斜しているので、長さＬ２１を長くすることにより、破断力を広く受け止めることが可能となる。また、１つ前の切込み４２０からの破断力においては、図２７の切れ目線Ｂ’よりも上側の領域を引っぱるので第３傾斜部４２６の延長線上よりも内側に向かう成分が多いが、長さＬ２１を長くするので、破断力を広く受け止めることが可能となる。よって、ブランクの紙材の剥離が少なく、また、少ない力で破断を行なうことができる。また、第３傾斜部４２６からの破断力を第１傾斜部４２２により広く受け止め、第１傾斜部４２２以外に第３傾斜部４２６からの破断力を直接受け止める切込みがないので、破断の際の感触を一定にできて円滑な破断を行なうことができる。
【０４３８】
さらには、第３傾斜部４２６が仮想直線ｅ２６’に対して傾斜しているので、ある切込み４２０における端部ｍ２４と、該切込み４２０に対して開封方向に隣接する切込み４２０における接触点ｍ２２間の仮想直線ｅ２６’と直角方向の長さ（端部ｍ２４から接触点ｍ２２を通る仮想直線で仮想直線ｅ１６’と平行な仮想直線までの長さ）ｈ２６を長くすることでき、これにより、接触点ｍ２２の位置からブランクが剥離することを防止することができる。また、接触点ｍ２２と仮想直線ｅ２６’（延長線ｅ２６）間の長さを実施例２の場合に比べて短くしても剥離防止できるので、ブランクの切断面の凹凸を小さくすることができる。
【０４３９】
なお、切れ目線Ｂ’は、切れ目線Ｂ’よりも上側の領域を切り取る（すなわち、除去する）場合の例であり、切れ目線よりも下側の領域を切り取る場合には、図２８に示すように、切れ目線Ｂ１’として、切れ目線Ａ１’の構成の切れ目線（つまり、切込み４１０を用いた切れ目線）を使用することになる。その場合の作用・効果は、上記と同様である。
【０４４０】
なお、上記実施例５のジッパーＡ’の切込み４１０の変形例として、第１傾斜部４１２と第２傾斜部４１４間の角部にアール部が設けられ、第２傾斜部４１４と第３傾斜部４１６間の角部にアール部が設けられていてもよく、切込み４２０において、第１傾斜部４２２と第２傾斜部４２４間の角部にアール部が設けられ、第２傾斜部４２４と第３傾斜部４２６間の角部にアール部が設けられていてもよい。また、実施例２の切れ目線Ｂにおいても同様に、切込み４２０において、第１傾斜部４２２と第２傾斜部４２４間の角部にアール部が設けられ、第２傾斜部４２４と第３傾斜部４２６間の角部にアール部が設けられていてもよい。
【０４４１】
すなわち、変形例としての切込み４１０は、図２９に示すように構成され、第１傾斜部４１２と第２傾斜部４１４間にアール部（アール状部としてもよい。他においても同じ）４１３が設けられ、第２傾斜部４１４と第３傾斜部４１６間にアール部（第２アール部）４１５が設けられている。このようにアール部４１３やアール部４１５が設けられるのは、切込み４１０を形成するための刃の精度により刃の屈曲する部分がアール状にならざるを得ない場合があることに起因する。
【０４４２】
すなわち、アール部４１３は、第１傾斜部４１２の一方の端部である接触点（第１接触点）ｍ１２ａと第２傾斜部４１４の一方の端部である接触点（第２接触点）ｍ１２ｂ間に形成され、円弧状（略円弧状としてもよい）を呈し、接触点ｍ１２ａで第１傾斜部４１２と接するとともに、接触点ｍ１２ｂで第２傾斜部４１４と接している。つまり、アール部４１３は、第１傾斜部４１２と第２傾斜部４１４間の角部を円弧状（略円弧状としてもよい）に面取りしたものであり、アール部４１３の接触点ｍ１２ａにおける接線は、第１傾斜部４１２及びその延長線と一致し（第１傾斜部４１２は、アール部４１３の接触点ｍ１２ａにおける接線となるとしてもよい）、アール部４１３の接触点ｍ１２ｂにおける接線は、第２傾斜部４１４及びその延長線と一致する（第２傾斜部４１４は、アール部４１３の接触点ｍ１２ｂにおける接線となるとしてもよい）。
【０４４３】
また、アール部４１５は、第２傾斜部４１４の他方の端部である接触点（第３接触点）ｍ１３ａと第３傾斜部４１６の一方の端部である接触点（第４接触点）ｍ１３ｂ間に形成され、円弧状（略円弧状としてもよい）を呈し、接触点ｍ１３ａで第２傾斜部４１４と接するとともに、接触点ｍ１３ｂで第３傾斜部４１６と接している。つまり、アール部４１５は、第２傾斜部４１４と第３傾斜部４１６間の角部を円弧状（略円弧状としてもよい）に面取りしたものであり、アール部４１５の接触点ｍ１３ａにおける接線は、第２傾斜部４１４及びその延長線と一致し（第２傾斜部４１４は、アール部４１５の接触点ｍ１３ａにおける接線となるとしてもよい）、アール部４１５の接触点ｍ１３ｂにおける接線は、第３傾斜部４１６及びその延長線と一致する（第３傾斜部４１６は、アール部４１５の接触点ｍ１３ｂにおける接線となるとしてもよい）。
【０４４４】
図２９に示す切込み４１０の構成は、アール部４１３、４１５が設けられている点以外は上記実施例５や実施例６の切込み４１０と同様の構成である。
【０４４５】
すなわち、第１傾斜部４１２の両側の端部、すなわち、端部ｍ１１と接触点ｍ１２ａとが、仮想直線ｅ１６’を介して両側に配置され、端部ｍ１１が接触点ｍ１２ａよりもジッパー開封方向において前側に位置するように、第１傾斜部４１２が仮想直線ｅ１６’に対して傾斜して形成され、第１傾斜部４１２と仮想直線ｅ１６’間の角度（第２傾斜部４１４側の角度）α１１は鋭角となっている。
【０４４６】
なお、仮想直線ｅ１６’は、ジッパー開封方向の仮想直線で、第３傾斜部４１６の開封方向前側への延長線（第１仮想延長線）ｇ１６と第２傾斜部４１４の接触点ｍ１２ｂからの延長線（第２仮想延長線）ｅ１４の交点ｍ１３’を通る仮想直線である。
【０４４７】
また、第２傾斜部４１４は、仮想直線ｅ１６’に対して傾斜して形成され、第２傾斜部４１４の接触点ｍ１３ａからの延長線（仮想延長線）（第２仮想延長線）ｅ１４の仮想直線ｅ１６’間の角度α１２は鋭角となっている。なお、角度α１１は、角度α１２よりも大きく形成されている。なお、接触点ｍ１２ｂは、接触点ｍ１３ａよりも開封方向において前側（Ｘ１側）にある。
【０４４８】
また、第１傾斜部４１２と第２傾斜部４１４間の角度α１３（つまり、第１傾斜部４１２の延長線と第２傾斜部４１４の延長線との交点ｍ１２’を中心とした角度で、仮想直線ｅ１６’と延長線ｅ１４の交点ｍ１３’と端部ｍ１１とを結ぶ直線４１８側の角度）が直角以下となっている。
【０４４９】
また、第３傾斜部４１６は、接触点ｍ１３ｂからジッパー開封方向に対して傾斜して形成され、直線状に形成されている。つまり、第３傾斜部４１６は、接触点ｍ１３ｂと端部ｍ１４間に直線状に形成され、第３傾斜部４１６は、端部ｍ１４が仮想直線ｅ１６’を介して接触点ｍ１２と反対側となるように、仮想直線ｅ１６’に対して傾斜して形成されている。なお、接触点ｍ１３ｂは、端部ｍ１４よりもジッパー開封方向において前側にある。第３傾斜部４１６と第２傾斜部４１４とがなす角度α１５（第３傾斜部４１６と第２傾斜部４１４とがなす角度で大きい方の角度）は、鈍角に形成されており、また、第３傾斜部４１６が仮想直線ｅ１６’となす角度α１６は、角度α１２よりも小さく形成されている。
【０４５０】
また、第３傾斜部４１６の切れ目線開封方向への延長線（第３仮想延長線）ｆ１６は切れ目線開封方向において後側に隣接する他の切込み４１０の第１傾斜部４１２と交わる。
【０４５１】
なお、端部ｍ１１から仮想直線ｅ１６’までの長さＬ１１は、アール部４１３から仮想直線ｅ１６’までの最大長さＬ１２’（アール部４１３において、仮想直線ｅ１６’までの距離が最大となる点から仮想直線ｅ１６’までの長さ（Ｙ１−Ｙ２方向の長さ））よりも長く形成されている。
【０４５２】
なお、図２９に示す構成の切込み４１０を用いた場合の作用・効果は、アール部４１３、４１５が設けられていない切込み４１０（図２３〜図２６に示す切込み４１０）と同様である。
【０４５３】
すなわち、図２９に示す切込み１０においては、第３傾斜部４１６の後端の端部ｍ１４からの第３傾斜部４１６の延長線ｆ１６が、次の切込み４１０における第１傾斜部４１２と交わるので、第１傾斜部４１２により破断力を広く受け止めることができ、図３９に示す従来例のように剥離を生じるおそれが少ない。よって、ブランクの切断面の見栄えをよくすることができる。また、第３傾斜部４１６からの破断力を第１傾斜部４１２により広く受け止め、第１傾斜部４１２以外に直前の切込み４１０の第３傾斜部４１６からの破断力を直接受け止める切込みがないので、破断の際の感触を一定にできて円滑な破断を行なうことができる。また、剥離を生じるおそれが少ないので、その分少ない力で破断を行なうことができる。
【０４５４】
また、第１傾斜部４１２が開封方向に対する直角方向に対して傾斜しており、第１傾斜部４１２の第２傾斜部４１４側が開封方向後側となっている（つまり、接触点ｍ１２ａが端部ｍ１１よりも後側にある）ので、第１傾斜部４１２に伝えられた破断力をスムーズに第２傾斜部４１４に伝えることができる。よって、少ない力で破断を行なうことができる。
【０４５５】
また、角度α１１が角度α１２よりも大きい（α１１＞α１２）ので、第１傾斜部４１２の仮想直線ｅ１６’に対する傾斜が大きく、第１傾斜部４１２からの破断力が第２傾斜部４１４に伝わりやすく、ブランクの紙材の剥離が起こりにくい。よって、ブランクの切断面の見栄えをよくすることができる。
【０４５６】
また、角度α１３が直角以下に形成されているので、その分、第１傾斜部４１２の仮想直線ｅ１６’に対する角度α１１を大きくすることができて、１つ前の切込み４１０からの破断力を第１傾斜部４１２で受け止めやすく、また、角度α１３が直角以下に形成されているので、その分、第３傾斜部４１６の長さを確保することができる。よって、第３傾斜部４１６の長さを確保することにより、第３傾斜部４１６からの破断力が拡散する角度を小さくして、確実に次の切込み４１０の第１傾斜部４１２に破断力を伝えることができる。よって、ブランクの紙材の剥離が少なく、また、少ない力で破断を行なうことができる。また、第３傾斜部４１６からの破断力を第１傾斜部４１２により広く受け止め、第１傾斜部４１２以外に直前の切込み４１０の第３傾斜部４１６からの破断力を直接受け止める切込みがないので、破断の際の感触を一定にできて円滑な破断を行なうことができる。
【０４５７】
また、長さＬ１１が長さＬ１２’よりも長く形成されているので（Ｌ１１＞Ｌ１２’）、ブランクの切断面の凹凸を小さくすることができる。よって、ブランクの切断面の凹凸を小さくして、ブランクの切断面の見栄えをよくすることができる。
【０４５８】
また、長さＬ１１を長さＬ１２’よりも長くするので、１つ前の切込み４１０からの破断力を広く受け止めることができる。よって、ブランクの紙材の剥離が少なく、また、少ない力で破断を行なうことができる。また、長さＬ１１が長いので、直前の切込み４１０の第３傾斜部４１６からの破断力を第１傾斜部４１２により広く受け止め、第１傾斜部４１２以外に第３傾斜部４１６からの破断力を直接受け止める切込みがないので、破断の際の感触を一定にできて円滑な破断を行なうことができる。
【０４５９】
さらには、第３傾斜部４１６が仮想直線ｅ１６’に対して傾斜している（つまり、切れ目線開封方向に対して傾斜している）ので、ある切込み４１０における端部ｍ１４と、該切込み４１０に対して開封方向に隣接する切込み４１０における接触点ｍ１２ａ間の仮想直線ｅ１６’と直角方向の長さ（端部ｍ１４から接触点ｍ１２ａを通る仮想直線で仮想直線ｅ１６’と平行な仮想直線までの長さ）ｈ１６を長くすることでき、これにより、接触点ｍ１２ａの位置からブランクが剥離することを防止することができる。また、接触点ｍ１２ａと仮想直線ｅ１６’（延長線ｅ１６）間の長さを実施例１の場合に比べて短くしても剥離防止できるので、ブランクの切断面の凹凸を小さくすることができる。
【０４６０】
なお、実施例１や実施例２における切込み４２０において、第１傾斜部４２２と第２傾斜部４２４間の角部にアール部が設けられ、第２傾斜部４２４と第３傾斜部４２６間の角部にアール部が設けられた構成は、図２９に示す切込み４１０に対して仮想直線ｅ１６’と平行な直線を介して対称の構成となる以外は同様の構成であるので、詳しい説明を省略する。
【０４６１】
また、実施例１や実施例２における切込み４２０において、第１傾斜部４２２と第２傾斜部４２４間の角部にアール部が設けられ、第２傾斜部４２４と第３傾斜部４２６間の角部にアール部が設けられた構成の作用・効果は、図２９に示す切込み４１０の場合と同様である。
【０４６２】
なお、図２９に示す切込み４１０においては、第１傾斜部４１２と第２傾斜部４１４間の角部にアール部４１３が設けられ、第２傾斜部４１４と第３傾斜部４１６間の角部にアール部４１５が設けられているが、図２９に示す切込み４１０の代わりに、図３０に示すように、第２傾斜部４１４と第３傾斜部４１６間の角部にアール部は設けられず、第１傾斜部４１２と第２傾斜部４１４間の角部のみにアール部を設けた構成としてもよい。
【０４６３】
すなわち、図３０に示す切込み４１０は、端部（第１端部）ｍ１１と接触点（第１接触点）ｍ１２ａ間に直線状に形成された第１傾斜部４１２と、接触点ｍ１２ａと接触点（第２接触点）ｍ１２ｂ間に形成されたアール部４１３と、接触点ｍ１２ｂと接触点（第３接触点）ｍ１３間に直線状に形成された第２傾斜部４１４と、接触点ｍ１３と端部（第２端部）ｍ１４間に直線状に形成された第３傾斜部４１６とを有している。
【０４６４】
図３０に示す切込み４１０は、アール部４１５が設けられていない点以外は図２９に示す切込み４１０と同様の構成であるので、詳しい説明を省略する。なお、接触点ｍ１２ｂは、接触点ｍ１３よりも開封方向において前側（Ｘ１側）にある。また、図３０に示す構成の切込み４１０を用いた場合の作用・効果は、アール部４１３、４１５が設けられていない切込み４１０や、図２９に示す切込み４１０と同様であるので、詳しい説明を省略する。なお、図３０の構成において、仮想直線ｅ１６’は、ジッパー開封方向の仮想直線で、接触点ｍ１３を通る仮想直線である。
【０４６５】
なお、実施例１や実施例２における切込み４２０において、第１傾斜部４２２と第２傾斜部４２４間の角部のみにアール部が設けられた場合の構成は、図３０に示す切込み４１０に対して仮想直線ｅ１６’と平行な直線を介して対称の構成となる以外は同様の構成であるので、詳しい説明を省略する。
【０４６６】
また、実施例１や実施例２における切込み４２０において、第１傾斜部４２２と第２傾斜部４２４間の角部のみにアール部が設けられた場合の構成の作用・効果は、図３０に示す切込み４１０の場合と同様である。
【０４６７】
なお、図２９に示す切込み４１０においては、第１傾斜部４１２と第２傾斜部４１４間の角部にアール部４１３が設けられ、第２傾斜部４１４と第３傾斜部４１６間の角部にアール部４１５が設けられているが、アール部４１３を設けず、アール部４１５のみを設けた構成としてもよい。また、実施例５や実施例６における切込み４２０において、第２傾斜部４２４と第３傾斜部４２６間の角部のみにアール部が設けられた場合の構成は、切込み４１０において、アール部４１５のみを設けた構成に対して仮想直線ｅ１６’と平行な直線を介して対称の構成となる以外は同様の構成となる。
【実施例７】
【０４６８】
本発明に基づく実施例７のカートン用切断構造としてのジッパーＣ’は、実施例３のジッパーＣと略同一の構成であるが、切れ目線Ｃ１を構成する切込み６０の代わりに切込み４６０とし、切れ目線Ｃ２を構成する切込み７０の代わりに切込み４７０とするものである。すなわち、ジッパーＣ’は、図３１〜図３４に示すように構成され、互いに平行に２列に形成された切れ目線Ｃ１’、Ｃ２’と、開封開始位置の片部８０を形成するための切込みＣ３とを有している。ジッパーＣ’は、カートンを構成するシート状のブランク（例えば、段ボールや厚紙）に形成されている。
【０４６９】
ここで、切れ目線Ｃ１’は、複数の切込み４６０を間隔を介して一列に配設したもので、各切込み４６０は、第１傾斜部４６２と、第１傾斜部４６２の端部から連設された第２傾斜部４６４と、第２傾斜部４６４の第１傾斜部４６２とは反対側の端部から連設された第３傾斜部４６６とを有している。第１傾斜部４６２と第２傾斜部４６４と第３傾斜部４６６とは、ともにブランクの表面から裏面まで貫通した切込みにより形成されている。切込み４６０を実施例５の切込み４１０と比較すると、第２傾斜部４６４が外側（端部ｍ６１側とは反対側）（端部ｍ６１と接触点ｍ６３を結ぶ直線（仮想直線（第２仮想直線））４６８側とは反対側としてもよい）に膨出した円弧状を呈する点が異なる。
【０４７０】
ここで、第１傾斜部４６２は、ジッパー開封方向（「ジッパー破断方向」としてもよい）（Ｘ１−Ｘ２方向）の仮想直線ｅ６６’に対してに対して傾斜して形成され、第１傾斜部４６２と仮想直線ｅ６６’間の角度（鋭角の角度）はα６１で、第１傾斜部４６２の仮想直線ｅ６６’に対する直角方向（Ｙ１−Ｙ２方向）に対する角度はα６４となっている（α６４は０より大きい（α６４＞０））この第１傾斜部４６２は、直線状に形成されている。仮想直線ｅ６６’は、ジッパーＣ’の開封方向に形成され、接触点ｍ６３を通る直線である。
【０４７１】
第１傾斜部４６２の第２傾斜部４６４側とは反対側の端部（第１端部）ｍ６１が、第１傾斜部４６２の第２傾斜部４６４との接触点（第１接触点）ｍ６２よりも開封方向において前側（Ｘ１側）にある。
【０４７２】
また、端部ｍ６１と接触点ｍ６２とは、仮想直線ｅ６６’を介して両側に配置されている。つまり、仮想直線ｅ６６’の一方の側（内側）に端部ｍ６１があり、他方の側（外側）に接触点ｍ６２がある。また、端部ｍ６１と接触点ｍ６２とは、第３傾斜部４６６の開封方向前側への延長線（仮想延長線）ｇ１６を介して両側に配置されている。
【０４７３】
また、端部ｍ６１と仮想直線ｅ６６’間の長さＬ６１は、接触点ｍ１２と仮想直線ｅ６６’間の長さＬ６２よりも長く形成され（Ｌ６１＞Ｌ６２）、これにより、第１傾斜部４６２と仮想直線ｅ６６’の交点をｍ６６とした場合に、端部ｍ６１と交点ｍ６６間の距離は、接触点ｍ６２と交点ｍ６６間の距離よりも長く形成されている。
【０４７４】
また、第２傾斜部４６４は、仮想直線ｅ６６’に対して傾斜して形成されている。つまり、第２傾斜部４６４の接触点（第２接触点）ｍ６３における接線４６４−１’と仮想直線ｅ６６’間の角度（鋭角の角度）（開封方向における前側の角度）はα６２であり、また、第２傾斜部４１４の接触点ｍ６２における接線４６４−２’と第１傾斜部４１２間の角度（端部ｍ６１と接触点ｍ６３を結ぶ直線４６８側の角度（仮想直線ｅ６６’側の角度としてもよい））はα６３となっている。つまり、第１傾斜部４６２と第２傾斜部４６４間の角度はα６３となっている。第２傾斜部４６４は、外側（端部ｍ６１側とは反対側）に膨出した円弧状を呈している。
【０４７５】
また、第２傾斜部４６４の第１傾斜部４６２との接触点ｍ６２は、第２傾斜部４６４の第３傾斜部４６６との接触点ｍ６３よりも開封方向において前側（Ｘ１側）にある。
【０４７６】
また、第３傾斜部４６６は、接触点ｍ６３からジッパー開封方向に対して傾斜して形成され、直線状に形成されている。つまり、第３傾斜部４６６は、接触点ｍ６３と端部（第２端部）ｍ６４間に直線状に形成され、第３傾斜部４６６は、端部ｍ６４が仮想直線ｅ６６’を介して接触点ｍ６２と反対側となるように、仮想直線ｅ６６’に対して傾斜して形成されている。なお、接触点ｍ６３は、端部ｍ６４よりもジッパー開封方向において前側にある。第３傾斜部４６６と第２傾斜部４６４とがなす角度α１５（第３傾斜部４６６と第２傾斜部４６４とがなす角度で大きい方の角度）は、鈍角に形成されており、また、第３傾斜部４６６が仮想直線ｅ６６’となす角度α６６は、角度α６２よりも小さく形成されている。
【０４７７】
また、開封方向前側（Ｘ１側）の切込み４６０の第３傾斜部４６６の後端の端部ｍ６４からの第３傾斜部４６６のジッパー開封方向において後側への延長線（直線状の延長線）（仮想延長線）（第２仮想延長線）ｆ６６が、第１傾斜部４６２と交わるようになっている。つまり、ある切込み４６０の第３傾斜部４６６の延長線ｆ６６が、開封方向に隣接する切込み４６０の第１傾斜部４６２と交わる。
【０４７８】
ここで、第１傾斜部４６２の長さ（第１傾斜部４６２に沿った長さ）と第２傾斜部４６４の長さ（第２傾斜部４６４に沿った長さ）と第３傾斜部４６６の長さ（第３傾斜部４６６に沿った長さ）とを比較すると、第２傾斜部４６４が最も長く形成され、第１傾斜部４６２が最も短く形成されている。なお、第２傾斜部４６４の第２傾斜部４６４に沿った長さの代わりに、接触点ｍ６２と接触点ｍ６３間の直線距離を第２傾斜部４６４の長さとした場合でも、第２傾斜部４６４が最も長く形成されている。
【０４７９】
また、角度α６１と角度α６２とを比較すると、角度α６１が角度α６２よりも大きく形成されている（α６１＞α６２）。例えば、角度α６１は７０〜８５度で、角度α６２は５〜４５度（５〜３５度としてもよい）に形成されている（なお、角度α６１、α６２は他の角度でもよい）。なお、角度α６１の角度の値は、角度α６２の角度の値の２倍以上の角度の値とするのが好ましい。
【０４８０】
また、角度α６３は、直角以下の角度に形成され、例えば、７５〜９０度に形成されている（なお、角度α６３は他の角度でもよい）。また、角度α６６は、３〜１０度に形成されている。
【０４８１】
ジッパーＣ’の開封方向は、複数の切込み４６０における同じ箇所を結ぶ方向といえ、例えば、複数の切込み４６０における接触点ｍ６３を結ぶ方向がジッパーＣ’の開封方向といえ、ジッパーＣ’が直線状に形成されている場合には、複数の接触点ｍ１３を結ぶ方向が直線状となり、ジッパーＣ’が曲線状に形成されている場合には、複数の接触点ｍ６３を結ぶ方向が曲線状となる。
【０４８２】
なお、１つの切れ目線Ｃ１’において、切込み４６０は同じ構成であり、隣接する切込み４６０間の間隔は、原則として同一に形成され、少なくともジッパーＣ’が直線状に形成されている場合には、隣接する切込み４６０間の間隔は、同一に形成されている。
【０４８３】
次に、切れ目線Ｃ２’は、開封方向の切れ目線Ｃ１’と切れ目線Ｃ２’間の中心線Ｃｈを介して対称に形成され、切れ目線Ｃ１’と間隔を介して形成されている。
【０４８４】
切れ目線Ｃ２’は、複数の切込み４７０を間隔を介して一列に配設したもので、各切込み４７０は、第１傾斜部４７２と、第１傾斜部４７２の端部から連設された第２傾斜部４７４と、第２傾斜部４７４の第１傾斜部４７２とは反対側の端部から連設された第３傾斜部４７６とを有している。第１傾斜部４７２と第２傾斜部４７４と第３傾斜部４７６とは、ともにブランクの表面から裏面まで貫通した切込みにより形成されている。各切込み４７０は、切れ目線Ｃ１’における対応する切込み４６０と中心線Ｃｈを中心に対称に形成されている。
【０４８５】
ここで、第１傾斜部４７２は、ジッパー開封方向（「ジッパー破断方向」としてもよい）（Ｘ１−Ｘ２方向）の仮想直線ｅ７６’に対して傾斜して形成され、第１傾斜部４７２と仮想直線ｅ７６’間の角度（鋭角の角度）はα７１で、第１傾斜部４７２の仮想直線ｅ７６’に対する直角方向（Ｙ１−Ｙ２方向）に対する角度はα７４となっている（α７４は０より大きい（α７４＞０））この第１傾斜部４７２は、直線状に形成されている。仮想直線ｅ７６’は、ジッパーＣ’の開封方向に形成され、接触点ｍ６３を通る直線である。
【０４８６】
第１傾斜部４７２の第２傾斜部４７４側とは反対側の端部（第１端部）ｍ７１が、第１傾斜部４７２の第２傾斜部４７４との接触点（第１接触点）ｍ７２よりも開封方向において前側（Ｘ１側）にある。
【０４８７】
また、端部ｍ７１と接触点ｍ７２とは、仮想直線ｅ７６’を介して両側に配置されている。つまり、仮想直線ｅ７６’の一方の側（内側）に端部ｍ７１があり、他方の側（外側）に接触点ｍ７２がある。また、端部ｍ７１と接触点ｍ７２とは、第３傾斜部４６６の開封方向前側への延長線（仮想延長線）ｇ７６を介して両側に配置されている。
【０４８８】
また、端部ｍ７１と仮想直線ｅ７６’間の長さＬ７１は、接触点ｍ７２と仮想直線ｅ７６’間の長さＬ７２よりも長く形成され（Ｌ７１＞Ｌ７２）、これにより、第１傾斜部４７２と仮想直線ｅ７６’の交点をｍ７６とした場合に、端部ｍ７１と交点ｍ７６間の距離は、接触点ｍ７２と交点ｍ７６間の距離よりも長く形成されている。
【０４８９】
また、第２傾斜部４７４は、仮想直線ｅ７６’に対して傾斜して形成されている。つまり、第２傾斜部４７４の接触点（第２接触点）ｍ７３における接線４７４−１’と仮想直線ｅ７６’間の角度（鋭角の角度）はα７２であり、また、第２傾斜部４７４の接触点ｍ７２における接線４７４−２’と第１傾斜部４７２間の角度（端部ｍ７１と接触点ｍ７３を結ぶ直線（仮想直線（第２仮想直線））４７８側の角度（仮想直線ｅ７６’側の角度としてもよい））はα７３となっている。つまり、第１傾斜部４７２と第２傾斜部４７４間の角度はα７３となっている。第２傾斜部４７４は、外側（端部ｍ７１側とは反対側）に膨出した円弧状を呈している。
【０４９０】
また、第２傾斜部４７４の第１傾斜部４７２との接触点ｍ７２は、第２傾斜部４７４の第３傾斜部４７６との接触点ｍ７３よりも開封方向において前側（Ｘ１側）にある。
【０４９１】
また、第３傾斜部４７６は、接触点ｍ７３からジッパー開封方向に対して傾斜して形成され、直線状に形成されている。つまり、第３傾斜部４７６は、接触点ｍ７３と端部（第２端部）ｍ７４間に直線状に形成され、第３傾斜部４７６は、端部ｍ７４が仮想直線ｅ７６’を介して接触点ｍ７２と反対側となるように、仮想直線ｅ７６’に対して傾斜して形成されている。なお、接触点ｍ７３は、端部ｍ７４よりもジッパー開封方向において前側にある。第３傾斜部４７６と第２傾斜部４７４とがなす角度α６５（第３傾斜部４７６と第２傾斜部４７４とがなす角度で大きい方の角度）は、鈍角に形成されており、また、第３傾斜部４７６が仮想直線ｅ７６’となす角度α７６は、角度α７２よりも小さく形成されている。
【０４９２】
また、開封方向前側（Ｘ１側）の切込み４７０の第３傾斜部４７６の後端の端部ｍ７４からの第３傾斜部４７６のジッパー開封方向において後側への延長線（直線状の延長線）（仮想延長線）（第２仮想延長線）ｆ７６が、第１傾斜部４７２と交わるようになっている。つまり、ある切込み４７０の第３傾斜部４７６の延長線ｆ７６が、開封方向に隣接する切込み４７０の第１傾斜部４７２と交わる。
【０４９３】
ここで、第１傾斜部４７２の長さ（第１傾斜部４７２に沿った長さ）と第２傾斜部４７４の長さ（第２傾斜部４７４に沿った長さ）と第３傾斜部４７６の長さ（第３傾斜部４７６に沿った長さ）とを比較すると、第２傾斜部４７４が最も長く形成され、第１傾斜部４７２が最も短く形成されている。なお、第２傾斜部４７４の第２傾斜部４７４に沿った長さの代わりに、接触点ｍ７２と接触点ｍ７３間の直線距離を第２傾斜部４７４の長さとした場合でも、第２傾斜部４７４が最も長く形成されている。
【０４９４】
また、角度α７１と角度α７２とを比較すると、角度α７１が角度α７２よりも大きく形成されている（α７１＞α７２）。例えば、角度α７１は７０〜８５度で、角度α７２は５〜４５度（５〜３５度としてもよい）に形成されている（なお、角度α７１、α７２は他の角度でもよい）。なお、角度α７１の角度の値は、角度α７２の角度の値の２倍以上の角度の値とするのが好ましい。
【０４９５】
また、角度α７３は、直角以下の角度に形成され、例えば、７５〜９０度に形成されている（なお、角度α７３は他の角度でもよい）。また、角度α７６は、３〜１０度に形成されている。
【０４９６】
ジッパーＣ’の開封方向は、複数の切込み４７０における同じ箇所を結ぶ方向といえ、例えば、複数の切込み４７０における接触点ｍ７３を結ぶ方向がジッパーＣ’の開封方向といえ、ジッパーＣ’が直線状に形成されている場合には、複数の接触点ｍ７３を結ぶ方向が直線状となり、ジッパーＣ’が曲線状に形成されている場合には、複数の接触点ｍ７３を結ぶ方向が曲線状となる。なお、切れ目線Ｃ１’と切れ目線Ｃ２’とは線対称に形成されているので、複数の切込み４６０における同じ箇所を結ぶ方向と複数の切込み４７０における同じ箇所を結ぶ方向とは同じ方向である。
【０４９７】
なお、１つの切れ目線Ｃ２’において、切込み４７０は同じ構成であり、隣接する切込み４７０間の間隔は、原則として同一に形成され、少なくともジッパーＣ’が直線状に形成されている場合には、隣接する切込み４７０間の間隔は、同一に形成されている。
【０４９８】
なお、切れ目線Ｃ１’を第１切れ目線とした場合には、切れ目線Ｃ２’が第２切れ目線となり、切込み４６０が第１切込みとなり、切込み４７０が第２切込みとなる。切れ目線Ｃ１’を第２切れ目線とした場合には、切れ目線Ｃ２’が第１切れ目線となり、切込み４６０が第２切込みとなり、切込み４７０が第１切込みとなる。
【０４９９】
また、切込みＣ３は、略コ字状を呈し、Ｘ２側に開口した略コ字状を呈している。つまり、切込みＣ３は、仮想直線ｅ６６’に沿って形成された直線状の切込み８２と、仮想直線ｅ７６’に沿って形成された直線状の切込み８４と、切込み８２と切込み８４のＸ１側の端部間を結び、該中心線Ｃｈに対して直角をなす切込み８６とを有している。この切込みＣ３により囲まれた領域（つまり、切込みＣ３と、切込み８２のＸ２側の端部と切込み８４のＸ２側の端部とを結ぶ直線により囲まれた領域）が、片部８０となる。
【０５００】
ジッパーＣ’の使用に際しては、片部８０を起こして手でつかみ、Ｘ２方向（開封方向）に引っぱることにより、隣接する切込み４６０間の隙間と隣接する切込み４７０間の隙間が破れてジッパーＣ’がブランクから分離する。これにより、帯状部９０がブランクから分離し、ブランクには帯状部９０を分離した後の隙間１００が形成される。ブランクには、この隙間１００の両側に切断面１０２、１０４が形成される。
【０５０１】
例えば、ジッパーＣ’をカートンに適用した例としては、図５、図６に示すカートンＫ１におけるジッパーＡ−１、Ａ−２の代わりに、ジッパーＣ’を用いる。
【０５０２】
ここで、ジッパーＣ’の作用・効果は、ジッパーＡ’と同様である。すなわち、第３傾斜部４６６の後端の端部ｍ６４からの第３傾斜部４６６の延長線が、次の切込み４６０における第１傾斜部４６２と交わり、また、第３傾斜部４７６の後端の端部ｍ７４からの第３傾斜部４７６の延長線が、次の切込み４７０における第１傾斜部４７２と交わるので、第１傾斜部４６２、４７２により破断力を広く受け止めることができ、図３９に示す従来例のように剥離を生じるおそれが少ない。よって、ブランクの切断面１０２、１０４の見栄えをよくすることができる。また、第３傾斜部４６６、４７６からの破断力を第１傾斜部４６２、４７２により広く受け止め、第１傾斜部４６２、４７２以外に第３傾斜部４６６、４７６からの破断力を直接受け止める切込みがないので（例えば、第２傾斜部４６４、４７４の前側の端部は、第３傾斜部４６６、４７６の延長線からずれているので、第２傾斜部４６４、４７４により第３傾斜部４６６、４７６からの破断力を直接受け止めることはない）、破断の際の感触を一定にできて円滑な破断を行なうことができる。また、剥離を生じるおそれが少ないので、その分少ない力で破断を行なうことができる。
【０５０３】
また、第１傾斜部４６２、４７２が開封方向に対する直角方向に対して傾斜しており、第１傾斜部４６２、４７２の第２傾斜部４６４、４７４側が開封方向後側となっている（つまり、接触点ｍ６２が端部ｍ６１よりも後側にあり、接触点ｍ７２が端部７１よりも後側にある）ので、第１傾斜部４６２、４７２に伝えられた破断力をスムーズに第２傾斜部４６４、４７４に伝えることができる。よって、少ない力で破断を行なうことができる。
【０５０４】
また、角度α６１が角度α６２よりも大きく、角度α７１が角度α７２よりも大きい（α６１＞α６２、α７１＞α７２）ので、第１傾斜部４６２、４７２の仮想直線ｅ６６’、ｅ７６’に対する傾斜が大きく、第１傾斜部４６２、４７２からの破断力が第２傾斜部４６４、４７４に伝わりやすく、ブランクの紙材の剥離が起こりにくい。よって、ブランクの切断面の見栄えをよくすることができる。すなわち、α６１＜α６２、α７１＜α７２であるとすると、第１傾斜部４６２、４７２の仮想直線ｅ６６’、ｅ７６’に対する傾斜が小さくなり、第２傾斜部４６４、４７４の仮想直線ｅ６６’、ｅ７６’に対する傾斜が大きくなるので、第１傾斜部４６２、４７２からの破断力が第２傾斜部７２、７４に伝わるよりも、ブランクの紙材を剥離する方に使われてしまい、剥離が起こりやすくなるが、本実施例の場合には、そのようなおそれが小さい。
【０５０５】
また、角度α６３、α７３が直角以下に形成されているので、その分、第１傾斜部４６２、４７２の仮想直線ｅ６６’、ｅ７６’に対する角度α６１、α７１を大きくすることができて、１つ前の切込み４６０、４７０からの破断力を第１傾斜部４６２、４７２で受け止めやすく、また、角度α６３、α７３が直角以下に形成されているので、その分、第３傾斜部４６６、４７６の長さを確保することができる。すなわち、ジッパーにおける隣接する切込み間のピッチ（例えば、ある切込みの前端から次の切込みの前端までの長さ）は、ある程度決められており（Ｇ段やＦ段で約１０ｍｍ）、すると、角度α６３、α７３が大きくなると、その分第３傾斜部４６６、４７６の長さを確保できず、第３傾斜部４６６、４７６の長さが短いと、その分第３傾斜部４６６、４７６からの破断力が広い角度に拡散しやすいことから、第３傾斜部４６６、４７６の長さを確保することにより、第３傾斜部４６６、４７６からの破断力が拡散する角度を小さくして、確実に次の切込み４６０、４７０の第１傾斜部４６２、４７２に破断力を伝えることができる。よって、ブランクの紙材の剥離が少なく、また、少ない力で破断を行なうことができる。また、第３傾斜部４６６、４７６からの破断力を第１傾斜部４６２、４７２により広く受け止め、第１傾斜部４６２、４７２以外に第３傾斜部４６６、４７６からの破断力を直接受け止める切込みがないので、破断の際の感触を一定にできて円滑な破断を行なうことができる。
【０５０６】
また、長さＬ６１が長さＬ６２よりも長く形成され、長さＬ７１が長さＬ７２よりも長く形成されているので（Ｌ６１＞Ｌ６２、Ｌ７１＞Ｌ７２）、ブランクの切断面（つまり、切れ目線Ｃ１’と切れ目線Ｃ２’間の帯状部を除いた後のブランクの切断面）の凹凸を小さくすることができる。つまり、Ｌ６２、Ｌ７２を小さくすることによりブランクの切断面の凹凸を小さくして、ブランクの切断面の見栄えをよくすることができる。
【０５０７】
また、長さＬ６１（Ｌ７１）を長さＬ１２（Ｌ２２）よりも長くするので、１つ前の切込み４６０、４７０からの破断力を広く受け止めることができる。つまり、第３傾斜部４６６、４７６が仮想直線ｅ６６’、ｅ７６’に対して傾斜しているので、長さＬ６１、Ｌ７１を長くすることにより、破断力を広く受け止めることが可能となる。また、１つ前の切込み４６０、４７０からの破断力においては、切れ目線Ｃ１’と切れ目線Ｃ２’間の帯状部を引っぱるので第３傾斜部４６６、４７６の延長線上よりも内側に向かう成分が多いが、長さＬ６１、Ｌ７１を長くするので、破断力を広く受け止めることが可能となる。よって、ブランクの紙材の剥離が少なく、また、少ない力で破断を行なうことができる。また、長さＬ６１（Ｌ７１）が長いので、第３傾斜部４６６、４７６からの破断力を第１傾斜部４６２、４７２により広く受け止め、第１傾斜部４６２、４７２以外に第３傾斜部４６６、４７６からの破断力を直接受け止める切込みがないので、破断の際の感触を一定にできて円滑な破断を行なうことができる。
【０５０８】
さらには、第３傾斜部４６６が仮想直線ｅ６６’に対して傾斜している（つまり、ジッパー開封方向に対して傾斜している）ので、ある切込み４６０における端部ｍ６４と、該切込み４６０に対して開封方向に隣接する切込み４６０における接触点ｍ６２間の仮想直線ｅ６６’と直角方向の長さ（端部ｍ６４から接触点ｍ６２を通る仮想直線で仮想直線ｅ６６’と平行な仮想直線までの長さ）ｈ６６を長くすることでき、これにより、接触点ｍ６２の位置からブランクが剥離することを防止することができる。また、接触点ｍ６２と仮想直線ｅ６６’（延長線ｅ１６）間の長さを実施例３の場合に比べて短くしても剥離防止できるので、ブランクの切断面の凹凸を小さくすることができる。
【０５０９】
同様に、第３傾斜部４７６が仮想直線ｅ７６’に対して傾斜しているので、ある切込み４７０における端部ｍ７４と、該切込み４７０に対して開封方向に隣接する切込み４７０における接触点ｍ７２間の仮想直線ｅ７６’と直角方向の長さ（端部ｍ７４から接触点ｍ７２を通る仮想直線で仮想直線ｅ７６’と平行な仮想直線までの長さ）ｈ７６を長くすることでき、これにより、接触点ｍ７２の位置からブランクが剥離することを防止することができる。また、接触点ｍ７２と仮想直線ｅ７６’（延長線ｅ７６）間の長さを実施例３の場合に比べて短くしても剥離防止できるので、ブランクの切断面の凹凸を小さくすることができる。
【実施例８】
【０５１０】
次に、本発明に基づく実施例７のカートン用切断構造としての切れ目線Ｄ’は、実施例４の切れ目線Ｄと略同一の構成であるが、切れ目線Ｄを構成する切込み７０の代わりに切込み４７０とするものである。すなわち、切込みＤ’は、図３５に示すように構成され、切れ目線Ｄ１’と、切れ目線Ｄ１’の開封方向前側に形成された切込み８８、８９とを有している。
【０５１１】
ここで、切れ目線Ｄ１’は、複数の切込み４７０を間隔を介して一列に配設したもので、切込み４７０の構成は、実施例７における切込み４７０と同様の構成であるので、詳しい説明を省略する。つまり、切込み４７０は、第１傾斜部４７２と、第２傾斜部４７４と、第３傾斜部４７６とを有する。
【０５１２】
また、切込み８８、８９は、直線状に形成され、第３傾斜部４７６の延長線上に形成されている。なお、開封方向に沿っては、切込み８８、切込み８９、切れ目線Ｄ１’の順に形成されている。
【０５１３】
なお、実施例８の切れ目線Ｄ’においては、図３５における切れ目線Ｄ’の上側を切取り側とし、切れ目線Ｄ’の下側を残す側とする。すなわち、実施例７のジッパーＣ’において、切れ目線Ｃ２’の上側が帯状部として切り取る側であるので、切れ目線Ｄ’においても上側を切り取り側とする。
【０５１４】
切れ目線Ｄ’の使用に際しては、切込み８８から破断を開始して、Ｘ２方向（開封方向）に切れ目線Ｄを破断することにより、切れ目線Ｄを形成したブランクが切断される。なお、切れ目線開封方向は、Ｘ１側からＸ２側への方向であり、Ｘ１側が切れ目線開封方向において前側であり、Ｘ２側が切れ目線開封方向において後側である。本実施例の切れ目線開封方向と実施例７のジッパー開封方向は、同じ方向であり、実施例７のジッパー開封方向の代わりに、切れ目線開封方向となっている。
【０５１５】
なお、第３傾斜部４７６は、接触点ｍ７３からジッパー開封方向に対して傾斜して形成され、直線状に形成されている。つまり、第３傾斜部４７６は、接触点ｍ７３と端部ｍ７４間に直線状に形成され、第３傾斜部４７６は、端部ｍ７４が仮想直線ｅ７６’を介して接触点ｍ７２と反対側となるように、仮想直線ｅ７６’に対して傾斜して形成されている。なお、接触点ｍ７３は、端部ｍ７４よりもジッパー開封方向において前側にある。
【０５１６】
また、第１傾斜部４７２は、ジッパー開封方向の仮想直線ｅ７６’に対して傾斜して形成され、端部ｍ７１が接触点ｍ７２よりも開封方向において前側にある。
【０５１７】
例えば、切れ目線Ｄをカートンに適用した例は、図９、図１０のカートンＫ２における切れ目線Ｂの代わりに切れ目線Ｄ’を用いたものとなり、切込み２０の代わりに切込み４７０を用いたものとなる。
【０５１８】
切れ目線Ｄ’による作用・効果は、実施例６の切れ目線Ｂ’の場合と同様である。すなわち、第３傾斜部４７６の後端の端部ｍ７４からの第３傾斜部４７６の延長線ｆ７６が、次の切込み４７０における第１傾斜部４７２と交わるので、第１傾斜部４７２により破断力を広く受け止めることができ、図３９に示す従来例のように剥離を生じるおそれが少ない。よって、ブランクの切断面（図３５の切れ目線Ｄ’の下側の領域の切断面）の見栄えをよくすることができる。また、第３傾斜部４７６からの破断力を第１傾斜部４７２により広く受け止め、第１傾斜部４７２以外に第３傾斜部４７６からの破断力を直接受け止める切込みがないので（例えば、第２傾斜部４７４の前側の端部は、第３傾斜部４７６の延長線からずれているので、第２傾斜部４７４により第３傾斜部４７６からの破断力を直接受け止めることはない）、破断の際の感触を一定にできて円滑な破断を行なうことができる。また、剥離を生じるおそれが少ないので、その分少ない力で破断を行なうことができる。
【０５１９】
また、第１傾斜部４７２が開封方向に対する直角方向に対して傾斜しており、第１傾斜部４７２の第２傾斜部４７４側が開封方向後側となっている（つまり、接触点ｍ７２が端部ｍ７１よりも後側にある）ので、第１傾斜部４７２に伝えられた破断力をスムーズに第２傾斜部４７４に伝えることができる。よって、少ない力で破断を行なうことができる。
【０５２０】
また、角度α７１が角度α７２よりも大きい（α７１＞α７２）ので、第１傾斜部４７２の仮想直線ｅ７６’に対する傾斜が大きく、第１傾斜部４７２からの破断力が第２傾斜部４７４に伝わりやすく、ブランクの紙材の剥離が起こりにくい。よって、ブランクの切断面（図３５の切れ目線Ｄ’の下側の領域の切断面）の見栄えをよくすることができる。
【０５２１】
また、角度α７３が直角以下に形成されているので、その分、第１傾斜部４７２の仮想直線ｅ７６’に対する角度α７１を大きくすることができて、１つ前の切込み４７０からの破断力を第１傾斜部４７２で受け止めやすく、また、角度α７３が直角以下に形成されているので、その分、第３傾斜部４７６の長さを確保することができる。第３傾斜部４７６の長さを確保することにより、第３傾斜部４７６からの破断力が拡散する角度を小さくして、確実に次の切込み４７０の第１傾斜部４７２に破断力を伝えることができる。よって、ブランクの紙材の剥離が少なく、また、少ない力で破断を行なうことができる。また、第３傾斜部４７６からの破断力を第１傾斜部４７２により広く受け止め、第１傾斜部４７２以外に第３傾斜部４７６からの破断力を直接受け止める切込みがないので、破断の際の感触を一定にできて円滑な破断を行なうことができる。
【０５２２】
また、長さＬ７１が長さＬ７２よりも長く形成されているので（Ｌ７１＞Ｌ７２）、ブランクの切断面の凹凸を小さくすることができる。よって、Ｌ７２を小さくすることによりブランクの切断面の凹凸を小さくして、ブランクの切断面（図３５の切れ目線Ｄの下側の領域の切断面）の見栄えをよくすることができる。
【０５２３】
また、長さＬ７１を長さＬ７２よりも長くするので、１つ前の切込み４７０からの破断力を広く受け止めることができる。つまり、第３傾斜部４６６、４７６が仮想直線ｅ６６’、ｅ７６’に対して傾斜しているので、長さＬ７１を長くすることにより、破断力を広く受け止めることが可能となる。また、１つ前の切込み４７０からの破断力においては、図３５の切れ目線Ｄ’よりも上側の領域を引っぱるので第３傾斜部４７６の延長線上よりも内側に向かう成分が多いが、長さＬ７１を長くするので、破断力を広く受け止めることが可能となる。よって、ブランクの紙材の剥離が少なく、また、少ない力で破断を行なうことができる。また、第３傾斜部４７６からの破断力を第１傾斜部４７２により広く受け止め、第１傾斜部４７２以外に第３傾斜部４７６からの破断力を直接受け止める切込みがないので、破断の際の感触を一定にできて円滑な破断を行なうことができる。
【０５２４】
さらには、第３傾斜部４６６が仮想直線ｅ７６’に対して傾斜している（つまり、切れ目線開封方向に対して傾斜している）ので、ある切込み４７０における端部ｍ７４と、該切込み４７０に対して開封方向に隣接する切込み４７０における接触点ｍ７２間の仮想直線ｅ７６’と直角方向の長さ（端部ｍ７４から接触点ｍ７２を通る仮想直線で仮想直線ｅ７６’と平行な仮想直線までの長さ）ｈ７６を長くすることでき、これにより、接触点ｍ７２の位置からブランクが剥離することを防止することができる。また、接触点ｍ７２と仮想直線ｅ７６’（延長線ｅ７６）間の長さを実施例４の場合に比べて短くしても剥離防止できるので、ブランクの切断面の凹凸を小さくすることができる。
【０５２５】
なお、図３５に示す切れ目線Ｄ’は、切れ目線Ｄ’よりも上側の領域を切り取る（すなわち、除去する）場合の例であり、切れ目線よりも下側の領域を切り取る場合には、図３６に示すように、切れ目線Ｄ１’の代わりに、切れ目線Ｃ１’の構成の切れ目線（つまり、切込み４６０を用いた切れ目線）を使用することになる。その場合の作用・効果は、上記と同様である。
【０５２６】
なお、上記実施例７のジッパーＣ’の変形例として、切込み４６０において、第１傾斜部４６２と第２傾斜部４６４間の角部にアール部が設けられ、第２傾斜部４６４と第３傾斜部４６６間の角部にアール部が設けられていてもよく、切込み４７０において、第１傾斜部４７２と第２傾斜部４７４間の角部にアール部が設けられ、第２傾斜部４７４と第３傾斜部４７６間の角部にアール部が設けられていてもよい。また、実施例４の切れ目線Ｄにおいても同様に、切込み４７０において、第１傾斜部４７２と第２傾斜部４７４間の角部にアール部が設けられ、第２傾斜部４７４と第３傾斜部４７６間の角部にアール部が設けられていてもよい。
【０５２７】
すなわち、変形例としての切込み４６０は、図３７に示すように構成され、第１傾斜部４６２と第２傾斜部４６４間にアール部４６３が設けられ、第２傾斜部４６４と第３傾斜部４６６間にアール部（第２アール部）４６５が設けられている。このようにアール部４６３やアール部４６５が設けられるのは、切込み４６０を形成するための刃の精度により刃の屈曲する部分がアール状にならざるを得ない場合があることに起因する。
【０５２８】
すなわち、アール部４６３は、第１傾斜部４６２の一方の端部である接触点（第１接触点）ｍ６２ａと第２傾斜部４６４の一方の端部である接触点（第２接触点）ｍ６２ｂ間に形成され、円弧状（略円弧状としてもよい）を呈し、接触点ｍ６２ａで第１傾斜部４１２と接するとともに、接触点ｍ６２ｂで第２傾斜部４６４と接している。つまり、アール部４６３は、第１傾斜部４６２と第２傾斜部４６４間の角部を円弧状（略円弧状としてもよい）に面取りしたものであり、アール部４６３の接触点ｍ６２ａにおける接線は、第１傾斜部４６２及びその延長線と一致し（第１傾斜部４６２は、アール部４６３の接触点ｍ６２ａにおける接線となるとしてもよい）、アール部４６３の接触点ｍ６２ｂにおける接線は、第２傾斜部４６４の接触点ｍ６２ｂにおける接線と一致する。
【０５２９】
また、アール部４６５は、第２傾斜部４６４の他方の端部である接触点（第３接触点）ｍ６３ａと第３傾斜部４６６の一方の端部である接触点（第４接触点）ｍ６３ｂ間に形成され、円弧状（略円弧状としてもよい）を呈し、接触点ｍ６３ａで第２傾斜部４６４と接するとともに、接触点ｍ６３ｂで第３傾斜部４６６と接している。つまり、アール部４６５は、第２傾斜部４６４と第３傾斜部４６６間の角部を円弧状（略円弧状としてもよい）に面取りしたものであり、アール部４６５の接触点ｍ６３ａにおける接線は、第２傾斜部４１４の接触点ｍ６３ａにおける接線と一致し、アール部４６５の接触点ｍ６３ｂにおける接線は、直線部４６６及びその延長線と一致する（直線部６６は、アール部６５の接触点ｍ６３ｂにおける接線となるとしてもよい）。
【０５３０】
図３７に示す切込み４６０の構成は、アール部４６３、４６５が設けられている点以外は上記実施例７や実施例８の切込み４６０と同様の構成である。
【０５３１】
すなわち、第１傾斜部４１２の両側の端部、すなわち、端部ｍ６１と接触点ｍ６２ａとが、仮想直線ｅ６６’を介して両側に配置され、端部ｍ１１が接触点ｍ１２ａよりもジッパー開封方向において前側に位置するように、第１傾斜部４６２が仮想直線ｅ６６’に対して傾斜して形成され、第１傾斜部４６２と仮想直線ｅ６６’間の角度（第２傾斜部４６４側の角度）α６１は鋭角となっている。
【０５３２】
また、第２傾斜部４６４は、仮想直線ｅ６６’に対して傾斜して形成され、第２傾斜部４６４の接触点ｍ１３ａからの延長線で第２傾斜部４６４と同一曲率の延長線である延長線（仮想延長線）（第３仮想延長線）４６４−１の仮想直線ｅ６６’との交点ｍ６３’における延長線４６４−１の接線４６４−１’との間の角度α６２は鋭角となっている。なお、角度α６２は、角度α６１よりも大きく形成されている。
【０５３３】
また、第１傾斜部４６２の接触点ｍ６２ａからの延長線（仮想延長線）（第４仮想延長線）４６２−１と、第２傾斜部４６４の接触点ｍ６２ｂからの延長線で第２傾斜部４６４と同一曲率の延長線（第５仮想延長線）４６４−２の延長線４６２−１との交点ｍ６２’における延長線４６４−２の接線４６４−２’との間の角度で、仮想直線ｅ６６’と延長線４６４−１との交点ｍ６３’と端部ｍ６１とを結ぶ直線（第２仮想直線）４６８側の角度α６３が直角以下となっている。
【０５３４】
また、第３傾斜部４６６は、接触点ｍ６３ｂから切れ目線開封方向に対して傾斜して形成され、直線状に形成されている。つまり、第３傾斜部４６６は、接触点ｍ６３ｂと端部ｍ６４間に直線状に形成され、第３傾斜部４６６は、端部ｍ６４が仮想直線ｅ６６’を介して接触点ｍ６２と反対側となるように、仮想直線ｅ６６’に対して傾斜して形成されている。なお、接触点ｍ６３ｂは、端部ｍ６４よりも切れ目線開封方向において前側にある。第３傾斜部４６６と第２傾斜部４６４の接触点ｍ６３における接線４６４−１’とがなす角度α６５（第３傾斜部４６６と接線４６４−１’とがなす角度で大きい方の角度）は、鈍角に形成されており、また、第３傾斜部４６６が仮想直線ｅ６６’となす角度α６６は、角度α６２よりも小さく形成されている。
【０５３５】
また、第３傾斜部４６６の切れ目線開封方向への延長線（第２仮想延長線）ｆ６６は切れ目線開封方向において後側に隣接する他の切込み４６０の第１傾斜部４６２と交わる。
【０５３６】
なお、端部ｍ６１から仮想直線ｅ６６’までの長さＬ６１は、アール部４６３から仮想直線ｅ６６’までの最大長さＬ６２’（アール部４６３において、仮想直線ｅ６６’までの距離が最大となる点から仮想直線ｅ６６’までの長さ（Ｙ１−Ｙ２方向の長さ））よりも長く形成されている。
【０５３７】
なお、図３７に示す構成の切込み４６０を用いた場合の作用・効果は、アール部４６３、４６５が設けられていない切込み４６０（図３２、図３３に示す切込み４６０）と同様である。
【０５３８】
すなわち、図３７に示す切込み４６０においては、第３傾斜部４６６の後端の端部ｍ６４からの第３傾斜部４６６の延長線ｆ６６が、次の切込み４６０における第１傾斜部４６２と交わるので、第１傾斜部４１２により破断力を広く受け止めることができ、図３９に示す従来例のように剥離を生じるおそれが少ない。よって、ブランクの切断面の見栄えをよくすることができる。また、第３傾斜部４６６からの破断力を第１傾斜部４６２により広く受け止め、第１傾斜部４６２以外に直前の切込み４６０の第３傾斜部４６６からの破断力を直接受け止める切込みがないので、破断の際の感触を一定にできて円滑な破断を行なうことができる。また、剥離を生じるおそれが少ないので、その分少ない力で破断を行なうことができる。
【０５３９】
また、第１傾斜部４６２が開封方向に対する直角方向に対して傾斜しており、第１傾斜部４６２の第２傾斜部４６４側が開封方向後側となっている（つまり、接触点ｍ６２ａが端部ｍ６１よりも後側にある）ので、第１傾斜部４６２に伝えられた破断力をスムーズに第２傾斜部４６４に伝えることができる。よって、少ない力で破断を行なうことができる。
【０５４０】
また、角度α６１が角度α６２よりも大きい（α６１＞α６２）ので、第１傾斜部４６２の仮想直線ｅ６６’に対する傾斜が大きく、第１傾斜部４６２からの破断力が第２傾斜部４６４に伝わりやすく、ブランクの紙材の剥離が起こりにくい。よって、ブランクの切断面の見栄えをよくすることができる。
【０５４１】
また、角度α６３が直角以下に形成されているので、その分、第１傾斜部４６２の仮想直線ｅ６６’に対する角度α６１を大きくすることができて、１つ前の切込み４６０からの破断力を第１傾斜部４６２で受け止めやすく、また、角度α６３が直角以下に形成されているので、その分、第３傾斜部４６６の長さを確保することができる。よって、第３傾斜部４６６の長さを確保することにより、第３傾斜部４６６からの破断力が拡散する角度を小さくして、確実に次の切込み４６０の第１傾斜部４６２に破断力を伝えることができる。よって、ブランクの紙材の剥離が少なく、また、少ない力で破断を行なうことができる。また、第３傾斜部４６６からの破断力を第１傾斜部４６２により広く受け止め、第１傾斜部４６２以外に直前の切込み４６０の第３傾斜部４６６からの破断力を直接受け止める切込みがないので、破断の際の感触を一定にできて円滑な破断を行なうことができる。
【０５４２】
また、長さＬ６１が長さＬ６２’よりも長く形成されているので（Ｌ６１＞Ｌ６２’）、ブランクの切断面の凹凸を小さくすることができる。よって、ブランクの切断面の凹凸を小さくして、ブランクの切断面の見栄えをよくすることができる。
【０５４３】
また、長さＬ６１を長さＬ６２’よりも長くするので、１つ前の切込み４６０からの破断力を広く受け止めることができる。よって、ブランクの紙材の剥離が少なく、また、少ない力で破断を行なうことができる。また、長さＬ６１が長いので、直前の切込み４６０の第３傾斜部４１６からの破断力を第１傾斜部４１２により広く受け止め、第１傾斜部４１２以外に第３傾斜部４６６からの破断力を直接受け止める切込みがないので、破断の際の感触を一定にできて円滑な破断を行なうことができる。
【０５４４】
さらには、第３傾斜部４６６が仮想直線ｅ６６’に対して傾斜している（つまり、ジッパー開封方向に対して傾斜している）ので、ある切込み４６０における端部ｍ６４と、該切込み４６０に対して開封方向に隣接する切込み４６０における接触点ｍ６２ａ間の仮想直線ｅ６６’と直角方向の長さ（端部ｍ６４から接触点ｍ６２を通る仮想直線で仮想直線ｅ６６’と平行な仮想直線までの長さ）を長くすることでき、これにより、接触点ｍ６２ａの位置からブランクが剥離することを防止することができる。また、接触点ｍ６２ａと仮想直線ｅ６６’（延長線ｅ１６）間の長さを実施例３の場合に比べて短くしても剥離防止できるので、ブランクの切断面の凹凸を小さくすることができる。
【０５４５】
なお、実施例７や実施例８における切込み４７０において、第１傾斜部４７２と第２傾斜部４７４間の角部にアール部が設けられ、第２傾斜部４７４と第３傾斜部４７６間の角部にアール部が設けられた構成は、図３７に示す切込み４６０に対して仮想直線ｅ６６’と平行な直線を介して対称の構成となる以外は同様の構成であるので、詳しい説明を省略する。
【０５４６】
また、実施例７や実施例８における切込み４７０において、第１傾斜部４７２と第２傾斜部４７４間の角部にアール部が設けられ、第２傾斜部４７４と第３傾斜部４７６間の角部にアール部が設けられた構成の作用・効果は、図３７に示す切込み４６０の場合と同様である。
【０５４７】
なお、図３７に示す切込み４６０においては、第１傾斜部４６２と第２傾斜部４６４間の角部にアール部４６３が設けられ、第２傾斜部４６４と第３傾斜部４６６間の角部にアール部４６５が設けられているが、図３７に示す切込み４６０の代わりに、図３８に示すように、第２傾斜部４６４と第３傾斜部４６６間の角部にアール部は設けられず、第１傾斜部４６２と第２傾斜部４６４間の角部のみにアール部を設けた構成としてもよい。
【０５４８】
すなわち、図３８に示す切込み４６０は、端部（第１端部）ｍ６１と接触点（第１接触点）ｍ６２ａ間に直線状に形成された第１傾斜部４６２と、接触点ｍ６２ａと接触点（第２接触点）ｍ６２ｂ間に形成されたアール部４６３と、接触点ｍ６２ｂと接触点（第３接触点）ｍ６３間に直線状に形成された第２傾斜部４６４と、接触点ｍ６３と端部（第２端部）ｍ６４間に直線状に形成された第３傾斜部４６６とを有している。
【０５４９】
図３８に示す切込み４６０は、アール部４６５が設けられていない点以外は図３７に示す切込み４６０と同様の構成であるので、詳しい説明を省略する。なお、第１傾斜部４６２の接触点ｍ６２ａからの延長線（仮想延長線）（第３仮想延長線）４６２−１と、第２傾斜部４６４の接触点ｍ６２ｂからの延長線で第２傾斜部４６４と同一曲率の延長線（第４仮想延長線）４６４−２の延長線４６２−１との交点ｍ６２’における延長線４６４−２の接線４６４−２’との間の角度で、仮想直線ｅ６６’と第２傾斜部４６４との交点ｍ６３’と端部ｍ６１とを結ぶ直線４６８側の角度α６３が直角以下となっている。また、図３８に示す構成の切込み４６０を用いた場合の作用・効果は、アール部４６３、４６５が設けられていない切込み４６０や、図３７に示す切込み４６０と同様であるので、詳しい説明を省略する。
【０５５０】
なお、実施例７や実施例８における切込み４７０において、第１傾斜部４７２と第２傾斜部４７４間の角部のみにアール部が設けられた場合の構成は、図３８に示す切込み４６０に対して仮想直線ｅ６６’と平行な直線を介して対称の構成となる以外は同様の構成であるので、詳しい説明を省略する。
【０５５１】
また、実施例７や実施例８における切込み４７０において、第１傾斜部４７２と第２傾斜部４７４間の角部のみにアール部が設けられた場合の構成の作用・効果は、図３８に示す切込み４６０の場合と同様である。
【０５５２】
なお、図３７に示す切込み４６０においては、第１傾斜部４６２と第２傾斜部４６４間の角部にアール部４６３が設けられ、第２傾斜部４６４と第３傾斜部４６６間の角部にアール部４６５が設けられているが、アール部４６３を設けず、アール部４６５のみを設けた構成としてもよい。また、実施例７や実施例８における切込み４７０において、第２傾斜部４７４と第３傾斜部４７６間の角部のみにアール部が設けられた場合の構成は、切込み４６０において、アール部４１５のみを設けた構成に対して仮想直線ｅ６６’と平行な直線を介して対称の構成となる以外は同様の構成となる。
【０５５３】
なお、上記の各実施例の説明において、「接触点」は「接点」としてもよい。また、図面において、Ｙ１−Ｙ２方向は、Ｘ１−Ｘ２方向に対して直角の方向である。
【符号の説明】
【０５５４】
Ａ、Ｃ、Ａ’、Ｃ’  ジッパー
Ａ１、Ａ２、Ｂ、Ｂ１、Ｃ１、Ｃ２、Ｄ、Ｄ１、Ａ１’、Ａ２’、Ｂ’、Ｂ１’、Ｃ１’、Ｃ２’、Ｄ’、Ｄ１’  切れ目線
１０、２０、３８、３９、６０、７０、８８、８９、４１０、４２０、４６０、４７０、Ａ３、Ｃ３  切込み
１２、２２、６２、７２、４１２、４２２、４６２、４７２  第１傾斜部
１３、１５、６３、６５、４１３、４１５、４６３、４６５  アール部
１４、２４、６４、７４、４１４、４２４、４６４、４７４  第２傾斜部
１６、２６、６６、７６  直線部
１８、２８、６８、７８、４１８、４２８、４６８、４７８  直線
３０、８０  片部
４０、９０  帯状部
５０、１００  隙間
５２、５４、１０２、１０４  切断面
６４−１’、６４−２’、７４−１’、７４−２’、４６４−１’、４６４−２’、４７４−１’、４７４−２’接線
４１６、４２６、４６６、４７６  第３傾斜部
ｅ１４、ｅ１６、ｆ１６、ｅ２６、ｆ２６、ｅ６６、ｆ６６、ｅ７６、ｆ７６、６２−１、６４−１、６４−２  延長線
ｅ１６’、ｅ２６’、ｅ６６’、ｅ７６’  仮想直線
Ａｈ、Ｃｈ  中心線
ｍ１１、ｍ１４、ｍ２１、ｍ２４  端部
ｍ１２、ｍ１２ａ、ｍ１２ｂ、ｍ１３、ｍ１３ａ、ｍ１３ｂ、ｍ２２、ｍ２３  接触点
Ｋ１、Ｋ２  カートン
【図１】
0006282996.tif 000002
【図２】
0006282996.tif 000003
【図３】
0006282996.tif 000004
【図４】
0006282996.tif 000005
【図５】
0006282996.tif 000006
【図６】
0006282996.tif 000007
【図７】
0006282996.tif 000008
【図８】
0006282996.tif 000009
【図９】
0006282996.tif 000010
【図１０】
0006282996.tif 000011
【図１１】
0006282996.tif 000012
【図１２】
0006282996.tif 000013
【図１３】
0006282996.tif 000014
【図１４】
0006282996.tif 000015
【図１５】
0006282996.tif 000016
【図１６】
0006282996.tif 000017
【図１７】
0006282996.tif 000018
【図１８】
0006282996.tif 000019
【図１９】
0006282996.tif 000020
【図２０】
0006282996.tif 000021
【図２１】
0006282996.tif 000022
【図２２】
0006282996.tif 000023
【図２３】
0006282996.tif 000024
【図２４】
0006282996.tif 000025
【図２５】
0006282996.tif 000026
【図２６】
0006282996.tif 000027
【図２７】
0006282996.tif 000028
【図２８】
0006282996.tif 000029
【図２９】
0006282996.tif 000030
【図３０】
0006282996.tif 000031
【図３１】
0006282996.tif 000032
【図３２】
0006282996.tif 000033
【図３３】
0006282996.tif 000034
【図３４】
0006282996.tif 000035
【図３５】
0006282996.tif 000036
【図３６】
0006282996.tif 000037
【図３７】
0006282996.tif 000038
【図３８】
0006282996.tif 000039
【図３９】
0006282996.tif 000040
【図４０】
0006282996.tif 000041
【図４１】
0006282996.tif 000042
【図４２】
0006282996.tif 000043